(57)【要約】【課題】１次音声光学データコンテンツおよび関連２次データコンテンツを操作する方法および装置を提供すること。【解決手段】方法および装置は、高度の効率で、１次音声光学データコンテンツ（５）および関連する２次音声光学データコンテンツ（６）の操作を可能にし得る。２次音声光学データコンテンツ（６）は、メモリ単位形式（１２）内に補間された１次音声光学データコンテンツ（５）にアクセスするために使用され得る。統合２次音声光学データコンテンツ（６）は、１次音声光学データ構造（１）内に投入された１次音声光学データコンテンツ（５）に介在的にアクセスするために使用され得る。１次音声光学データコンテンツ（５）は、バイト順に基づいて位置付けられ得る。所望の音声光学コンテンツは、文脈的音声光学データコンテンツと関連して読み込まれ得る。発話データは、音素に基づいて操作され得る。【選択図】図１
2011014123.tif 000002
【特許請求の範囲】
【請求項１】
明細書に記載の方法。
【発明の詳細な説明】
【技術分野】
【０００１】
概して、本技術は、１次音声または光学データを操作するための方法および装置に関する。それは、１次データコンテンツおよび関連２次データコンテンツを使用するステップに関する。より具体的には、２次データコンテンツを使用して実行されるアクションが、１次音声光学データコンテンツにおいて機能的に有用な結果を作成できるように、そのような２次データコンテンツは、そのような１次コンテンツに関係するように選択され得る。本発明の技術は、署名、バイト順、または音素として構造化されるデータコンテンツに特に適し得る。
【背景技術】
【０００２】
現代の経済では、情報は商品である。マクロ経済レベルおよびミクロ経済レベルの両方での意思決定は、所与の決定に関連性があり得る、種々の要因に関係する情報の評価および評定によって推進される。家電の購入のために製品提供を評定する消費者であろうと、主要企業投資のために市場動向を評価する企業であろうと、情報収集のプロセスは、現代の経済取引に不可欠となっている。
【０００３】
大量の情報を利用することができる効率を増加させることに専心して、多大な技術的インフラストラクチャが開発されてきた。コンピュータ時代においては、この技術的インフラストラクチャの早期反復が、書面で具現された情報を処理することに専念してきたと言えるかもしれない。これの広く行き渡った、おそらく明確な例は、ＷｏｒｄｐｅｒｆｅｃｔまたはＭｉｃｒｏｓｏｆｔ  Ｗｏｒｄ等の文書処理アプリケーションの普及である可能性がある。そのような文書処理アプリケーションは、タイプライター、謄写版印刷機、または普通の手書き等のより古い技術と比較すると、情報を生成および利用することができる効率を、ほぼ間違いなく革命的に変えた。しかしながら、有用な情報は、書き単語のみに限定されない種々の形態で具現され得ることが理解され得る。
【０００４】
１つのそのような種類の有用な情報は、音声光学情報であり得る。音声光学という用語は、そのような情報のエンドユーザに音声認知可能および／または視覚認知可能な情報のいずれか一方または両方で具現される情報を含むと理解することができる。概して、エンドユーザに音声および視覚の両方で認知可能な情報を具現すると理解され得る、その関係する類の視聴覚情報と対照することによって、音声光学情報の概念を理解しやすくなると言える。いずれにしても、多くの種類の有用な情報は、例えば、発話通信、ビデオプログラミング、音楽等であるが、確実に前述のものに限定されない音声光学として、具現され得ることを容易に理解することができる。
【０００５】
さらに、情報収集および利用の効率を増加させようとして、種々のアプローチが取られてきたと言える。１つのアプローチは、情報を１次情報コンテンツおよび２次情報コンテンツに整理することであり得る。１次情報コンテンツは、例えば、意思決定等の所望の目的で、関連性のある情報を含み得る。２次情報コンテンツは、１次情報コンテンツとのその関係に実質的に由来する価値の情報、例えば、おそらくメタデータを含み得る。情報を１次情報コンテンツおよび２次情報コンテンツに整理することにより、効率を増加させ得、それにより、２次情報コンテンツに関連付けられた時に、その意図された目的で、１次情報をさらなる多用途性で利用できる程度まで、情報が収集および利用され得る。しかしながら、情報を１次情報コンテンツおよび２次情報コンテンツを整理することの全潜在能力は、特に音声光学情報に関しては、まだ実現されていない。
【０００６】
故に、おそらく、文書処理アプリケーションが書き単語を処理する効率に匹敵し得るような、増加した効率で音声光学情報を処理する、実現されていない長年の必要性が存在すると考えられる。音声光学情報を処理するための従来の技術が存在し得る一方で、そのような従来の技術は、そのような処理の効率を低減する傾向がある、種々の欠点を抱える場合がある。
【０００７】
例えば、音声光学情報は、従来の技術によって、おそらく５１２バイトの標準化ブロックサイズでデジタル保存され得る。そのような標準化ブロックサイズは、次いで、デジタル保存された音声光学データがアクセスされ得る点を定義し得る。例えば、そのようなデジタル保存された音声光学データは、音声光学情報が保存される任意の個々のブロックの境界に対応する点のみにおいて、例えば、ブロックの開始または終了において、直接アクセスされ得る。その結果、ブロックの境界の間に位置することになったデジタル保存された音声光学情報の部分は、最適なアクセスが可能ではない場合があり、その代わり、実行時等で、間接的手段を通してアクセスされなければならない。
【０００８】
音声光学情報に関して、従来の技術はまた、メタデータ情報を別々にインデックス付けしたファイルとして日常的に保存することができる。そのようなメタデータ情報は、関連音声光学情報内にある種類のコンテンツを位置付けるための情報を含み得る。しかしながら、音声光学情報からのメタデータを別々にインデックス付けするという事実は、音声光学情報へのメタデータの機能性を保持するために、２つの情報要素を追跡する必要性をもたらし得る。例えば、おそらくコンピュータメモリ等のデバイスにおけるエラーによって、万一メタデータが音声光学情報から解離された場合には、メタデータ情報の有益性を失う可能性があり得る。
【０００９】
従来の技術はまた、より大きい音声光学情報構造内の音声光学コンテンツの特定の部分にアクセスする非効率的な方法によって限定される場合がある。例えば、従来の技術は、音声光学コンテンツのそのような特定の部分にアクセスするために実行時プロセスの使用に依存する場合がある。いくつかの用途では、そのような実行時プロセスは、コンテンツ自体の内容には関係なく、コンテンツが発生する場所の時間インデックスを参照するだけの、音声光学コンテンツを通したナビゲーションを可能にする場合がある。同様に、他の用途は、テキストインデックス基準のみによる音声光学コンテンツのナビゲーションを必要とする場合がある。そのようなテキストインデックス付けは、音声光学コンテンツを、その天然音声光学形式からテキストに変換する別個のステップを必要とする場合があり、音声光学情報と連動することのユーザへの有益性が大きく失われる場合さえあり、または、ユーザが変換された音声光学情報をテキスト形式でしか知覚できないため、正確性が損なわれる場合がある。いずれの場合でも、音声光学コンテンツの特定の部分にアクセスするこれらの従来の方法は、比較的遅く、おそらく、大量の音声光学情報にとっては容認し難いほど遅い場合がある、場合によっては、おそらく、音声光学コンテンツ自体の再生速度に限定される場合がある。
【００１０】
従来の技術が、音声光学コンテンツの特定の部分を読み込めるようにする程度に、そのような特定の部分が位置している周囲の音声光学コンテンツに関して、最適な文脈から離れて該部分を読み込むという理由によって、従来の技術は、限定される場合がある。例えば、従来の技術は、例えば、単語が現れる文を読み込む、文が現れる段落を読み込む、ビデオのフレームが現れる場面を読み込む等、読み込まれる文脈情報の性質および程度を選択的に定義する能力を付与しない場合がある。故に、従来の技術は、音声光学コンテンツ内の特定情報を探索するユーザに、情報が現れる文脈が限定された、または全くない、探索されたその特定の情報のみを返信する場合があり、ユーザは、そのような文脈の有益性を失う場合があるか、またはそのような文脈を読み込む付加的な時間を費やさなければならない場合がある。
【００１１】
多くの従来の用途では、発話情報を、様々な方式で操作しようとしているといえる。例えば、いくつかの用途は、ユーザが発話情報を探索して特定の単語または語句の発生を見出せることができるように設計され得る。この点において、従来の技術は、発話情報がまずテキストに変換されなければならない程度に、発話情報のそのような種類の操作を達成する能力が限定される場合がある。発話情報と連動するための従来の技術は、テキスト基準のみでそのようにできる場合があり、おそらく、例えば、発話情報が対応する音素を使用すること等によって、その天然の音声光学形式で発話を最適に操作することができない場合があると言える。
【００１２】
従来の技術はまた、標準化ブロックサイズ、おそらくサイズが５１２バイトのブロックサイズで、音声光学データを構造化することに限定される場合がある。これは、そのような音声光学情報のデータコンテンツが標準化ブロックサイズに適合しない場合に、音声光学情報の不十分な構造化をもたらす場合がある。さらに、しばしば、標準化ブロックサイズで保存された音声光学情報が、先頭または後続データギャップをもたらす場合があり、その場合、音声光学情報が個々のブロックよりも小さいか、または次の接続されたブロックの中へ波及されたため、標準化ブロックの部分はデータを含まない場合がある。
【００１３】
いくつかの従来の用途では、おそらく、音声光学データに直接、基礎的メタデータ構造を付加することによって、メタデータが音声光学情報に関連付けられ得る。しかしながら、そのようなメタデータを変更することが望ましくなり得る程度に、従来の技術は、そのような変更を遂行する能力が限定される場合がある。例えば、いくつかの従来の技術は、たとえ変更がメタデータの一部分のみに対する場合でも、変更が所望であれば、メタデータ構造全体が書き直されることを必要とする場合がある。これにより、例えば、基礎的音声光学データに関して実行された変更または分析に応じて、メタデータを経時的で継続的に修正することが難しくなる場合がある。さらに、メタデータ構造が標準化方式で存在することは一般的であり得、標準化形式のメタデータの標準化型のみが、関連メタデータ構造に使用される。このように、この種類のメタデータの変更を遂行すると、音声光学コンテンツとの使用を複雑にするおそれのある非効率性を引き起こす場合がある。
【００１４】
従来の技術に関する前述の課題は、同課題に対する効率的な解決法の長年の必要性を表し得る。要素の実施が利用可能となっている一方で、現在遂行されている程度まで、この必要性を満たすための実際の試行は、ある程度不足している。これは、当業者が関与する課題および挑戦の性質を十分に認識または理解できていないためである可能性がある。この理解の不足の結果として、これらの長年の必要性を満たすための試行は、ここで識別される課題または挑戦のうちの１つ以上を効果的に解決できていない場合がある。これらの試行は、本発明の技術によって取られる技術的方向から引き離されている可能性さえあり、当該分野によって取られるアプローチの予期しない結果であると、ある程度見なされている、本発明の技術の達成さえもたらす可能性がある。
【発明の概要】
【課題を解決するための手段】
【００１５】
本発明の技術は、１次音声光学データコンテンツおよび関連２次データコンテンツを操作する方法および装置に関し、実施形態では、メモリ単位形式内に補間された１次音声光学データコンテンツにアクセスするために２次データコンテンツを使用するための技法、１次音声光学データ構造内に投入された１次音声光学データコンテンツに介在的にアクセスするために統合された２次データコンテンツを使用する技法、バイト順に基づき１次音声光学データコンテンツを位置付けるための技法、音声光学データコンテンツを文脈的に検索するための技法、音素に基づき発話データを操作するための技法、可変メモリ単位形式で１次音声光学データを構造化するための技法、および統合２次順次音声光学データ構造を選択的に改変するための技法といった、特徴を含み得る１次音声または光学データを操作するための方法および装置に関する。故に、本明細書に記載の１次音声光学データコンテンツおよび関連２次データコンテンツを操作するための方法および装置の目的は、実用的な方式で、前述のそれぞれに対処する。必然的に、本発明のさらなる目的は、以下の説明および図面から明白となるであろう。
例えば、本発明は以下の項目を提供する。
（項目１）
１次順次音声光学データ構造を確立するステップと、
上記１次順次音声光学データ構造に１次順次音声光学データコンテンツを投入するステップと、
統合２次順次音声光学データ構造を確立するステップと、
上記統合２次順次音声光学データ構造に統合２次順次音声光学データコンテンツを投入するステップと、
上記１次順次音声光学データ構造内に投入された上記１次順次音声光学データコンテンツを、バイト順メモリ単位形式で配列するステップと、
上記１次順次音声光学データコンテンツ内の位置が判定されることが求められる、上記バイト順メモリ単位形式内に補間された所望の中間データ要素を識別するステップと、
上記バイト順メモリ単位形式内に補間された上記所望の中間データ要素のバイト順表示を作成するステップと、
上記所望の中間データ要素の上記バイト順表示を、上記１次順次音声光学データコンテンツの上記バイト順メモリ単位形式配列と比較するステップと、
上記所望の中間データ要素の上記バイト順表示が、上記１次順次音声光学データコンテンツの上記バイト順メモリ単位形式配列内の少なくとも１つのバイト順位置に対応するかどうかを判定するステップと、
上記１次順次音声光学データコンテンツの上記メモリ単位形式内に補間された上記少なくとも１つの中間データ要素に介在的にアクセスするステップと
を含む、順次音声光学データを操作するための方法。
（項目２）
バイト順表示を作成する上記ステップは、上記識別された所望の中間データ要素に対応するバイト順をコピーするステップを含む、項目１に記載の順次音声光学データを操作するための方法。
（項目３）
バイト順表示を作成する上記ステップは、上記識別された所望の中間データ要素をモデル化するステップを含む、項目１に記載の順次音声光学データを操作するための方法。
（項目４）
上記バイト順表示を比較する上記ステップは、上記１次順次音声光学データコンテンツの上記バイト順メモリ単位形式配列のバイト順を、上記所望の中間データ要素の上記バイト順表示と順次比較するステップを含む、項目１に記載の順次音声光学データを操作するための方法。
（項目５）
上記バイト順表示が対応するかどうかを判定する上記ステップは、時間インデックス基準から独立して判定するステップを含む、項目１に記載の順次音声光学データを操作するための方法。
（項目６）
上記バイト順表示が対応するかどうかを判定する上記ステップは、テキストインデックス基準から独立して判定するステップを含む、項目１に記載の順次音声光学データを操作するための方法。
（項目７）
上記バイト順表示が対応するかどうかを判定する上記ステップは、上記バイト順表示を上記少なくとも１つのバイト順位置に適合させるステップを含む、項目１に記載の順次音声光学データを操作するための方法。
（項目８）
上記所望の中間データ要素に関係する少なくとも１つの文脈的印を定義するステップと、
上記１次順次音声光学データコンテンツ内に、上記所望の中間データ要素に関係する少なくとも１つの文脈的印を位置付けるステップと、
上記少なくとも１つの文脈的印を利用することによって、関連文脈的順次音声光学データコンテンツ内の上記所望の中間データ要素を読み込むステップと、
をさらに含む、項目１に記載の順次音声光学データを操作するための方法。
（項目９）
少なくとも１つの文脈的印を定義する上記ステップは、音素に基づく文脈的印および一時停止に基づく文脈的印から成る群より選択される少なくとも１つの文脈的印を定義するステップを含む、項目８に記載の順次音声光学データを操作するための方法。
（項目１０）
バイト順メモリ単位形式で配列される上記１次順次音声光学データコンテンツは、ユーザ生成発話データを備え、
音素に基づいて上記ユーザ生成発話データを自動的に分析するステップと、
音素に基づいて上記ユーザ生成発話データを自動的に分析する上記ステップに基づいて、上記ユーザ生成発話データの少なくとも１つの構成音素を自動的に識別するステップと、
上記ユーザ生成発話データの上記少なくとも１つの識別された構成音素を自動的に保存するステップと、
をさらに含む、項目１に記載の順次音声光学データを操作するための方法。
（項目１１）
上記少なくとも１つの識別された構成音素を自動的に保存する上記ステップは、非出力操作のために上記少なくとも１つの識別された構成音素を保存するステップを含む、項目１０に記載の順次音声光学データを操作するための方法。
（項目１２）
上記少なくとも１つの識別された構成音素を自動的に保存する上記ステップは、上記少なくとも１つの識別された構成音素を発話情報単位で保存するステップを含む、項目１０に記載の順次音声光学データを操作するための方法。
（項目１３）
上記１次順次音声光学データコンテンツの少なくとも一部分に対して開始位置を判定するステップと、
上記１次順次音声光学データコンテンツの上記部分に対して停止位置を判定するステップと、
をさらに含み、配列する上記ステップは、上記開始位置および上記停止位置に連携された上記１次順次音声光学データコンテンツの上記部分のための可変バイト順メモリ単位形式を選択するステップを含む、
項目１に記載の順次音声光学データを操作するための方法。
（項目１４）
先頭メモリ単位データギャップを排除するステップ、および後続メモリ単位データギャップを排除するステップから成る群より選択される、上記選択された可変バイト順メモリ単位形式を利用して、上記１次順次音声光学データコンテンツの上記部分を構造化するステップをさらに含む、項目１３に記載の順次音声光学データを操作するための方法。
（項目１５）
上記統合２次順次音声光学データコンテンツに関係する少なくとも１つのコンテンツ改変基準を判定するステップと、
上記少なくとも１つのコンテンツ改変基準を利用して、上記統合２次順次音声光学データコンテンツを改変するステップと、
をさらに含む、項目１に記載の順次音声光学データを操作するための方法。
（項目１６）
上記統合２次順次音声光学データコンテンツを改変する上記ステップは、コンテンツを追加するステップ、コンテンツを削除するステップ、コンテンツを修正するステップ、コンテンツ関連付けを変更するステップ、構造サイズを拡張するステップ、および構造サイズを縮小するステップから成る群より選択される、改変するステップを含む、項目１５に記載の順次音声光学データを操作するための方法。
（項目１７）
上記統合２次順次音声光学データコンテンツを改変する上記ステップは、継続的に改変するステップを含む、項目１５に記載の順次音声光学データを操作するための方法。
（項目１８）
所望の中間データ要素を識別する上記ステップ、バイト順表示を作成する上記ステップ、上記バイト順表示を比較する上記ステップ、上記バイト順表示が対応するかどうかを判定する上記ステップ、および上記少なくとも１つの中間データ要素に介在的にアクセスする上記ステップは、署名を利用するステップを含む、項目１に記載の順次音声光学データを操作するための方法。
（項目１９）
所望の中間データ要素を識別する上記ステップ、バイト順表示を作成する上記ステップ、上記バイト順表示を比較する上記ステップ、上記バイト順表示が対応するかどうかを判定する上記ステップ、および上記少なくとも１つの中間データ要素に介在的にアクセスする上記ステップは、音素を利用するステップを含む、項目１に記載の順次音声光学データを操作するための方法。
（項目２０）
１次順次音声光学データ構造と、
上記１次順次音声光学データ構造内に投入される１次順次音声光学データコンテンツと、
統合２次順次音声光学データ構造と、
上記統合２次順次音声光学データ構造に投入される統合２次順次音声光学データコンテンツと、
上記１次順次音声光学データ構造内に投入された上記１次順次音声光学データコンテンツが配列される、バイト順メモリ単位形式と、
上記１次順次音声光学データコンテンツ内の介在位置が判定されようとする、上記バイト順メモリ単位形式内に補間された所望の中間データ要素を識別するように構成される、所望の中間データ要素識別プロセッサと、
上記所望の中間データ要素のバイト順表示を作成するように構成される、上記所望の中間データ要素識別プロセッサに応答するバイト順表示生成器と、
上記所望の中間データ要素の上記バイト順表示を、上記１次順次音声光学データコンテンツの上記バイト順メモリ単位形式配列と介在的に比較するように構成される、上記バイト順表示生成器に応答する介在型バイト順比較器と、
上記所望の中間データ要素の上記バイト順表示が、上記１次順次音声光学データコンテンツの上記バイト順メモリ単位形式配列内の少なくとも１つの介在バイト順位置に対応するかどうかを判定するように構成される、上記介在型バイト順比較器に応答する介在型対応プロセッサと、
上記介在型対応プロセッサに応答する介在型データ要素出力と、
を備える、順次音声光学データ操作装置。
（項目２１）
上記バイト順表示生成器は、上記所望の中間データ要素に対応するバイト順をコピーするように構成される、バイト順表示生成器を備える、項目２０に記載の順次音声光学データ操作装置。
（項目２２）
上記バイト順表示生成器は、上記所望の中間データ要素をモデル化するバイト順表示を作成するように構成される、バイト順表示生成器を備える、項目２０に記載の順次音声光学データ操作装置。
（項目２３）
上記介在型バイト順比較器は、上記１次順次音声光学データコンテンツのバイト順を、上記所望の中間データ要素の上記バイト順表示と順次比較するように構成される、介在型バイト順比較器を備える、項目２０に記載の順次音声光学データ操作装置。
（項目２４）
上記介在型対応プロセッサは、時間インデックス基準から独立して上記対応を判定するように構成される、介在型対応プロセッサを備える、項目２０に記載の順次音声光学データ操作装置。
（項目２５）
上記介在型対応プロセッサは、テキストインデックス基準から独立して上記対応を判定するように構成される、介在型対応プロセッサを備える、項目２０に記載の順次音声光学データ操作装置。
（項目２６）
上記介在型対応プロセッサは、上記バイト順表示を上記少なくとも１つのバイト順位置に適合させることによって上記対応を判定するように構成される、介在型対応プロセッサを備える、項目２０に記載の順次音声光学データ操作装置。
（項目２７）
上記所望の中間データ要素に関係する少なくとも１つの文脈的印を指定するように構成される、上記所望の中間データ要素識別プロセッサに応答する文脈的印指定器と、
上記１次順次音声光学データコンテンツの上記バイト順メモリ単位形式配列内に、上記所望の中間データ要素に関係する少なくとも１つの識別された文脈的印を位置付けるように構成される、上記所望の中間データ要素識別プロセッサに応答する文脈的印位置プロセッサと、
関連文脈的順次音声光学データコンテンツ内の上記所望の中間データ要素を出力するように構成される、上記所望中間データ要素位置プロセッサおよび文脈的関係印位置プロセッサに応答するデータ要素出力と、
をさらに備える、項目２０に記載の順次音声光学データ操作装置。
（項目２８）
上記文脈的印指定器は、上記１次順次音声光学データコンテンツ内の少なくとも１つの音素、および上記１次順次音声光学データコンテンツ内の少なくとも１つの一時停止から成る群より選択される、文脈的印を指定するように構成される、文脈的印指定器を備える、項目２７に記載の順次音声光学データ操作装置。
（項目２９）
上記１次順次音声光学データコンテンツの上記バイト順メモリ単位形式配列は、ユーザ生成発話データを備え、
音素に基づいて発話データを自動的に分析するように構成される、自動音素基準発話データ分析プロセッサと、
発話データの少なくとも１つの構成音素を自動的に識別するように構成される、上記自動音素基準発話データ分析プロセッサに応答する自動構成音素識別プロセッサと、
発話データの上記少なくとも１つの構成音素を自動的に保存するように構成される、上記自動構成音素識別プロセッサに応答する自動構成音素メモリと、
をさらに備える、項目２０に記載の順次音声光学データ操作装置。
（項目３０）
上記自動構成音素メモリは、非出力操作のために上記少なくとも１つの構成音素を保存するように構成される、自動構成音素メモリを備える、項目２９に記載の順次音声光学データ操作装置。
（項目３１）
上記自動構成音素メモリは、発話単位情報として上記少なくとも１つの構成音素を保存するように構成される、自動構成音素メモリを備える、項目２９に記載の順次音声光学データ操作装置。
（項目３２）
上記１次順次音声光学データコンテンツの上記バイト順メモリ単位形式配列の少なくとも一部分に対して開始位置を判定するように構成される、開始位置判定プロセッサと、
上記１次順次音声光学データコンテンツの上記バイト順メモリ単位形式配列の少なくとも一部分に対して停止位置を判定するように構成される、停止位置判定プロセッサと、
上記１次順次音声光学データコンテンツの上記バイト順メモリ単位形式配列の上記部分のために、上記開始位置および上記停止位置に調整された可変メモリ単位形式を生成するように構成される、上記開始位置判定プロセッサおよび上記停止位置判定プロセッサに応答する可変メモリ単位形式生成器と、
上記可変メモリ単位形式生成器に応答するデータコンテンツ出力と、
をさらに備える、項目２０に記載の順次音声光学データ操作装置。
（項目３３）
上記データコンテンツ出力は、先頭メモリ単位データギャップを排除するステップ、および後続メモリ単位データギャップを排除するステップから成る群より選択される、上記１次順次音声光学データコンテンツの上記バイト順メモリ単位形式配列を構造化するように構成される、データコンテンツ出力を備える、項目３２に記載の順次音声光学データ操作装置。
（項目３４）
上記統合２次順次音声光学データコンテンツに関係する少なくとも１つのコンテンツ改変基準を生成するように構成される、コンテンツ改変基準生成器と、
上記統合２次順次音声光学データコンテンツを改変するように構成される、上記コンテンツ改変基準生成器に応答するコンテンツ改変プロセッサと、
をさらに備える、項目２０に記載の順次音声光学データ操作装置。
（項目３５）
上記コンテンツ改変プロセッサは、上記統合２次順次音声光学データコンテンツにコンテンツを追加するステップ、上記統合２次順次音声光学データコンテンツからコンテンツを削除するステップ、上記統合２次順次音声光学データコンテンツを修正するステップ、上記統合２次順次音声光学データコンテンツ構造を拡張するステップ、上記統合２次順次音声光学データコンテンツ構造を縮小するステップ、および上記統合２次順次音声光学データコンテンツの少なくとも１つのデータ関連付けを変更するステップから成る群より選択される、改変するように構成されるコンテンツ改変プロセッサを備える、項目３４に記載の順次音声光学データ操作装置。
（項目３６）
上記コンテンツ改変プロセッサは、継続的コンテンツ改変プロセッサを備える、項目３４に記載の順次音声光学データ操作装置。
（項目３７）
上記所望の中間データ要素識別プロセッサ、上記バイト順表示生成器、上記介在型バイト順比較器、上記介在型対応プロセッサ、および上記介在型データ要素出力は、署名操作システムを備える、項目２０に記載の順次音声光学データ操作装置。
（項目３８）
上記所望の中間データ要素識別プロセッサ、上記バイト順表示生成器、上記介在型バイト順比較器、上記介在型対応プロセッサ、および上記介在型データ要素出力は、音素操作システムを備える、項目２０に記載の順次音声光学データ操作装置。
（項目３９）
１次順次音声光学データ構造を確立するステップと、
上記１次順次音声光学データ構造に１次順次音声光学データコンテンツを投入するステップと、
上記１次順次音声光学データ構造内に投入された上記１次順次音声光学データコンテンツを、メモリ単位形式で配列するステップと、
２次順次音声光学データ構造を確立するステップと、
上記２次順次音声光学データ構造に２次順次音声光学データコンテンツを投入するステップと、
上記２次順次音声光学データコンテンツの少なくとも１つのデータ要素を、上記１次順次音声光学データコンテンツの上記メモリ単位形式内に補間された少なくとも１つの中間データ要素に関係付けるステップと、
上記２次順次音声光学データコンテンツの上記少なくとも１つの関係付けられたデータ要素を利用して、上記１次順次音声光学データコンテンツの上記メモリ単位形式内に補間された上記少なくとも１つの中間データ要素を位置付けるステップと、
上記１次順次音声光学データコンテンツの上記メモリ単位形式内に補間された上記少なくとも１つの中間データ要素にアクセスするステップと、
を含む、順次音声光学データにアクセスするための方法。
（項目４０）
メモリ単位形式で配列する上記ステップは、ブロックサイズを利用するステップを含む、項目３９に記載の順次音声光学データにアクセスするための方法。
（項目４１）
ブロックサイズを利用する上記ステップは、５１２バイト以下のブロックサイズを利用するステップを含む、項目４０に記載の順次音声光学データにアクセスするための方法。
（項目４２）
少なくとも１つの中間データ要素に関係付ける上記ステップは、上記メモリ単位形式の境界を除いて関係付けるステップを含む、項目３９に記載の順次音声光学データにアクセスするための方法。
（項目４３）
少なくとも１つの中間データ要素に関係付ける上記ステップは、上記メモリ単位形式の上記境界に重複するステップを含む、項目３９に記載の順次音声光学データにアクセスするための方法。
（項目４４）
少なくとも１つの中間データ要素に関係付ける上記ステップは、少なくとも１つの中間データ要素に一意的に関係付けるステップを含む、項目３９に記載の順次音声光学データにアクセスするための方法。
（項目４５）
少なくとも１つの中間データ要素に関係付ける上記ステップは、上記メモリ単位形式から独立して関係付けるステップを含む、項目３９に記載の順次音声光学データにアクセスするための方法。
（項目４６）
上記少なくとも１つの中間データ要素を位置付ける上記ステップは、上記少なくとも１つの中間データ要素を原位置で位置付けるステップを含む、項目３９に記載の順次音声光学データにアクセスするための方法。
（項目４７）
上記少なくとも１つの中間データ要素を位置付ける上記ステップは、周囲の１次順次音声光学データコンテンツから上記少なくとも１つの中間データ要素を分離するステップを含む、項目３９に記載の順次音声光学データにアクセスするための方法。
（項目４８）
上記少なくとも１つの中間データ要素を位置付ける上記ステップは、時間インデックス基準から独立して上記少なくとも１つの中間データ要素を位置付けるステップを含む、項目３９に記載の順次音声光学データにアクセスするための方法。
（項目４９）
上記少なくとも１つの中間データ要素を位置付ける上記ステップは、テキストインデックス基準から独立して上記少なくとも１つの中間データ要素を位置付けるステップを含む、項目３９に記載の順次音声光学データにアクセスするための方法。
（項目５０）
上記少なくとも１つの中間データ要素にアクセスする上記ステップは、上記少なくとも１つの中間データ要素に選択的にアクセスするステップを含む、項目３９に記載の順次音声光学データにアクセスするための方法。
（項目５１）
少なくとも１つのデータ要素を関係付ける上記ステップ、上記少なくとも１つの中間データ要素を位置付ける上記ステップ、および上記少なくとも１つの中間データ要素にアクセスする上記ステップは、署名を利用するステップを含む、項目３９に記載の順次音声光学データにアクセスするための方法。
（項目５２）
少なくとも１つのデータ要素を関係付ける上記ステップ、上記少なくとも１つの中間データ要素を位置付ける上記ステップ、および上記少なくとも１つの中間データ要素にアクセスする上記ステップは、バイト順を利用するステップを含む、項目３９に記載の順次音声光学データにアクセスするための方法。
（項目５３）
少なくとも１つのデータ要素を関係付ける上記ステップ、上記少なくとも１つの中間データ要素を位置付ける上記ステップ、および上記少なくとも１つの中間データ要素にアクセスする上記ステップは、音素を利用するステップを含む、項目３９に記載の順次音声光学データにアクセスするための方法。
（項目５４）
１次順次音声光学データ構造と、
上記１次順次音声光学データ構造内に投入される１次順次音声光学データコンテンツと、
上記１次順次音声光学データ構造内に投入された上記１次順次音声光学データコンテンツが配列される、メモリ単位形式と、
２次順次音声光学データ構造と、
上記２次順次音声光学データ構造内に投入される２次順次音声光学データコンテンツと、
上記２次順次音声光学データコンテンツの少なくとも１つのデータ要素を、上記１次順次音声光学データコンテンツの上記メモリ単位形式内に補間された少なくとも１つの中間データ要素に関係付けるように構成される、関係データ要素構成と、
上記１次順次音声光学データコンテンツの上記メモリ単位形式内に補間された上記少なくとも１つの中間データ要素を位置付けるように構成される、上記関係データ要素構成に応答する中間データ要素位置プロセッサと、
上記中間データ要素位置プロセッサに応答するデータ要素出力と、
を備える、順次音声光学データアクセス装置。
（項目５５）
上記メモリ単位形式は、ブロックサイズのメモリ単位形式を備える、項目５４に記載の順次音声光学データアクセス装置。
（項目５６）
上記ブロックサイズのメモリ単位形式は、サイズが５１２バイト以上のブロックサイズのメモリ単位形式を備える、項目５４に記載の順次音声光学データアクセス装置。
（項目５７）
上記関係データ要素構成は、メモリ単位境界排他関係データ要素構成を備える、項目５４に記載の順次音声光学データアクセス装置。
（項目５８）
上記関係データ要素構成は、メモリ単位境界重複関係データ要素構成を備える、項目５４に記載の順次音声光学データアクセス装置。
（項目５９）
上記関係データ要素構成は、一意的に関係付けられた関係データ要素構成を備える、項目５４に記載の順次音声光学データアクセス装置。
（項目６０）
上記関係データ要素構成は、上記メモリ単位形式に無関係の形式で関係付けるように構成される、関係データ要素構成を備える、項目５４に記載の順次音声光学データアクセス装置。
（項目６１）
上記中間データ要素位置プロセッサは、上記少なくとも１つの中間データ要素を上記１次順次音声光学データコンテンツに対して原位置で位置付けるように構成される、中間データ要素位置プロセッサを備える、項目５４に記載の順次音声光学データアクセス装置。
（項目６２）
上記中間データ要素位置プロセッサは、上記１次順次音声光学データコンテンツから上記少なくとも１つの中間データ要素を分離するように構成される、中間データ要素位置プロセッサを備える、項目５４に記載の順次音声光学データアクセス装置。
（項目６３）
上記中間データ要素位置プロセッサは、時間インデックス基準から独立して上記少なくとも１つの中間データ要素を位置付けるように構成される、中間データ要素位置プロセッサを備える、項目５４に記載の順次音声光学データアクセス装置。
（項目６４）
上記中間データ要素位置プロセッサは、テキストインデックス基準から独立して上記少なくとも１つの中間データ要素を位置付けるように構成される、中間データ要素位置プロセッサを備える、項目５４に記載の順次音声光学データアクセス装置。
（項目６５）
上記データ要素出力は、選択的データ要素出力を備える、項目５４に記載の順次音声光学データアクセス装置。
（項目６６）
上記関係データ要素構成および上記中間データ要素位置プロセッサは、署名操作システムを備える、項目５４に記載の順次音声光学データアクセス装置。
（項目６７）
上記関係データ要素構成および上記中間データ要素位置プロセッサは、バイト順操作システムを備える、項目５４に記載の順次音声光学データアクセス装置。
（項目６８）
上記関係データ要素構成および上記中間データ要素位置プロセッサは、音素操作システムを備える、項目５４に記載の順次音声光学データアクセス装置。
（項目６９）
１次順次音声光学データ構造を確立するステップと、
上記１次順次音声光学データ構造に１次順次音声光学データコンテンツを投入するステップと、
統合２次順次音声光学データ構造を確立するステップと、
上記統合２次順次音声光学データ構造に統合２次順次音声光学データコンテンツを投入するステップと、
上記統合２次順次音声光学データコンテンツの少なくとも１つのデータ要素を、上記１次順次音声光学データコンテンツの少なくとも１つのデータ要素に関係付けるステップと、
上記統合２次順次音声光学データコンテンツの上記少なくとも１つのデータ要素を利用して、上記１次順次音声光学データコンテンツの上記少なくとも１つのデータ要素に介在的にアクセスするステップと、
を含む、順次音声光学データにアクセスするための方法。
（項目７０）
統合２次順次音声光学データ構造を確立するステップは、上記１次順次音声光学データ構造にヘッダを添付するステップを含む、項目６９に記載の順次音声光学データにアクセスするための方法。
（項目７１）
少なくとも１つのデータ要素を関係付ける上記ステップは、一意的に関係付けるステップを含む、項目６９に記載の順次音声光学データにアクセスするための方法。
（項目７２）
関係付ける上記ステップは、コンテンツに基づいて関係付けるステップ、構造的に関係付けるステップ、アルゴリズムで関係付けるステップ、情報の意味に基づいて関係付けるステップ、および形式に基づいて関係付けるステップから成る群より選択される、関係付けるステップを含む、項目６９に記載の順次音声光学データにアクセスするための方法。
（項目７３）
上記少なくとも１つのデータ要素に介在的にアクセスする上記ステップは、
上記１次順次音声光学データコンテンツの開始位置を選択するステップと、
上記１次順次音声光学データコンテンツの停止位置を選択するステップと、
上記開始位置と上記停止位置との間で上記少なくとも１つのデータ要素にアクセスするステップと、
を含む、項目６９に記載の順次音声光学データにアクセスするための方法。
（項目７４）
開始位置を選択する上記ステップは、上記１次順次音声光学データコンテンツの開始を選択するステップを含み、停止位置を選択する上記ステップは、上記１次順次音声光学データコンテンツの終了を選択するステップを含む、項目７３に記載の順次音声光学データにアクセスするための方法。
（項目７５）
上記少なくとも１つのデータ要素に介在的にアクセスする上記ステップは、上記開始位置および上記停止位置を除く上記少なくとも１つのデータ要素に介在的にアクセスするステップを含む、項目７３に記載の順次音声光学データにアクセスするための方法。
（項目７６）
上記少なくとも１つのデータ要素に介在的にアクセスする上記ステップは、原位置で上記少なくとも１つのデータ要素に介在的にアクセスするステップを含む、項目６９に記載の順次音声光学データにアクセスするための方法。
（項目７７）
上記少なくとも１つのデータ要素に介在的にアクセスする上記ステップは、周囲の１次順次音声光学データコンテンツから上記少なくとも１つのデータ要素を介在的に分離するステップを含む、項目６９に記載の順次音声光学データにアクセスするための方法。
（項目７８）
上記少なくとも１つのデータ要素に介在的にアクセスする上記ステップは、時間インデックス基準から独立して上記少なくとも１つのデータ要素に介在的にアクセスするステップを含む、項目６９に記載の順次音声光学データにアクセスするための方法。
（項目７９）
上記少なくとも１つのデータ要素に介在的にアクセスする上記ステップは、テキストインデックス基準から独立して上記少なくとも１つのデータ要素に介在的にアクセスするステップを含む、項目６９に記載の順次音声光学データにアクセスするための方法。
（項目８０）
上記少なくとも１つのデータ要素に介在的にアクセスする上記ステップは、上記少なくとも１つのデータ要素に選択的かつ介在的にアクセスする上記ステップを含む、項目６９に記載の順次音声光学データにアクセスするための方法。
（項目８１）
少なくとも１つのデータ要素を関係付ける上記ステップ、および上記少なくとも１つのデータ要素に介在的にアクセスする上記ステップは、署名を利用するステップを含む、項目６９に記載の順次音声光学データにアクセスするための方法。
（項目８２）
少なくとも１つのデータ要素を関係付ける上記ステップ、および上記少なくとも１つのデータ要素に介在的にアクセスする上記ステップは、バイト順を利用するステップを含む、項目６９に記載の順次音声光学データにアクセスするための方法。
（項目８３）
少なくとも１つのデータ要素を関係付ける上記ステップ、および上記少なくとも１つのデータ要素に介在的にアクセスする上記ステップは、音素を利用するステップを含む、項目６９に記載の順次音声光学データにアクセスするための方法。
（項目８４）
１次順次音声光学データ構造と、
上記１次順次音声光学データ構造内に投入される１次順次音声光学データコンテンツと、
統合２次順次音声光学データ構造と、
上記統合２次順次音声光学データ構造内に投入される統合２次順次音声光学データコンテンツと、
上記統合２次順次音声光学データコンテンツの少なくとも１つのデータ要素を、上記１次順次音声光学データコンテンツの少なくとも１つのデータ要素に関係付けるように構成される、関係データ要素構成と、
上記１次順次音声光学データコンテンツの上記少なくとも１つのデータ要素に介在的にアクセスするように構成される、上記関係データ要素構成に応答する介在型データ要素位置プロセッサと、
上記介在型データ要素位置プロセッサに応答するデータ要素出力と、
を備える、順次音声光学データアクセス装置。
（項目８５）
上記統合２次順次音声光学データ構造は、添付ヘッダを備える、項目８４に記載の順次音声光学データアクセス装置。
（項目８６）
上記関係データ要素構成は、一意的に関係付けられた関係データ要素構成を備える、項目８４に記載の順次音声光学データアクセス装置。
（項目８７）
上記関係データ要素構成は、コンテンツで関係付けられた構成、構造的に関係付けられた関連構成、アルゴリズムで関係付けられた構成、意味で関係付けられた構成、および形式で関係付けられた構成から成る群より選択される、関係データ要素構成を備える、項目８４に記載の順次音声光学データアクセス装置。
（項目８８）
上記介在型データ要素位置プロセッサは、
開始位置判定プロセッサと、
停止位置判定プロセッサと、
中間データ要素アクセスプロセッサと、
を備える、項目８４に記載の順次音声光学データアクセス装置。
（項目８９）
上記開始位置判定プロセッサは、上記１次順次音声光学データの開始位置を判定するように構成される開始位置判定プロセッサを備え、上記停止位置判定プロセッサは、上記１次順次音声光学データの終了位置を判定するように構成される停止位置判定プロセッサを備える、項目８８に記載の順次音声光学データアクセス装置。
（項目９０）
上記介在型データ要素位置プロセッサは、開始位置排他および停止位置排他介在型データ要素位置プロセッサを備える、項目８８に記載の順次音声光学データアクセス装置。
（項目９１）
上記介在型データ要素位置プロセッサは、上記少なくとも１つのデータ要素を上記１次順次音声光学データコンテンツに対して原位置で位置付けるように構成される、介在型データ要素位置プロセッサを備える、項目８４に記載の順次音声光学データアクセス装置。
（項目９２）
上記介在型データ要素位置プロセッサは、上記１次順次音声光学データコンテンツから上記少なくとも１つのデータ要素を分離するように構成される、介在型データ要素位置プロセッサを備える、項目８４に記載の順次音声光学データアクセス装置。
（項目９３）
上記介在型データ要素位置プロセッサは、時間インデックス基準から独立して上記少なくとも１つのデータ要素を位置付けるように構成される、介在型データ要素位置プロセッサを備える、項目８４に記載の順次音声光学データアクセス装置。
（項目９４）
上記介在型データ要素位置プロセッサは、テキストインデックス基準から独立して上記少なくとも１つのデータ要素を位置付けるように構成される、介在型データ要素位置プロセッサを備える、項目８４に記載の順次音声光学データアクセス装置。
（項目９５）
上記データ要素出力は、選択的データ要素出力を備える、項目８４に記載の順次音声光学データアクセス装置。
（項目９６）
上記関係データ要素構成および上記介在型データ要素位置プロセッサは、署名操作システムを備える、項目８４に記載の順次音声光学データアクセス装置。
（項目９７）
上記関係データ要素構成および上記介在型データ要素位置プロセッサは、バイト順操作システムを備える、項目８４に記載の順次音声光学データアクセス装置。
（項目９８）
上記関係データ要素構成および上記介在型データ要素位置プロセッサは、音素操作システムを備える、項目８４に記載の順次音声光学データアクセス装置。
（項目９９）
１次順次音声光学データ構造を確立するステップと、
上記１次順次音声光学データ構造に１次順次音声光学データコンテンツを投入するステップと、
上記１次順次音声光学データ構造の上記１次順次音声光学データコンテンツを、バイト順で配列するステップと、
上記１次順次音声光学データコンテンツ内の位置が判定されようとする、所望のデータ要素を識別するステップと、
上記所望のデータ要素のバイト順表示を作成するステップと、
上記所望のデータ要素の上記バイト順表示を、上記１次順次音声光学データコンテンツの上記バイト順配列と比較するステップと、
上記所望のデータ要素の上記バイト順表示が、上記１次順次音声光学データコンテンツの少なくとも１つのバイト順位置に対応するかどうかを判定するステップと、
を含む、順次音声光学データを位置付けるための方法。
（項目１００）
バイト順で配列する上記ステップは、単語順で配列するステップを含む、項目９９に記載の順次音声光学データを位置付けるための方法。
（項目１０１）
バイト順で配列する上記ステップは、上記バイト順を上記１次順次音声光学データコンテンツの意味を有する情報に連携するステップを含む、項目９９に記載の順次音声光学データを位置付けるための方法。
（項目１０２）
所望のデータ要素を識別する上記ステップは、所望のデータ要素をユーザ識別するステップを含む、項目９９に記載の順次音声光学データを位置付けるための方法。
（項目１０３）
所望のデータ要素を識別する上記ステップは、所望のデータ要素を自動的に識別するステップを含む、項目９９に記載の順次音声光学データを位置付けるための方法。
（項目１０４）
所望のデータ要素を識別する上記ステップは、所望のデータ要素を一意的に識別するステップを含む、項目９９に記載の順次音声光学データを位置付けるための方法。
（項目１０５）
バイト順表示を作成する上記ステップは、ユーザ生成入力からバイト順表示を作成するステップを含む、項目９９に記載の順次音声光学データを位置付けるための方法。
（項目１０６）
バイト順表示を作成する上記ステップは、バイト順表示を自動的に生成するステップを含む、項目９９に記載の順次音声光学データを位置付けるための方法。
（項目１０７）
バイト順表示を作成する上記ステップは、上記識別された所望のデータ要素に対応するバイト順表示をコピーするステップを含む、項目９９に記載の順次音声光学データを位置付けるための方法。
（項目１０８）
バイト順表示を作成する上記ステップは、上記識別された所望のデータ要素をモデル化するステップを含む、項目９９に記載の順次音声光学データを位置付けるための方法。
（項目１０９）
バイト順表示を作成する上記ステップは、上記識別された所望のデータ要素の属性のバイト順表示を作成するステップを含む、項目９９に記載の順次音声光学データを位置付けるための方法。
（項目１１０）
上記バイト順表示を比較する上記ステップは、上記１次順次音声光学データコンテンツの再生速度よりも速い速度で上記バイト順表示を比較するステップを含む、項目９９に記載の順次音声光学データを位置付けるための方法。
（項目１１１）
上記バイト順表示を比較する上記ステップは、比較する上記ステップを達成するために使用される計算デバイスの処理速度を効率的に利用するステップを含む、項目９９に記載の順次音声光学データを位置付けるための方法。
（項目１１２）
上記バイト順表示を比較する上記ステップは、バイト順別に比較するステップを含む、項目９９に記載の順次音声光学データを位置付けるための方法。
（項目１１３）
バイト順別に比較する上記ステップは、上記１次順次音声光学データコンテンツのバイト順を、上記所望のデータ要素の上記バイト順表示と順次比較するステップを含む、項目１１２に記載の順次音声光学データを位置付けるための方法。
（項目１１４）
上記バイト順表示を比較する上記ステップは、直接比較するステップ、アルゴリズムで比較するステップ、階層的に比較するステップ、概念的に比較するステップ、構造的に比較するステップ、およびコンテンツに基づいて比較するステップから成る群より選択される、比較するステップを含む、項目９９に記載の順次音声光学データを位置付けるための方法。
（項目１１５）
上記バイト順表示が、少なくとも１つのバイト順位置に対応するかどうかを判定する上記ステップは、上記１次順次音声光学データコンテンツに対して原位置で判定するステップを含む、項目９９に記載の順次音声光学データを位置付けるための方法。
（項目１１６）
上記バイト順表示が、少なくとも１つのバイト順位置に対応するかどうかを判定する上記ステップは、周囲の１次順次音声光学データコンテンツから上記少なくとも１つのバイト順位置を分離するステップを含む、項目９９に記載の順次音声光学データを位置付けるための方法。
（項目１１７）
上記バイト順表示が、少なくとも１つのバイト順位置に対応するかどうかを判定する上記ステップは、時間インデックス基準から独立して判定するステップを含む、項目９９に記載の順次音声光学データを位置付けるための方法。
（項目１１８）
上記バイト順表示が、少なくとも１つのバイト順位置に対応するかどうかを判定する上記ステップは、テキストインデックス基準から独立して判定するステップを含む、項目９９に記載の順次音声光学データを位置付けるための方法。
（項目１１９）
上記バイト順表示が、少なくとも１つのバイト順位置に対応するかどうかを判定する上記ステップは、上記バイト順表示を上記少なくとも１つのバイト順位置に適合させるステップを含む、項目９９に記載の順次音声光学データを位置付けるための方法。
（項目１２０）
上記１次順次音声光学データコンテンツ内の上記所望のデータ要素の位置を推定するステップをさらに含む、項目９９に記載の順次音声光学データを位置付けるための方法。
（項目１２１）
２次順次音声光学データ構造を確立するステップと、
上記２次順次音声光学データ構造に２次順次音声光学データコンテンツを投入するステップと、
をさらに含む、項目９９に記載の順次音声光学データを位置付けるための方法。
（項目１２２）
所望のデータ要素を識別する上記ステップ、バイト順表示を作成する上記ステップ、上記バイト順表示を比較する上記ステップ、および上記バイト順表示が対応するかどうかを判定する上記ステップは、署名を利用するステップを含む、項目１２１に記載の順次音声光学データを位置付けるための方法。
（項目１２３）
所望のデータ要素を識別する上記ステップ、バイト順表示を作成する上記ステップ、上記バイト順表示を比較する上記ステップ、および上記バイト順表示が対応するかどうかを判定する上記ステップは、音素を利用するステップを含む、項目１２１に記載の順次音声光学データを位置付けるための方法。
（項目１２４）
１次順次音声光学データ構造と、
上記１次順次音声光学データ構造内に投入される１次順次音声光学データコンテンツと、
上記１次順次音声光学データ構造内に投入される上記１次順次音声光学データコンテンツのバイト順配列と、
所望データ要素識別プロセッサと、
上記所望のデータ要素のバイト順表示を作成するように構成される、上記所望データ要素識別プロセッサに応答するバイト順表示生成器と、
上記所望のデータ要素の上記バイト順表示を、上記１次順次音声光学データコンテンツの上記バイト順配列と比較するように構成される、上記バイト順表示生成器に応答するバイト順比較器と、
上記所望のデータ要素の上記バイト順表示が、上記１次順次音声光学データコンテンツ内の少なくとも１つのバイト順位置に対応するかどうかを判定するように構成される、上記バイト順比較器に応答する対応プロセッサと、
上記対応プロセッサに応答するデータ要素出力と、
を備える、順次音声光学データ位置装置。
（項目１２５）
上記バイト順配列は、単語順配列を備える、項目１２４に記載の順次音声光学データ位置装置。
（項目１２６）
上記所望データ要素識別プロセッサは、ユーザ生成所望データ要素識別プロセッサを備える、項目１２４に記載の順次音声光学データ位置装置。
（項目１２７）
上記所望データ要素識別プロセッサは、自動生成所望データ要素識別プロセッサを備える、項目１２４に記載の順次音声光学データ位置装置。
（項目１２８）
上記所望データ要素識別プロセッサは、一意的に識別された所望データ要素識別プロセッサを備える、項目１２４に記載の順次音声光学データ位置装置。
（項目１２９）
上記バイト順表示生成器は、ユーザ入力から上記バイト順表示を生成するように構成されるバイト順表示生成器を備える、項目１２４に記載の順次音声光学データ位置装置。
（項目１３０）
上記バイト順表示生成器は、上記バイト順表示を自動的に生成するように構成されるバイト順表示生成器を備える、項目１２４に記載の順次音声光学データ位置装置。
（項目１３１）
上記バイト順表生成器は、上記所望のデータ要素に対応するバイト順をコピーするように構成されるバイト順表示生成器を備える、項目１２４に記載の順次音声光学データ位置装置。
（項目１３２）
上記バイト順表示生成器は、上記所望のデータ要素をモデル化するバイト順表示を作成するように構成されるバイト順表示生成器を備える、項目１２４に記載の順次音声光学データ位置装置。
（項目１３３）
上記バイト順表示生成器は、上記所望のデータ要素の属性を表すように構成されるバイト順表示生成器を備える、項目１２４に記載の順次音声光学データ位置装置。
（項目１３４）
上記バイト順比較器は、上記１次順次音声光学データコンテンツの再生速度よりも速い速度で比較するように構成されるバイト順比較器を備える、
項目１２４に記載の順次音声光学データ位置装置。
（項目１３５）
上記バイト順比較器は、計算デバイスの処理速度を効率的に利用するように構成されるバイト順比較器を備える、項目１２４に記載の順次音声光学データ位置装置。
（項目１３６）
上記バイト順比較器は、上記１次順次音声光学データコンテンツのバイト順を上記所望のデータ要素の上記バイト順表示と順次比較するように構成されるバイト順比較器を備える、項目１２４に記載の順次音声光学データ位置装置。
（項目１３７）
上記バイト順比較器は、直接比較する、アルゴリズムで比較する、階層的に比較する、概念的に比較する、構造的に比較する、およびコンテンツに基づいて比較するから成る群より選択される、比較するように構成されるバイト順比較器を備える、項目１２４に記載の順次音声光学データ位置装置。
（項目１３８）
上記対応プロセッサは、上記１次順次音声光学データコンテンツに対して原位置で上記対応を判定するように構成される対応プロセッサを備える、項目１２４に記載の順次音声光学データ位置装置。
（項目１３９）
上記対応プロセッサは、上記周囲の１次順次音声光学データコンテンツから上記所望のデータ要素を分離するように構成される対応プロセッサを備える、項目１２４に記載の順次音声光学データ位置装置。
（項目１４０）
上記対応プロセッサは、時間インデックス基準から独立して上記対応を判定するように構成される対応プロセッサを備える、項目１２４に記載の順次音声光学データ位置装置。
（項目１４１）
上記対応プロセッサは、テキストインデックス基準から独立して上記対応を判定するように構成される対応プロセッサを備える、項目１２４に記載の順次音声光学データ位置装置。
（項目１４２）
上記対応プロセッサは、上記バイト順表示を上記少なくとも１つのバイト順位置に適合させることによって上記対応を判定するように構成される、対応プロセッサを備える、項目１２４に記載の順次音声光学データ位置装置。
（項目１４３）
所望データ要素位置推測プロセッサをさらに備える、項目１２４に記載の順次音声光学データ位置装置。
（項目１４４）
２次順次音声光学データ構造と、
上記２次順次音声光学データ構造内に投入される２次順次音声光学データコンテンツと、
をさらに備える、項目１２４に記載の順次音声光学データ位置装置。
（項目１４５）
上記所望データ要素識別プロセッサ、上記バイト順表示生成器、上記バイト順比較器、および上記対応プロセッサは、署名操作システムを備える、項目１４４に記載の順次音声光学データ位置装置。
（項目１４６）
上記所望データ要素識別プロセッサ、上記バイト順表示生成器、上記バイト順比較器、および上記対応プロセッサは、音素操作システムを備える、項目１４４に記載の順次音声光学データ位置装置。
（項目１４７）
１次順次音声光学データ構造を確立するステップと、
上記１次順次音声光学データ構造に１次順次音声光学データコンテンツを投入するステップと、
上記１次順次音声光学データコンテンツ内の関連文脈的順次音声光学データコンテンツが読み込まれようとする、上記１次順次音声光学データコンテンツの所望のデータ要素を識別するステップと、
上記所望のデータ要素に関係する少なくとも１つの文脈的印を定義するステップと、
上記１次順次音声光学データコンテンツ内に上記所望のデータ要素を位置付けるステップと、
上記１次順次音声光学データコンテンツ内に、上記所望のデータ要素に関係する少なくとも１つの文脈的印を位置付けるステップと、
上記少なくとも１つの文脈的印を利用することによって、関連文脈的順次音声光学データコンテンツ内の上記所望のデータ要素を読み込むステップと、
を含む、文脈的順次音声光学データを読み込む方法。
（項目１４８）
所望のデータ要素を識別する上記ステップは、ピクセルデータ要素、音楽データ要素、非発話音声データ要素、ビデオフレームデータ要素、およびデジタルデータ要素から成る群より選択される、所望のデータ要素を識別するステップを含む、項目１４７に記載の文脈的順次音声光学データを読み込む方法。
（項目１４９）
所望のデータ要素を識別する上記ステップは、音素に基づくデータ要素を識別するステップを含む、項目１４７に記載の文脈的順次音声光学データを読み込む方法。
（項目１５０）
所望のデータ要素を識別する上記ステップは、所望のデータ要素をユーザ識別するステップを含む、項目１４７に記載の文脈的順次音声光学データを読み込む方法。
（項目１５１）
所望のデータ要素を識別する上記ステップは、所望のデータ要素を自動的に識別するステップを含む、項目１４７に記載の文脈的順次音声光学データを読み込む方法。
（項目１５２）
少なくとも１つの文脈的印を定義する上記ステップは、少なくとも１つの音素に基づく文脈的印を定義するステップを含む、項目１４７に記載の文脈的順次音声光学データを読み込む方法。
（項目１５３）
少なくとも１つの音素に基づく文脈的印を定義する上記ステップは、上記所望のデータ要素の前に音素に基づく文脈的印の少なくとも１つの発生を定義し、上記所望のデータ要素の後に音素に基づく文脈的印の少なくとも１つの発生を定義するステップを含む、項目１５２に記載の文脈的順次音声光学データを読み込む方法。
（項目１５４）
少なくとも１つの文脈的印を定義する上記ステップは、少なくとも１つの一時停止に基づく文脈的印を定義するステップを含む、項目１４７に記載の文脈的順次音声光学データを読み込む方法。
（項目１５５）
少なくとも１つの一時停止に基づく文脈的印を定義する上記ステップは、上記所望のデータ要素の前に一時停止に基づく文脈的印の少なくとも１つの発生を定義し、上記所望のデータ要素の後に一時停止に基づく文脈的印の少なくとも１つの発生を定義するステップを含む、項目１５４に記載の文脈的順次音声光学データを読み込む方法。
（項目１５６）
少なくとも１つの文脈的印を定義する上記ステップは、ピクセルに基づく印、音楽に基づく印、非発話音声に基づく印、ビデオに基づく印、デジタルに基づく印、コンテンツに基づく印、構造に基づく印、アルゴリズムに基づく印、意味に基づく印、および形式に基づく印から成る群より選択される、少なくとも１つの文脈的印を定義するステップを含む、項目１４７に記載の文脈的順次音声光学データを読み込む方法。
（項目１５７）
少なくとも１つの文脈的印を定義する上記ステップは、上記所望のデータ要素に対して少なくとも１つの文脈的印を連続的に定義するステップを含む、項目１４７に記載の文脈的順次音声光学データを読み込む方法。
（項目１５８）
少なくとも１つの文脈的印を定義する上記ステップは、上記所望のデータ要素に対して少なくとも１つの文脈的印を非連続的に定義するステップを含む、項目１４７に記載の文脈的順次音声光学データを読み込む方法。
（項目１５９）
少なくとも１つの文脈的印を定義する上記ステップは、可変入力に基づいて上記文脈的印を変動させるステップを含む、項目１４７に記載の文脈的順次音声光学データを読み込む方法。
（項目１６０）
上記所望のデータ要素を位置付ける上記ステップ、および上記少なくとも１つの文脈的印を位置付ける上記ステップは、上記１次順次音声光学データコンテンツに対して原位置で位置付けるステップを含む、項目１４７に記載の文脈的順次音声光学データを読み込む方法。
（項目１６１）
上記所望のデータ要素を位置付ける上記ステップ、および上記少なくとも１つの文脈的印を位置付ける上記ステップは、周囲の１次順次音声光学データコンテンツに対して分離するステップを含む、項目１４７に記載の文脈的順次音声光学データを読み込む方法。
（項目１６２）
上記所望のデータ要素を位置付ける上記ステップ、および上記少なくとも１つの文脈的印を位置付ける上記ステップは、時間インデックス基準から独立して位置付けるステップを含む、項目１４７に記載の文脈的順次音声光学データを読み込む方法。
（項目１６３）
上記所望のデータ要素を位置付ける上記ステップ、および上記少なくとも１つの文脈的印を位置付ける上記ステップは、テキストインデックス基準から独立して位置付けるステップを含む、項目１４７に記載の文脈的順次音声光学データを読み込む方法。
（項目１６４）
関連文脈的順次音声光学データコンテンツ内の上記所望のデータ要素を読み込む上記ステップは、ユーザ解釈可能な有意義に関連付けられた情報を読み込むステップを含む、項目１４７に記載の文脈的順次音声光学データを読み込む方法。
（項目１６５）
ユーザ解釈可能な有意義に関連付けられた情報を読み込む上記ステップは、単語、語句、文、およびユーザ解釈可能な概念的に完成した意味から成る群より選択される、ユーザ解釈可能な有意義に関連付けられた情報を読み込むステップを含む、項目１６４に記載の文脈的順次音声光学データを読み込む方法。
（項目１６６）
関連文脈的順次音声光学データコンテンツ内の上記所望のデータ要素を読み込む上記ステップは、上記所望のデータ要素と上記文脈的印との間の実質的に全てのデータ要素を読み込むステップを含む、項目１４７に記載の文脈的順次音声光学データを読み込む方法。
（項目１６７）
２次順次音声光学データ構造を確立するステップと、
上記２次順次音声光学データ構造に２次順次音声光学データコンテンツを投入するステップと、
をさらに含む、項目１４７に記載の文脈的順次音声光学データを読み込む方法。
（項目１６８）
上記所望のデータ要素を位置付ける上記ステップ、上記少なくとも１つの文脈的順次音声光学データコンテンツ印を位置付ける上記ステップ、および上記所望のデータ要素を読み込む上記ステップは、署名を利用するステップを含む、項目１６７に記載の文脈的順次音声光学データを読み込む方法。
（項目１６９）
上記所望のデータ要素を位置付ける上記ステップ、上記少なくとも１つの文脈的順次音声光学データコンテンツ印を位置付ける上記ステップ、および上記所望のデータ要素を読み込む上記ステップは、バイト順を利用するステップを含む、項目１６７に記載の文脈的順次音声光学データを読み込む方法。
（項目１７０）
上記所望のデータ要素を位置付ける上記ステップ、上記少なくとも１つの文脈的順次音声光学データコンテンツ印を位置付ける上記ステップ、および上記所望のデータ要素を読み込む上記ステップは、音素を利用するステップを含む、項目１６７に記載の文脈的順次音声光学データを読み込む方法。
（項目１７１）
１次順次音声光学データ構造と、
上記１次順次音声光学データ構造内に投入される１次順次音声光学データコンテンツと、
所望データ要素識別プロセッサと、
上記所望のデータ要素に関係する少なくとも１つの文脈的印を指定するように構成される、上記所望データ要素識別プロセッサに応答する文脈的印指定器と、
上記１次順次音声光学データコンテンツ内に上記所望のデータ要素を位置付けるように構成される、上記所望データ要素識別プロセッサに応答する所望データ要素位置プロセッサと、
上記１次順次音声光学データコンテンツ内に、上記所望のデータ要素に関係する上記少なくとも１つの文脈的印を位置付けるように構成される、上記所望データ要素位置プロセッサに応答する文脈的印位置プロセッサと、
関連文脈的順次音声光学データコンテンツ内の上記所望のデータ要素を出力するように構成される、上記所望データ要素位置プロセッサおよび上記文脈的印位置プロセッサに応答するデータ要素出力と、
を備える、文脈的順次音声光学データ読み込み装置。
（項目１７２）
上記所望データ要素識別プロセッサは、ピクセル識別プロセッサ、音楽識別プロセッサ、非発話音声識別プロセッサ、ビデオフレーム識別プロセッサ、およびデジタルデータ識別プロセッサから成る群より選択される、所望データ要素識別プロセッサを備える、項目１７１に記載の文脈的順次音声光学データ読み込み装置。
（項目１７３）
上記所望データ要素識別プロセッサは、音素識別プロセッサを備える、項目１７１に記載の文脈的順次音声光学データ読み込み装置。
（項目１７４）
上記所望データ要素識別プロセッサは、ユーザ生成識別を利用するように構成される所望データ要素識別プロセッサを備える、項目１７１に記載の文脈的順次音声光学データ読み込み装置。
（項目１７５）
上記所望データ要素識別プロセッサは、自動生成識別を利用するように構成される所望データ要素識別プロセッサを備える、項目１７１に記載の文脈的順次音声光学データ読み込み装置。
（項目１７６）
上記文脈的印指定器は、上記１次順次音声光学データコンテンツ内の少なくとも１つの音素を指定するように構成される文脈的印指定器を備える、項目１７１に記載の文脈的順次音声光学データ読み込み装置。
（項目１７７）
少なくとも１つの音素を指定するように構成される上記文脈的印指定器は、上記所望のデータ要素の前に上記１次順次音声光学データコンテンツ内の少なくとも１つの音素、および上記所望のデータ要素の後に上記１次順次音声光学データコンテンツ内の少なくとも１つの音素を指定するように構成される、文脈的印指定器を備える、項目１７６に記載の文脈的順次音声光学データ読み込み装置。
（項目１７８）
上記文脈的印指定器は、上記１次順次音声光学データコンテンツ内の少なくとも１つの一時停止を指定するように構成される文脈的印指定器を備える、項目１７１に記載の文脈的順次音声光学データ読み込み装置。
（項目１７９）
少なくとも１つの一時停止を指定するように構成される上記文脈的印指定器は、上記所望のデータ要素の前に上記１次順次音声光学データコンテンツ内の少なくとも１つの一時停止、および上記所望のデータ要素の後に上記１次順次音声光学データコンテンツ内の少なくとも１つの一時停止を指定するように構成される、文脈的印指定器を備える、項目１７８に記載の文脈的順次音声光学データ読み込み装置。
（項目１８０）
上記文脈的印指定器は、ピクセル印指定器、音楽印指定器、非発話音声印指定器、ビデオフレーム印指定器、デジタルデータ印指定器、コンテンツに基づく印指定器、構造的に基づく印指定器、アルゴリズムに基づく印指定器、意味に基づく印指定器、および形式に基づく印指定器から成る群より選択される、文脈的印指定器を備える、項目１７１に記載の文脈的順次音声光学データ読み込み装置。
（項目１８１）
上記文脈的印指定器は、連続的文脈的印指定器を備える、項目１７１に記載の文脈的順次音声光学データ読み込み装置。
（項目１８２）
上記文脈的印指定器は、非連続的文脈的印指定器を備える、項目１７１に記載の文脈的順次音声光学データ読み込み装置。
（項目１８３）
上記文脈的印指定器は、可変文脈的印指定器を備える、項目１７１に記載の文脈的順次音声光学データ読み込み装置。
（項目１８４）
上記所望データ要素位置プロセッサおよび上記文脈的印位置プロセッサは、上記１次順次音声光学データコンテンツに対して原位置で位置付けるように構成される位置プロセッサを備える、項目１７１に記載の文脈的順次音声光学データ読み込み装置。
（項目１８５）
上記所望データ要素位置プロセッサおよび上記文脈的印位置プロセッサは、周囲の１次順次音声光学データコンテンツから分離するように構成される位置プロセッサを備える、項目１７１に記載の文脈的順次音声光学データ読み込み装置。
（項目１８６）
上記所望データ要素位置プロセッサおよび上記文脈的印位置プロセッサは、時間インデックス基準から独立して位置付けるように構成される位置プロセッサを備える、項目１７１に記載の文脈的順次音声光学データ読み込み装置。
（項目１８７）
上記所望データ要素位置プロセッサおよび上記文脈的印位置プロセッサは、テキストインデックス基準から独立して位置付けるように構成される位置プロセッサを備える、項目１７１に記載の文脈的順次音声光学データ読み込み装置。
（項目１８８）
上記データ要素出力は、上記所望のデータ要素に対してユーザ解釈可能な有意義に関連付けられた情報を出力するように構成されるデータ要素出力を備える、項目１７１に記載の文脈的順次音声光学データ読み込み装置。
（項目１８９）
上記ユーザ解釈可能な有意義に関連付けられた情報は、単語、語句、文、および概念的に完成した意味から成る群より選択される情報を備える、項目１７１に記載の文脈的順次音声光学データ読み込み装置。
（項目１９０）
上記データ要素出力は、上記所望のデータ要素と上記少なくとも１つの文脈的印との間の上記１次順次音声光学データコンテンツ内の実質的に全てのデータ要素を出力するように構成される、データ要素出力を備える、項目１７１に記載の文脈的順次音声光学データ読み込み装置。
（項目１９１）
２次順次音声光学データ構造と、
上記２次順次音声光学データ構造内に投入される２次順次音声光学データコンテンツと、
をさらに備える、項目１７１に記載の文脈的順次音声光学データ読み込み装置。
（項目１９２）
上記所望データ要素位置プロセッサおよび上記文脈的印位置プロセッサは、署名操作システムを備える、項目１９１に記載の文脈的順次音声光学データ読み込み装置。
（項目１９３）
上記所望データ要素位置プロセッサおよび上記文脈的印位置プロセッサは、バイト順操作システムを備える、項目１９１に記載の文脈的順次音声光学データ読み込み装置。
（項目１９４）
上記所望データ要素位置プロセッサおよび上記文脈的印位置プロセッサは、音素操作システムを備える、項目１９１に記載の文脈的順次音声光学データ読み込み装置。
（項目１９５）
発話データをユーザ生成するステップと、
音素に基づいて上記ユーザ生成発話データを自動的に分析するステップと、
音素に基づいて上記ユーザ生成発話データを自動的に分析する上記ステップに基づいて、上記ユーザ生成発話データの少なくとも１つの構成音素を自動的に識別するステップと、
上記ユーザ生成発話データの上記少なくとも１つの識別された構成音素を自動的に保存するステップと、
を含む、音素データを保存する方法。
（項目１９６）
自動的に分析する上記ステップは、オーディオグラム分析を利用するステップを含む、項目１９５に記載の音素データを保存する方法。
（項目１９７）
自動的に分析する上記ステップは、デジタル分析を利用するステップを含む、項目１９５に記載の音素データを保存する方法。
（項目１９８）
自動的に分析する上記ステップは、実質的に上記発話データがユーザ生成される時に自動的に分析するステップを含む、項目１９５に記載の音素データを保存する方法。
（項目１９９）
自動的に分析する上記ステップは、
上記ユーザ生成発話データを保存するステップと、
後に上記ユーザ生成発話データを自動的に分析するステップと、
を含む、項目１９５に記載の音素データを保存する方法。
（項目２００）
自動的に分析する上記ステップは、音素に基づいて情報の意味を上記ユーザ生成発話データに自動的に関連付けるステップを含む、項目１９５に記載の音素データを保存する方法。
（項目２０１）
自動的に分析する上記ステップは、音素に基づいて上記ユーザ生成発話データを選択的に分析するステップを含む、項目１９５に記載の音素データを保存する方法。
（項目２０２）
選択的に分析する上記ステップは、上記ユーザ生成発話データのユーザ生成選択を使用するステップを含む、項目２０１に記載の音素データを保存する方法。
（項目２０３）
選択的に分析する上記ステップは、上記ユーザ生成発話データの自動生成選択を使用するステップを含む、項目２０１に記載の音素データを保存する方法。
（項目２０４）
少なくとも１つの構成音素を自動的に識別する上記ステップは、時間インデックス基準から独立して少なくとも１つの構成音素を自動的に識別するステップを含む、項目１９５に記載の音素データを保存する方法。
（項目２０５）
少なくとも１つの構成音素を自動的に識別する上記ステップは、テキストインデックス基準から独立して少なくとも１つの構成音素を自動的に識別するステップを含む、項目１９５に記載の音素データを保存する方法。
（項目２０６）
少なくとも１つの構成音素を自動的に識別する上記ステップは、少なくとも１つの構成音素を一意的に識別するステップを含む、項目１９５に記載の音素データを保存する方法。
（項目２０７）
上記少なくとも１つの識別された構成音素を自動的に保存する上記ステップは、上記少なくとも１つの識別された構成音素をオーディオグラム形式で保存するステップを含む、項目１９５に記載の音素データを保存する方法。
（項目２０８）
上記少なくとも１つの識別された構成音素を自動的に保存する上記ステップは、上記少なくとも１つの識別された構成音素をデジタル形式で保存するステップを含む、項目１９５に記載の音素データを保存する方法。
（項目２０９）
上記少なくとも１つの識別された構成音素を自動的に保存する上記ステップは、上記少なくとも１つの識別された構成音素を長期保存するステップを含む、項目１９５に記載の音素データを保存する方法。
（項目２１０）
上記少なくとも１つの識別された構成音素を自動的に保存する上記ステップは、非出力操作のために上記少なくとも１つの識別された構成音素を保存するステップを含む、項目１９５に記載の音素データを保存する方法。
（項目２１１）
上記少なくとも１つの識別された構成音素を自動的に保存する上記ステップは、上記少なくとも１つの識別された構成音素を、上記ユーザ生成発話データに対して原位置で保存するステップを含む、項目１９５に記載の音素データを保存する方法。
（項目２１２）
上記少なくとも１つの識別された構成音素を自動的に保存する上記ステップは、上記ユーザ生成発話データに対して上記少なくとも１つの識別された構成音素を分離するステップを含む、項目１９５に記載の音素データを保存する方法。
（項目２１３）
上記少なくとも１つの識別された構成音素を自動的に保存する上記ステップは、上記少なくとも１つの識別された構成音素を発話情報単位で保存するステップを含む、項目１９５に記載の音素データを保存する方法。
（項目２１４）
上記少なくとも１つの識別された構成音素を発話情報単位で保存する上記ステップは、上記少なくとも１つの識別された構成音素を、単語、語句、文、およびユーザ解釈可能な概念的に完成した意味から成る群より選択される発話情報単位で保存するステップを含む、項目２１３に記載の音素データを保存する方法。
（項目２１５）
上記少なくとも１つの識別された構成音素を発話情報単位で保存する上記ステップは、上記少なくとも１つの識別された構成音素を、少なくとも１つの選択的に配列された発話情報単位で保存するステップを含む、項目２１３に記載の音素データを保存する方法。
（項目２１６）
上記少なくとも１つの識別された構成音素を自動的に保存する上記ステップは、関連データとともに上記少なくとも１つの識別された構成音素を自動的に保存するステップを含む、項目１９５に記載の音素データを保存する方法。
（項目２１７）
関連データとともに保存する上記ステップは、コンテンツ関連データ、構造的関連データ、アルゴリズム関連データ、意味関連データ、および形式関連データから成る群より選択される関連データとともに保存するステップを含む、項目２１６に記載の音素データを保存する方法。
（項目２１８）
上記関連データを介して上記少なくとも１つの保存された構成音素に機能性を提供するステップをさらに含む、項目２１６に記載の音素データを保存する方法。
（項目２１９）
１次順次音声光学データ構造を確立するステップと、
上記１次順次音声光学データ構造に１次順次音声光学データコンテンツを投入するステップと、
をさらに含む、項目１９５に記載の音素データを保存する方法。
（項目２２０）
２次順次音声光学データ構造を確立するステップと、
上記２次順次音声光学データ構造に２次順次音声光学データコンテンツを投入するステップと、
をさらに含む、項目２１９に記載の音素データを保存する方法。
（項目２２１）
自動的に分析する上記ステップ、自動的に識別する上記ステップ、および自動的に保存する上記ステップは、署名を使用するステップを含む、項目２２０に記載の音素データを保存する方法。
（項目２２２）
自動的に分析する上記ステップ、自動的に識別する上記ステップ、および自動的に保存する上記ステップは、バイト順を使用するステップを含む、項目２２０に記載の音素データを保存する方法。
（項目２２３）
自動的に分析する上記ステップ、自動的に識別する上記ステップ、および自動的に保存する上記ステップは、音素を使用するステップを含む、項目２２０に記載の音素データを保存する方法。
（項目２２４）
音素に基づいて発話データを自動的に分析するように構成される、自動的な音素に基づく発話データ分析プロセッサと、
発話データの少なくとも１つの構成音素を自動的に識別するように構成される、上記自動的な音素に基づく発話データ分析プロセッサに応答する自動構成音素識別プロセッサと、
発話データの少なくとも１つの構成音素を自動的に保存するように構成される、上記自動構成音素識別プロセッサに応答する自動構成音素メモリと、
を備える、音素データ保存装置。
（項目２２５）
上記自動的な音素に基づく発話データ分析プロセッサは、オーディオグラム分析プロセッサを備える、項目２２４に記載の音素データ保存装置。
（項目２２６）
上記自動的な音素に基づく発話データ分析プロセッサは、デジタル分析プロセッサを備える、項目２２４に記載の音素データ保存装置。
（項目２２７）
上記自動的な音素に基づく発話データ分析プロセッサは、上記発話データが生成される時に上記発話データを分析するように構成される自動的な音素に基づく発話データ分析プロセッサを備える、項目２２４に記載の音素データ保存装置。
（項目２２８）
上記自動的な音素に基づく発話データ分析プロセッサは、上記発話データを長期メモリに保存し、上記発話データが生成された後に上記発話データを分析するように構成される、自動的な音素に基づく発話データ分析プロセッサを備える、項目２２４に記載の音素データ保存装置。
（項目２２９）
上記自動的な音素に基づく発話データ分析プロセッサは、音素関連情報分析プロセッサを備える、項目２２４に記載の音素データ保存装置。
（項目２３０）
上記自動的な音素に基づく発話データ分析プロセッサは、選択的で自動的な音素に基づく発話データ分析プロセッサを備える、項目２２４に記載の音素データ保存装置。
（項目２３１）
上記自動的な音素に基づく発話データ分析プロセッサは、上記ユーザ生成発話データのユーザ生成選択を利用するように構成される、自動的な音素に基づく発話データ分析プロセッサを備える、項目２２４に記載の音素データ保存装置。
（項目２３２）
上記自動的な音素に基づく発話データ分析プロセッサは、上記ユーザ生成発話データの選択を自動的に生成するように構成される、自動的な音素に基づく発話データ分析プロセッサを備える、項目２２４に記載の音素データ保存装置。
（項目２３３）
上記自動構成音素識別プロセッサは、時間インデックス基準から独立して上記構成音素を識別するように構成される自動構成音素識別プロセッサを備える、項目２２４に記載の音素データ保存装置。
（項目２３４）
上記自動構成音素識別プロセッサは、テキストインデックス基準から独立して上記構成音素を識別するように構成される自動構成音素識別プロセッサを備える、項目２２４に記載の音素データ保存装置。
（項目２３５）
上記自動構成音素識別プロセッサは、上記構成音素を一意的に識別するように構成される自動構成音素識別プロセッサを備える、項目２２４に記載の音素データ保存装置。
（項目２３６）
上記自動構成音素メモリは、オーディオグラムメモリを備える、項目２２４に記載の音素データ保存装置。
（項目２３７）
上記自動構成音素メモリは、デジタルメモリを備える、項目２２４に記載の音素データ保存装置。
（項目２３８）
上記自動構成音素メモリは、長期メモリを備える、項目２２４に記載の音素データ保存装置。
（項目２３９）
上記自動構成音素メモリは、非出力操作のために上記少なくとも１つの構成音素を保存するように構成される自動構成音素メモリを備える、項目２２４に記載の音素データ保存装置。
（項目２４０）
上記自動構成音素メモリは、上記発話データに対して原位置で上記少なくとも１つの構成音素を保存するように構成される自動構成音素メモリを備える、項目２２４に記載の音素データ保存装置。
（項目２４１）
上記自動構成音素メモリは、周囲の発話データから上記少なくとも１つの構成音素を分離するように構成される自動構成音素メモリを備える、項目２２４に記載の音素データ保存装置。
（項目２４２）
上記自動構成音素メモリは、上記少なくとも１つの構成音素を発話単位情報として保存するように構成される自動構成音素メモリを備える、項目２２４に記載の音素データ保存装置。
（項目２４３）
上記発話単位情報は、単語、語句、文、および概念的に完成した意味から成る群より選択される、発話単位情報を備える、項目２４２に記載の音素データ保存装置。
（項目２４４）
上記発話単位情報は、選択的に配列された発話単位情報を備える、項目２４２に記載の音素データ保存装置。
（項目２４５）
上記自動構成音素メモリは、上記少なくとも１つの構成音素への関連情報を保存するように構成される自動構成音素メモリを備える、項目２２４に記載の音素データ保存装置。
（項目２４６）
上記関連情報は、コンテンツ関連情報、構造的関連情報、アルゴリズム関連情報、意味関連情報、および形式関連情報から成る群より選択される情報を備える、項目２４８に記載の音素データ保存装置。
（項目２４７）
上記関連情報を介して上記少なくとも１つの構成音素のための機能性を提供するように構成される、上記自動構成音素メモリに応答する関連情報機能性プロセッサをさらに備える、項目２２４に記載の音素データ保存装置。
（項目２４８）
１次順次音声光学データ構造と、
上記１次順次音声光学データ構造内に投入される１次順次音声光学データコンテンツと、
をさらに備える、項目２２４に記載の音素データ保存装置。
（項目２４９）
２次順次音声光学データ構造と、
上記２次順次音声光学データ構造内に投入される２次順次音声光学データコンテンツと、
をさらに備える、項目２４８に記載の音素データ保存装置。
（項目２５０）
上記自動的な音素に基づく発話データ分析プロセッサおよび上記自動構成音素識別プロセッサは、署名操作システムを備える、項目２４９に記載の音素データ保存装置。
（項目２５１）
上記自動的な音素に基づく発話データ分析プロセッサおよび上記自動構成音素識別プロセッサは、バイト順操作システムを備える、項目２４９に記載の音素データ保存装置。
（項目２５２）
上記自動的な音素に基づく発話データ分析プロセッサおよび上記自動構成音素識別プロセッサは、音素操作システムを備える、項目２４９に記載の音素データ保存装置。
（項目２５３）
１次音声光学データ構造を確立するステップと、
上記１次音声光学データ構造に１次音声光学データコンテンツを投入するステップと、
上記１次音声光学データコンテンツの少なくとも一部分に対して開始位置を判定するステップと、
上記１次音声光学データコンテンツの少なくとも一部分に対して停止位置を判定するステップと、
上記開始位置および上記停止位置に連携された上記１次音声光学データ構造内の上記１次音声光学データコンテンツの上記部分のための可変メモリ単位形式を選択するステップと、
上記開始位置および上記停止位置に連携された上記選択された可変メモリ単位形式を利用して、上記１次音声光学データ構造内の上記１次音声光学データコンテンツの上記部分を構造化するステップと、
を含む、音声光学データを構造化するための方法。
（項目２５４）
開始位置を判定する上記ステップは、上記１次音声光学データコンテンツの開始を判定するステップを含み、停止位置を判定する上記ステップは、上記１次音声光学データコンテンツの終了を判定するステップを含む、項目２５３に記載の音声光学データを構造化するための方法。
（項目２５５）
開始位置を判定する上記ステップは、上記１次音声光学データコンテンツの開始位置を可変的に判定するステップを含み、停止位置を判定する上記ステップは、上記１次音声光学データコンテンツの停止位置を可変的に判定するステップを含む、項目２５３に記載の音声光学データを構造化するための方法。
（項目２５６）
開始位置を判定する上記ステップ、および停止位置を判定する上記ステップは、上記開始位置および上記停止位置を所望のデータ要素に連携するステップを含む、項目２５３に記載の音声光学データを構造化するための方法。
（項目２５７）
開始位置を判定する上記ステップは、上記１次音声光学データコンテンツのバイト順開始位置を判定するステップを含み、停止位置を判定する上記ステップは、上記１次音声光学データコンテンツのバイト順停止位置を判定するステップを含む、項目２５３に記載の音声光学データを構造化するための方法。
（項目２５８）
可変メモリ単位形式を選択する上記ステップは、上記１次音声光学データコンテンツのサイズを適合させるように可変メモリ単位形式を選択するステップを含む、項目２５３に記載の音声光学データを構造化するための方法。
（項目２５９）
可変メモリ単位形式を選択する上記ステップは、上記１次音声光学データコンテンツの一部分を適合させるように可変メモリ単位形式を選択するステップを含む、項目２５３に記載の音声光学データを構造化するための方法。
（項目２６０）
可変メモリ単位形式を選択する上記ステップは、５１２バイトより小さい、および５１２バイトより大きい容量から成る群より選択される容量を有する、可変メモリ単位形式を選択するステップを含む、項目２５３に記載の音声光学データを構造化するための方法。
（項目２６１）
上記１次音声光学データコンテンツの上記部分を構造化する上記ステップは、先頭データギャップを排除するステップ、および後続データギャップを排除するステップから成る群より選択される、データギャップを排除するステップを含む、項目２５３に記載の音声光学データを構造化するための方法。
（項目２６２）
上記１次音声光学データコンテンツの上記部分を構造化する上記ステップは、上記１次音声光学データコンテンツ内のメモリ単位分割を排除するステップを含む、項目２５３に記載の音声光学データを構造化するための方法。
（項目２６３）
上記１次音声光学データコンテンツの上記部分を構造化する上記ステップは、上記１次音声光学データコンテンツの全体に単一メモリ単位を利用するステップを含む、項目２５３に記載の音声光学データを構造化するための方法。
（項目２６４）
上記１次音声光学データコンテンツの上記部分を構造化する上記ステップは、時間インデックス基準から独立して構造化するステップを含む、項目２５３に記載の音声光学データを構造化するための方法。
（項目２６５）
上記１次音声光学データコンテンツの上記部分を構造化する上記ステップは、テキストインデックス基準から独立して構造化するステップを含む、項目２５３に記載の音声光学データを構造化するための方法。
（項目２６６）
２次順次音声光学データ構造を確立するステップと、
上記２次順次音声光学データ構造に２次順次音声光学データコンテンツを投入するステップと、
をさらに含む、項目２５３に記載の音声光学データを構造化するための方法。
（項目２６７）
上記２次順次音声光学データ構造に上記開始位置のバイト位置を保存するステップと、
上記２次順次音声光学データ構造に上記停止位置のバイト位置を保存するステップと、をさらに含む、項目２６６に記載の音声光学データを構造化するための方法。
（項目２６８）
署名を使用するステップをさらに含む、項目２６６に記載の音声光学データを構造化するための方法。
（項目２６９）
バイト順を使用するステップをさらに含む、項目２６６に記載の音声光学データを構造化するための方法。
（項目２７０）
音素を使用するステップをさらに含む、項目２６６に記載の音声光学データを構造化するための方法。
（項目２７１）
１次音声光学データ構造と、
上記１次音声光学データ構造内に投入される１次音声光学データコンテンツと、
上記１次音声光学データコンテンツの少なくとも一部分に対して開始位置を判定するように構成される、開始位置判定プロセッサと、
上記１次音声光学データコンテンツの上記一部分に対して停止位置を判定するように構成される、停止位置判定プロセッサと、
上記１次音声光学データ構造内の上記１次音声光学データコンテンツの上記一部分のための可変メモリ単位形式を生成するように構成される、上記開始位置判定プロセッサおよび上記停止位置判定プロセッサに応答する可変メモリ単位形式生成器と、
上記可変メモリ単位形式生成器に応答するデータコンテンツ出力と、
を備える、音声光学データ構造化装置。
（項目２７２）
上記開始位置判定プロセッサは、上記１次音声光学データコンテンツの開始位置を判定するように構成される開始位置判定プロセッサを備え、上記停止位置判定プロセッサは、上記１次音声光学データコンテンツの終了位置を判定するように構成される停止位置判定プロセッサを備える、項目２７１に記載の音声光学データ構造化装置。
（項目２７３）
上記開始位置判定プロセッサは、可変開始位置判定プロセッサを備え、上記停止位置判定プロセッサは、可変停止位置判定プロセッサを備える、項目２７１に記載の音声光学データ構造化装置。
（項目２７４）
上記開始位置判定プロセッサは、所望データ要素を連携した開始位置判定プロセッサを備え、上記停止位置判定プロセッサは、所望データ要素を連携した停止位置判定プロセッサを備える、項目２７１に記載の音声光学データ構造化装置。
（項目２７５）
上記開始位置判定プロセッサは、バイト順を連携した開始位置判定プロセッサを備え、上記停止位置判定プロセッサは、バイト順を連携した停止位置判定プロセッサ項目２７１に記載の音声光学データ構造化装置。
（項目２７６）
上記可変メモリ単位形式生成器は、適合コンテンツサイズの可変メモリ単位形式生成器を備える、項目２７１に記載の音声光学データ構造化装置。
（項目２７７）
上記可変メモリ単位形式生成器は、適合コンテンツ部分可変メモリ単位形式生成器を備える、項目２７１に記載の音声光学データ構造化装置。
（項目２７８）
上記可変メモリ単位形式生成器は、５１２バイトより大きい容量および５１２バイトより小さい容量から成る群より選択される、メモリ単位形式を選択するように構成される可変メモリ単位形式生成器を備える、項目２７１に記載の音声光学データ構造化装置。
（項目２７９）
上記データコンテンツ出力は、先頭メモリ単位データギャップを排除するステップ、および後続メモリ単位データギャップを排除するステップから成る群より選択される、上記１次音声光学データコンテンツを構造化するように構成されるデータコンテンツ出力を備える、項目２７１に記載の音声光学データ構造化装置。
（項目２８０）
上記データコンテンツ出力は、上記１次音声光学データコンテンツ内のメモリ形式分割を排除するように構成されるデータコンテンツ出力を備える、項目２７１に記載の音声光学データ構造化装置。
（項目２８１）
上記データコンテンツ出力は、単一メモリ単位内の上記１次音声光学データコンテンツの全体を構造化するように構成されるデータコンテンツ出力を備える、項目２７１に記載の音声光学データ構造化装置。
（項目２８２）
上記データコンテンツ出力は、時間インデックス基準とは無関係に上記１次音声光学データコンテンツを構造化するように構成されるデータコンテンツ出力を備える、項目２７１に記載の音声光学データ構造化装置。
（項目２８３）
上記データコンテンツ出力は、テキストインデックス基準とは無関係に上記１次音声光学データコンテンツを構造化するように構成されるデータコンテンツ出力を備える、項目２７１に記載の音声光学データ構造化装置。
（項目２８４）
２次順次音声光学データ構造と、
上記２次順次音声光学データ構造内に投入される２次順次音声光学データコンテンツと、
をさらに備える、項目２７１に記載の音声光学データ構造化装置。
（項目２８５）
上記２次順次音声光学データ構造内に上記開始位置および上記停止位置のバイト位置情報を保存するように構成される、上記開始位置判定プロセッサおよび上記停止位置判定プロセッサに応答するバイト位置保存プロセッサをさらに備える、項目２７１に記載の音声光学データ構造化装置。
（項目２８６）
上記１次音声光学データコンテンツおよび上記２次音声光学データコンテンツを操作するように構成される、上記データコンテンツ出力に応答する署名操作システムをさらに備える、項目２７１に記載の音声光学データ構造化装置。
（項目２８７）
上記１次音声光学データコンテンツおよび上記２次音声光学データコンテンツを操作するように構成される、上記データコンテンツ出力に応答するバイト順操作システムをさらに備える、項目２７１に記載の音声光学データ構造化装置。
（項目２８８）
上記１次音声光学データコンテンツおよび上記２次音声光学データコンテンツを操作するように構成される、上記データコンテンツ出力に応答する音素操作システムをさらに備える、項目２７１に記載の音声光学データ構造化装置。
（項目２８９）
１次順次音声光学データ構造を確立するステップと、
上記１次順次音声光学データ構造に１次順次音声光学データコンテンツを投入するステップと、
統合２次順次音声光学データ構造を確立するステップと、
上記統合２次順次音声光学データ構造に統合２次順次音声光学データコンテンツを投入するステップと、
上記統合２次順次音声光学データコンテンツに関係する少なくとも１つのコンテンツ改変基準を判定するステップと、
上記少なくとも１つのコンテンツ改変基準を利用して、上記統合２次順次音声光学データコンテンツを改変するステップと、
を含む、順次音声光学データを改変するための方法。
（項目２９０）
統合２次順次音声光学データ構造を確立する上記ステップは、上記１次順次音声光学データ構造にヘッダを添付するステップを含む、項目２８９に記載の順次音声光学データを改変するための方法。
（項目２９１）
少なくとも１つのコンテンツ改変基準を判定する上記ステップは、少なくとも１つのコンテンツ改変基準をユーザ判定するステップを含む、項目２８９に記載の順次音声光学データを改変するための方法。
（項目２９２）
少なくとも１つのコンテンツ改変基準を判定する上記ステップは、少なくとも１つのコンテンツ改変基準を自動的に判定するステップを含む、項目２８９に記載の順次音声光学データを改変するための方法。
（項目２９３）
上記統合２次順次音声光学データコンテンツに関係する少なくとも１つのコンテンツ改変基準を判定する上記ステップは、コンテンツに基づいて関係付けるステップ、構造的に関係付けるステップ、アルゴリズムで関係付けるステップ、情報の意味に基づいて関係付けるステップ、および形式に基づいて関係付けるステップから成る群より選択される、関係付けるステップを含む、項目２８９に記載の順次音声光学データを改変するための方法。
（項目２９４）
少なくとも１つのコンテンツ改変基準を判定する上記ステップは、可変コンテンツ改変基準を利用するステップを含む、項目２８９に記載の順次音声光学データを改変するための方法。
（項目２９５）
上記統合２次順次音声光学データコンテンツを改変する上記ステップは、コンテンツを追加するステップ、コンテンツを削除するステップ、コンテンツを修正するステップ、コンテンツ関連付けを変更するステップ、構造サイズを拡張するステップ、および構造サイズを縮小するステップから成る群より選択される、改変するステップを含む、項目２８９に記載の順次音声光学データを改変するための方法。
（項目２９６）
上記統合２次順次音声光学データコンテンツを改変する上記ステップは、上記統合２次順次音声光学データ構造に署名コンテンツを再投入するステップを含む、項目２８９に記載の順次音声光学データを改変するための方法。
（項目２９７）
上記統合２次順次音声光学データコンテンツを改変する上記ステップは、上記統合２次順次音声光学データ構造にバイト順コンテンツを再投入するステップを含む、項目２８９に記載の順次音声光学データを改変するための方法。
（項目２９８）
上記統合２次順次音声光学データコンテンツを改変する上記ステップは、上記統合２次順次音声光学データ構造に音素コンテンツを再投入するステップを含む、項目２８９に記載の順次音声光学データを改変するための方法。
（項目２９９）
上記統合２次順次音声光学データコンテンツを改変する上記ステップは、
標準化形式を有する統合２次順次音声光学データ構造を利用するステップと、
標準化形式を有する上記統合２次順次音声光学データ構造に非標準的統合２次順次音声光学データコンテンツを再投入するステップと、
を含む、項目２８９に記載の順次音声光学データを改変するための方法。
（項目３００）
上記統合２次順次音声光学データコンテンツを改変する上記ステップは、継続的に改変するステップを含む、項目２８９に記載の順次音声光学データを改変するための方法。
（項目３０１）
継続的に改変する上記ステップは、間欠性継続的に改変するステップを含む、項目３００に記載の順次音声光学データを改変するための方法。
（項目３０２）
上記継続的改変の履歴を維持するステップをさらに含む、項目３００に記載の順次音声光学データを改変するための方法。
（項目３０３）
継続的に改変する上記ステップを介して、上記統合２次順次音声光学データ構造の機能性を拡張するステップを含む、をさらに含む、項目３００に記載の順次音声光学データを改変するための方法。
（項目３０４）
上記統合２次順次音声光学データコンテンツを改変する上記ステップは、上記統合２次順次音声光学データ構造を繋止するステップを含む、項目２８９に記載の順次音声光学データを改変するための方法。
（項目３０５）
上記統合２次順次音声光学データコンテンツを改変する上記ステップは、上記統合２次順次音声光学データ構造を解除するステップを含む、項目２８９に記載の順次音声光学データを改変するための方法。
（項目３０６）
上記統合２次順次音声光学データコンテンツを改変する上記ステップの間に、任意の残りの上記統合２次順次音声光学データコンテンツの完全性を保全するステップをさらに含む、項目２８９に記載の順次音声光学データを改変するための方法。
（項目３０７）
少なくとも１つのコンテンツ改変基準を判定する上記ステップ、および上記統合２次順次音声光学データコンテンツを改変する上記ステップは、署名を利用するステップを含む、項目２８９に記載の順次音声光学データを改変するための方法。
（項目３０８）
少なくとも１つのコンテンツ改変基準を判定する上記ステップ、および上記統合２次順次音声光学データコンテンツを改変する上記ステップは、バイト順を利用するステップを含む、項目２８９に記載の順次音声光学データを改変するための方法。
（項目３０９）
少なくとも１つのコンテンツ改変基準を判定する上記ステップ、および上記統合２次順次音声光学データコンテンツを改変する上記ステップは、音素を利用するステップを含む、項目２８９に記載の順次音声光学データを改変するための方法。
（項目３１０）
１次順次音声光学データ構造と、
上記１次順次音声光学データ構造内に投入される１次順次音声光学データコンテンツと、
統合２次順次音声光学データ構造と、
上記統合２次順次音声光学データ構造内に投入される統合２次順次音声光学データコンテンツと、
上記統合２次順次音声光学データコンテンツに関係する少なくとも１つのコンテンツ改変基準を判定するように構成される、コンテンツ改変基準生成器と、
上記統合２次順次音声光学データコンテンツを改変するように構成される、上記コンテンツ改変基準生成器に応答するコンテンツ改変プロセッサと、
を備える、順次音声光学データ改変装置。
（項目３１１）
上記統合２次順次音声光学データ構造は、添付ヘッダを備える、項目３１０に記載の順次音声光学データ改変装置。
（項目３１２）
上記コンテンツ改変基準生成器は、ユーザ判定コンテンツ改変基準を利用するように構成されるコンテンツ改変基準生成器を備える、項目３１０に記載の順次音声光学データ改変装置。
（項目３１３）
上記コンテンツ改変基準生成器は、コンテンツ改変基準を自動的に生成するように構成されるコンテンツ改変基準生成器を備える、項目３１０に記載の順次音声光学データ改変装置。
（項目３１４）
上記コンテンツ改変基準生成器は、コンテンツに基づいて関係付ける、構造的に関係付けるステップ、アルゴリズムで関係付けるステップ、意味で関係付けるステップ、および形式で関係付けるステップから成る群より選択される、関係付けるように構成されるコンテンツ改変基準生成器を備える、項目３１０に記載の順次音声光学データ改変装置。
（項目３１５）
上記コンテンツ改変基準生成器は、可変コンテンツ改変基準生成器を備える、項目３１０に記載の順次音声光学データ改変装置。
（項目３１６）
上記コンテンツ改変プロセッサは、上記２次順次音声光学データコンテンツにコンテンツを追加するステップ、上記２次順次音声光学データコンテンツからコンテンツを削除するステップ、上記２次順次音声光学データコンテンツを修正するステップ、上記２次順次音声光学データコンテンツ構造を拡張するステップ、上記２次順次音声光学データコンテンツ構造を縮小するステップ、および上記２次順次音声光学データコンテンツの少なくとも１つのデータ関連付けを変更するステップから成る群より選択される、改変するように構成されるコンテンツ改変プロセッサを備える、項目３１０に記載の順次音声光学データ改変装置。
（項目３１７）
上記コンテンツ改変プロセッサは、署名コンテンツ改変プロセッサを備える、項目３１０に記載の順次音声光学データ改変装置。
（項目３１８）
上記コンテンツ改変プロセッサは、バイト順コンテンツ改変プロセッサを備える、項目３１０に記載の順次音声光学データ改変装置。
（項目３１９）
上記コンテンツ改変プロセッサは、音素コンテンツ改変プロセッサを備える、項目３１０に記載の順次音声光学データ改変装置。
（項目３２０）
上記コンテンツ改変プロセッサは、標準化２次順次音声光学データ構造を利用し、上記標準化２次順次音声光学データ構造に非標準的２次順次音声光学データコンテンツを投入するように構成される、コンテンツ改変プロセッサを備える、
項目３１０に記載の順次音声光学データ改変装置。
（項目３２１）
上記コンテンツ改変プロセッサは、継続的コンテンツ改変プロセッサを備える、項目３１０に記載の順次音声光学データ改変装置。
（項目３２２）
上記継続的コンテンツ改変プロセッサは、間欠性継続的コンテンツ改変プロセッサを備える、項目３２１に記載の順次音声光学データ改変装置。
（項目３２３）
上記継続的コンテンツ改変プロセッサに応答する改変履歴編集プロセッサをさらに備える、項目３２１に記載の順次音声光学データ改変装置。
（項目３２４）
上記継続的コンテンツ改変を介して統合２次順次音声光学データコンテンツの機能性を拡張するように構成される、上記継続的コンテンツ改変プロセッサに応答する改変コンテンツ拡張機能性プロセッサをさらに備える、項目３２１に記載の順次音声光学データ改変装置。
（項目３２５）
上記コンテンツ改変プロセッサは、繋止型コンテンツ改変プロセッサを備える、項目３１０に記載の順次音声光学データ改変装置。
（項目３２６）
上記コンテンツ改変プロセッサは、解除型コンテンツ改変プロセッサを備える、項目３１０に記載の順次音声光学データ改変装置。
（項目３２７）
上記コンテンツ改変プロセッサに応答する、残余データ完全性保全プロセッサをさらに備える、項目３１０に記載の順次音声光学データ改変装置。
（項目３２８）
上記コンテンツ改変基準生成器および上記コンテンツ改変プロセッサは、署名操作システムを備える、項目３１０に記載の順次音声光学データ改変装置。
（項目３２９）
上記コンテンツ改変基準生成器および上記コンテンツ改変プロセッサは、バイト順操作システムを備える、項目３１０に記載の順次音声光学データ改変装置。
（項目３３０）
上記コンテンツ改変基準生成器および上記コンテンツ改変プロセッサは、音素操作システムを備える、項目３１０に記載の順次音声光学データ改変装置。
（項目３３１）
１次順次音声光学データ構造を確立する上記ステップは、．ｗａｖファイル、．ｍｐｇファイル、．ａｖｉファイル、．ｗｍｖファイル、．ｒａファイル、．ｍｐ３ファイル、および．ｆｌａｃファイルから成る群より選択される、１次順次音声光学データ構造を確立するステップを含む、項目１、３９、６９、９９、１４７、２１９、２５３、または２８９に記載の方法。
（項目３３２）
２次順次音声光学データ構造を確立する上記ステップは、．ｉｄ３ファイル、．ｘｍｌファイル、および．ｅｘｉｆファイルから成る群より選択される、２次順次音声光学データ構造を確立するステップを含む、項目１、３９、６９、１２１、１６７、２２０、２６６、または２８９に記載の方法。
（項目３３３）
２次順次音声光学データ構造を確立する上記ステップは、統合２次順次音声光学データ構造を確立するステップを含む、項目１、３９、１２１、１６７、２２０、または２６６に記載の方法。
（項目３３４）
２次順次音声光学データ構造を確立する上記ステップは、バイト位置情報を含むステップを含む、項目１、３９、６９、１２１、１６７、２２０、２６６、または２８９に記載の方法。
（項目３３５）
バイト位置情報を含む上記ステップは、バイトテーブルを含むステップを含む、項目３３４に記載の方法。
（項目３３６）
２次順次音声光学データ構造を確立する上記ステップは、署名情報を含むステップを含む、項目１、３９、６９、１２１、１６７、２２０、２６６、または２８９に記載の方法。
（項目３３７）
２次順次音声光学データ構造を確立する上記ステップは、音素情報を含むステップを含む、項目１、３９、６９、１２１、１６７、２２０、２６６、または２８９に記載の方法。
（項目３３８）
２次順次音声光学データ構造を確立する上記ステップは、多重線協働２次順次音声光学データ構造を確立するステップを含む、項目１、３９、６９、１２１、１６７、２２０、２６６、または２８９に記載の方法。
（項目３３９）
上記多重線協働２次順次音声光学データ構造の少なくとも２つの線の間の協働データ相互作用を提供するステップをさらに含む、項目３３８に記載の方法。
（項目３４０）
協働データ相互作用を提供する上記ステップの結果として、上記１次順次音声光学データコンテンツにおける機能性を作成するステップをさらに含む、項目３３９に記載の方法。
（項目３４１）
２次順次音声光学データ構造を確立する上記ステップは、上記２次順次音声光学データ構造を事前成形するステップを含む、項目１、３９、６９、１２１、１６７、２２０、２６６、または２８９に記載の方法。
（項目３４２）
上記２次順次音声光学データ構造を事前成形する上記ステップは、事前成形入力のためにユーザに指示するステップを含む、項目３４１に記載の方法。
（項目３４３）
事前成形入力のためにユーザに指示する上記ステップは、発話入力のためにユーザに指示するステップを含む、項目３４２に記載の方法。
（項目３４４）
２次順次音声光学データ構造を確立する上記ステップは、上記２次順次音声光学データ構造を事後成形するステップを含む、項目１、３９、６９、１２１、１６７、２２０、２６６、または２８９に記載の方法。
（項目３４５）
上記２次順次音声光学データ構造を事後成形する上記ステップは、上記１次順次音声光学データ構造からの音声の回収データコンテンツで上記２次順次音声光学データ構造を成形するステップを含む、項目３４４に記載の方法。
（項目３４６）
上記２次順次音声光学データ構造に２次順次音声光学データコンテンツを投入する上記ステップは、概念的コンテンツを投入するステップを含む、項目１、３９、６９、１２１、１６７、２２０、２６６、または２８９に記載の方法。
（項目３４７）
上記２次順次音声光学データ構造に２次順次音声光学データコンテンツを投入する上記ステップは、非時間インデックスコンテンツを投入するステップを含む、項目１、３９、６９、１２１、１６７、２２０、２６６、または２８９に記載の方法。
（項目３４８）
上記２次順次音声光学データ構造に２次順次音声光学データコンテンツを投入する上記ステップは、非テキストインデックスコンテンツを投入するステップを含む、項目１、３９、６９、１２１、１６７、２２０、２６６、または２８９に記載の方法。
（項目３４９）
上記２次順次音声光学データ構造に２次順次音声光学データコンテンツを投入する上記ステップは、メタデータコンテンツを投入するステップを含む、項目１、３９、６９、１２１、１６７、２２０、２６６、または２８９に記載の方法。
（項目３５０）
上記１次順次音声光学データ構造に１次順次音声光学データコンテンツを投入する上記ステップは、音素コンテンツ、発話コンテンツ、音声コンテンツ、音楽コンテンツ、非発話音声コンテンツ、ビデオコンテンツ、およびスライドショーコンテンツから成る群より選択されるコンテンツを投入するステップを含む、項目１、３９、６９、１２１、１６７、２２０、２６６、または２８９に記載の方法。
（項目３５１）
署名を利用する上記ステップは、テキスト署名、音素署名、ピクセル署名、音楽署名、非発話音声署名、ビデオフレーム署名、およびデジタルデータ署名から成る群より選択される署名を利用するステップを含む、項目１８、５１、８１、１２２、１６８、２２１、２６８、または３０７に記載の方法。
（項目３５２）
署名を利用する上記ステップは、コンテンツ解釈的署名を利用するステップを含む、項目１８、５１、８１、１２２、１６８、２２１、２６８、または３０７に記載の方法。
（項目３５３）
署名を利用する上記ステップは、上記２次順次音声光学データコンテンツ内の署名を上記１次順次音声光学データコンテンツに関係付けるステップを含む、項目１８、５１、８１、１２２、１６８、２２１、２６８、または３０７に記載の方法。
（項目３５４）
関係付ける上記ステップは、直接関係付けるステップ、アルゴリズムで関係付けるステップ、階層的に関係付けるステップ、概念的に関係付けるステップ、構造的に関係付けるステップ、コンテンツに基づいて関係付けるステップ、および形式に基づいて関係付けるステップから成る群より選択される、関係付けるステップを含む、項目３５３に記載の方法。
（項目３５５）
署名を利用する上記ステップは、基準署名を利用するステップを含む、項目１８、５１、８１、１２２、１６８、２２１、２６８、または３０７に記載の方法。
（項目３５６）
基準署名を利用する上記ステップは、基準音素を利用するステップを含む、項目１８、５１、８１、１２２、１６８、２２１、２６８、または３０７に記載の方法。
（項目３５７）
上記署名をリアルタイムで生成するステップをさらに含む、項目１８、５１、８１、１２２、１６８、２２１、２６８、または３０７に記載の方法。
（項目３５８）
上記署名を事後時間で生成するステップをさらに含む、項目１８、５１、８１、１２２、１６８、２２１、２６８、または３０７に記載の方法。
（項目３５９）
ユーザ発話入力から直接、デジタル署名出力を生成するステップをさらに含む、項目１８、５１、８１、１２２、１６８、２２１、２６８、または３０７に記載の方法。
（項目３６０）
署名を利用する上記ステップは、上記署名をユーザ定義するステップを含む、項目１８、５１、８１、１２２、１６８、２２１、２６８、または３０７に記載の方法。
（項目３６１）
署名を利用する上記ステップは、上記署名を自動的に生成するステップを含み、上記２次順次音声光学データ構造内に上記自動生成署名を配置するステップをさらに含む、項目１８、５１、８１、１２２、１６８、２２１、２６８、または３０７に記載の方法。
（項目３６２）
上記署名を自動的に生成する上記ステップは、１次データコンテンツおよび２次データコンテンツから成る群より選択されるデータコンテンツから上記署名を自動的に生成するステップを含む、項目３６１に記載の方法。
（項目３６３）
バイト順を利用する上記ステップは、単語順を利用するステップを含む、項目５２、８２、１６９、２２２、２６９、または３０８に記載の方法。
（項目３６４）
バイト順を利用する上記ステップは、上記バイト順を上記１次順次音声光学データコンテンツの意味を有する情報に連携するステップを含む、項目５２、８２、１６９、２２２、２６９、または３０８に記載の方法。
（項目３６５）
バイト順を利用する上記ステップは、ユーザ生成入力から上記バイト順を作成するステップを含む、項目５２、８２、１６９、２２２、２６９、または３０８に記載の方法。
（項目３６６）
バイト順を利用する上記ステップは、上記バイト順を自動的に生成するステップを含む、項目５２、８２、１６９、２２２、２６９、または３０８に記載の方法。
（項目３６７）
バイト順を利用する上記ステップは、
上記１次順次音声光学データコンテンツ内に上記バイト順のバイト位置を位置付けるステップと、
上記２次順次音声光学データコンテンツ内に上記バイト位置を保存するステップと、
を含む、項目５２、８２、１６９、２２２、２６９、または３０８に記載の方法。
（項目３６８）
バイト順を利用する上記ステップは、
上記２次音声光学データコンテンツ内に保存された上記バイト順のためにバイト位置を読み込むステップと、
上記１次順次音声光学データコンテンツ内に上記バイト順を位置付けるステップと、
を含む、項目５２、８２、１６９、２２２、２６９、または３０８に記載の方法。
（項目３６９）
バイト順を利用する上記ステップは、上記１次順次音声光学データコンテンツのバイト順を上記２次順次音声光学データコンテンツに関係付けるステップを含む、項目５２、８２、１６９、２２２、２６９、または３０８に記載の方法。
（項目３７０）
関係付ける上記ステップは、直接関係付けるステップ、アルゴリズムで関係付けるステップ、階層的に関係付けるステップ、概念的に関係付けるステップ、構造的に関係付けるステップ、コンテンツに基づいて関係付けるステップ、および形式に基づいて関係付けるステップから成る群より選択される、関係付けるステップを含む、項目３６９に記載の方法。
（項目３７１）
バイト順を利用する上記ステップは、上記１次順次音声光学データコンテンツにおけるバイト順の少なくとも１つの属性を、上記２次順次音声光学データコンテンツにおけるバイト順の少なくとも１つの属性と比較するステップを含む、項目５２、８２、１６９、２２２、２６９、または３０８に記載の方法。
（項目３７２）
比較する上記ステップは、上記１次順次音声光学データコンテンツの再生速度よりも速い速度で比較するステップを含む、項目３７１に記載の方法。
（項目３７３）
比較する上記ステップは、比較する上記ステップを達成するために使用される計算デバイスの処理速度を効率的に利用するステップを含む、項目３７１に記載の方法。
（項目３７４）
比較する上記ステップは、上記１次順次音声光学データコンテンツのバイト順を、上記２次順次音声光学データコンテンツのバイト順と順次比較するステップを含む、項目３７１に記載の方法。
（項目３７５）
比較する上記ステップは、直接比較するステップ、アルゴリズムで比較するステップ、階層的に比較するステップ、概念的に比較するステップ、構造的に比較するステップ、コンテンツに基づいて比較するステップ、および形式に基づいて比較するステップから成る群より選択される、比較するステップを含む、項目３７１に記載の方法。
（項目３７６）
音素を利用する上記ステップは、
上記１次順次音声光学データコンテンツ内に上記音素の位置を位置付けるステップと、
上記２次順次音声光学データコンテンツ内に上記位置を保存するステップと、
を含む、項目２０、５３、８３、１２４、１７０、２２３、２７０、または３０９に記載の方法。
（項目３７７）
音素を利用する上記ステップは、
上記２次音声光学データコンテンツ内に保存された上記音素のために位置を読み込むステップと、
上記１次順次音声光学データコンテンツ内に上記音素を位置付けるステップと、
を含む、項目２０、５３、８３、１２４、１７０、２２３、２７０、または３０９に記載の方法。
（項目３７８）
音素を利用する上記ステップは、上記１次順次音声光学データコンテンツにおける音素を上記２次順次音声光学データコンテンツにおける音素に関係付けるステップを含む、項目２０、５３、８３、１２４、１７０、２２３、２７０、または３０９に記載の方法。
（項目３７９）
関係付ける上記ステップは、直接関係付けるステップ、アルゴリズムで関係付けるステップ、階層的に関係付けるステップ、概念的に関係付けるステップ、構造的に関係付けるステップ、コンテンツに基づいて関係付けるステップ、および形式に基づいて関係付けるステップから成る群より選択される、関係付けるステップを含む、項目３７８に記載の方法。
（項目３８０）
音素を利用する上記ステップは、上記１次順次音声光学データコンテンツにおける音素の少なくとも１つの属性を、上記２次順次音声光学データコンテンツにおける音素の少なくとも１つの属性と比較するステップを含む、項目２０、５３、８３、１２４、１７０、２２３、２７０、または３０９に記載の方法。
（項目３８１）
比較する上記ステップは、直接比較するステップ、アルゴリズムで比較するステップ、階層的に比較するステップ、概念的に比較するステップ、構造的に比較するステップ、コンテンツに基づいて比較するステップ、および形式に基づいて比較するステップから成る群より選択される、比較するステップを含む、項目３８０に記載の方法。
（項目３８２）
比較する上記ステップは、上記１次順次音声光学データコンテンツにおける音素の少なくとも１つの属性を、上記２次順次音声光学データコンテンツにおける基準音素の少なくとも１つの属性と比較するステップを含む、項目３８０に記載の方法。
（項目３８３）
文法セットから基準音素文法を選択するステップをさらに含む、項目３８２に記載の方法。
（項目３８４）
文法セットから選択する上記ステップは、コンテンツ標的化した所定の語彙リストから選択するステップを含む、項目３８３に記載の方法。
（項目３８５）
比較する上記ステップは、ツリー形式で組織化した文法セットを使用するステップを含む、項目３８３に記載の方法。
（項目３８６）
ツリー形式で組織化した文法セットを使用する上記ステップは、
第１に、高可能性文法を試験するステップと、
第２に、特定の音素認識に個々の文法のサブセットを使用するステップと、
を含む、項目３８５に記載の方法。
（項目３８７）
比較する上記ステップは、音素順を比較するステップを含む、項目３８０に記載の方法。
（項目３８８）
音素順を比較する上記ステップは、上記１次順次音声光学データコンテンツにおける音素順を、上記２次順次音声光学データコンテンツの音素順と順次比較するステップを含む、項目３８７に記載の方法。
（項目３８９）
比較する上記ステップは、音素表示を作成するステップを含む、項目３８０に記載の方法。
（項目３９０）
音素表示を作成する上記ステップは、ユーザ生成音素表示を利用するステップを含む、項目３８９に記載の方法。
（項目３９１）
音素表示を作成する上記ステップは、音素表示を自動的に生成するステップを含む、項目３８９に記載の方法。
（項目３９２）
音素表示を作成する上記ステップは、基準音素を利用するステップを含む、項目３８９に記載の方法。
（項目３９３）
２次順次音声光学データ構造を確立する上記ステップは、統合２次順次音声光学データ構造を確立するステップを含む、項目１、３９、１２１、１６７、２２０、または２６６に記載の方法。
（項目３９４）
統合２次順次音声光学データ構造を確立する上記ステップは、上記１次順次音声光学データ構造にヘッダを添付するステップを含む、項目３９３に記載の方法。
（項目３９５）
上記１次順次音声光学データコンテンツを非解釈型方式で保存するステップと、
上記２次順次音声光学データ構造を介して、上記保存された１次順次音声光学データコンテンツに機能性を提供するステップと、
をさらに含む、項目１、３９、６９、１２１、１６７、２２０、２６６、または２８９に記載の方法。
（項目３９６）
機能性を提供する上記ステップは、
上記１次順次音声光学データコンテンツを閉鎖するステップと、
上記２次順次音声光学データコンテンツを探索するステップと、
上記２次順次音声光学データコンテンツ内に保存された上記１次順次音声光学データコンテンツの所望のデータ要素の位置を選択するステップと、
上記１次順次音声光学データコンテンツを開放するステップと、
上記所望のデータ要素のみを読み込むステップと、
を含む、項目３９５に記載の方法。
（項目３９７）
機能性を提供する上記ステップは、
上記１次順次音声光学データコンテンツの所望の断片を位置付けるために上記２次順次音声光学データコンテンツを利用するステップと、
上記１次順次音声光学データコンテンツの上記断片のみを操作するステップと、
を含む、項目３９５に記載の方法。
（項目３９８）
１次順次音声光学データ構造を確立する上記ステップは、連結１次順次音声光学データ構造を確立するステップを含む、項目１、３９、６９、１２１、１６７、２２０、２６６、または２８９に記載の方法。
（項目３９９）
連結１次順次音声光学データ構造を確立する上記ステップは、リアルタイムで確立するステップを含む、項目３９８に記載の方法。
（項目４００）
連結１次順次音声光学データ構造を確立する上記ステップは、複数の異種１次順次音声光学データ構造を連結させるステップを含む、項目３９８に記載の方法。
（項目４０１）
ピアツーピア環境で少なくとも１つの上記ステップを実施するステップをさらに含む、項目１、３９、６９、９９、１４７、１９５、２５３、または２８９に記載の方法。
（項目４０２）
クライアント・サーバ環境で少なくとも１つの上記ステップを実施するステップをさらに含む、項目１、３９、６９、９９、１４７、１９５、２５３、または２８９に記載の方法。
（項目４０３）
実施する上記ステップは、サーバ位置で上記ステップの少なくとも一部分を実施するステップを含む、項目４０２に記載の方法。
（項目４０４）
実施する上記ステップは、クライアント位置で上記ステップの少なくとも一部分を実施するステップを含む、項目４０２に記載の方法。
（項目４０５）
実施する上記ステップは、セッション初期化プロトコルを利用するステップをさらに含む、項目４０４に記載の方法。
（項目４０６）
セッション初期化プロトコルを利用するステップをさらに含む、項目１、３９、６９、９９、１４７、１９５、２５３、または２８９に記載の方法。
（項目４０７）
上記１次順次音声光学データ構造は、．ｗａｖファイル、．ｍｐｇファイル、．ａｖｉファイル、．ｗｍｖファイル、．ｒａファイル、．ｍｐ３ファイル、および．ｆｌａｃファイルから成る群より選択される、データ構造を備える、項目２０、５４、８４、１２４、１７１、２４８、２７１、または３１０に記載の装置。
（項目４０８）
上記２次順次音声光学データ構造は、．ｉｄ３ファイル、．ｘｍｌファイル、および．ｅｘｉｆファイルから成る群より選択される、データ構造を備える、項目２０、５４、８４、１４４、１９１、２４９、２８４、または３１０に記載の装置。
（項目４０９）
上記２次順次音声光学データ構造は、統合２次順次音声光学データ構造を備える、項目２０、５４、８４、１４４、１９１、２４９、２８４、または３１０に記載の装置。
（項目４１０）
上記２次順次音声光学データ構造は、バイト位置情報を含有する、項目２０、５４、８４、１４４、１９１、２４９、２８４、または３１０に記載の装置。
（項目４１１）
上記バイト位置情報は、バイトテーブルを備える、項目２０、５４、８４、１４４、１９１、２４９、２８４、または３１０に記載の装置。
（項目４１２）
上記２次順次音声光学データ構造は、署名情報を含有する、項目２０、５４、８４、１４４、１９１、２４９、２８４、または３１０に記載の装置。
（項目４１３）
上記２次順次音声光学データ構造は、音素情報を含有する、項目２０、５４、８４、１４４、１９１、２４９、２８４、または３１０に記載の装置。
（項目４１４）
上記２次順次音声光学データ構造は、多重線協働データ構造を備える、項目２０、５４、８４、１４４、１９１、２４９、２８４、または３１０に記載の装置。
（項目４１５）
上記２次順次音声光学データ構造は、事前成形データ構造を備える、項目２０、５４、８４、１４４、１９１、２４９、２８４、または３１０に記載の装置。
（項目４１６）
上記事前成形データ構造は、ユーザ指示した事前成形データ構造を備える、項目４１５に記載の装置。
（項目４１７）
上記ユーザ指示した事前成形データ構造は、発話指示した事前成形データ構造を備える、項目４１５に記載の装置。
（項目４１８）
上記２次順次音声光学データ構造は、事後成形データ構造を備える、項目２０、５４、８４、１４４、１９１、２４９、２８４、または３１０に記載の装置。
（項目４１９）
上記事後成形データ構造は、データ回収によって成形される事後成形データ構造を備える、項目４１８に記載の装置。
（項目４２０）
上記２次順次音声光学データコンテンツは、概念的データコンテンツを備える、項目２０、５４、８４、１４４、１９１、２４９、２８４、または３１０に記載の装置。
（項目４２１）
上記２次順次音声光学データコンテンツは、非時間インデックスデータコンテンツを備える、項目２０、５４、８４、１４４、１９１、２４９、２８４、または３１０に記載の装置。
（項目４２２）
上記２次順次音声光学データコンテンツは、非テキストインデックスデータコンテンツを備える、項目２０、５４、８４、１４４、１９１、２４９、２８４、または３１０に記載の装置。
（項目４２３）
上記２次順次音声光学データコンテンツは、メタデータコンテンツを備える、項目２０、５４、８４、１４４、１９１、２４９、２８４、または３１０に記載の装置。
（項目４２４）
上記１次順次音声光学データコンテンツは、音素コンテンツ、発話コンテンツ、音声コンテンツ、音楽コンテンツ、非発話音声コンテンツ、ビデオコンテンツ、およびスライドショーコンテンツから成る群より選択される、コンテンツを備える、項目２０、５４、８４、１４４、１９１、２４９、２８４、または３１０に記載の装置。
（項目４２５）
上記署名は、テキスト署名、音素署名、ピクセル署名、音楽署名、非発話音声署名、ビデオフレーム署名、およびデジタルデータ署名から成る群より選択される、署名を備える、項目３８、６６、９６、１４５、１９２、２５０、２８６、または３２８に記載の装置。
（項目４２６）
上記署名は、コンテンツ解釈的署名を備える、項目３８、６６、９６、１４５、１９２、２５０、２８６、または３２８に記載の装置。
（項目４２７）
上記署名操作システムは、上記２次順次音声光学データコンテンツ内の署名を上記１次順次音声光学データコンテンツに関係付けるように構成される署名操作システムを備える、項目３８、６６、９６、１４５、１９２、２５０、２８６、または３２８に記載の装置。
（項目４２８）
関係付けるように構成される上記署名操作システムは、直接関係付けるステップ、アルゴリズムで関係付けるステップ、階層的に関係付けるステップ、概念的に関係付けるステップ、構造的に関係付けるステップ、コンテンツに基づいて関係付けるステップ、および形式に基づいて関係付けるステップから成る群より選択される、関係付けるように構成される署名操作システムを備える、項目３８、６６、９６、１４５、１９２、２５０、２８６、または３２８に記載の装置。
（項目４２９）
上記署名は、基準署名を備える、項目３８、６６、９６、１４５、１９２、２５０、２８６、または３２８に記載の装置。
（項目４３０）
上記基準署名は、基準音素を備える、項目４２９に記載の装置。
（項目４３１）
上記署名は、リアルタイム生成署名を備える、項目３８、６６、９６、１４５、１９２、２５０、２８６、または３２８に記載の装置。
（項目４３２）
上記署名は、事後時間生成署名を備える、項目３８、６６、９６、１４５、１９２、２５０、２８６、または３２８に記載の装置。
（項目４３３）
発話入力から直接、少なくとも１つのデジタル署名を生成するように構成される、上記署名操作システムに応答するデジタル出力生成器をさらに備える、項目３８、６６、９６、１４５、１９２、２５０、２８６、または３２８に記載の装置。
（項目４３４）
上記署名は、ユーザ定義署名を備える、項目３８、６６、９６、１４５、１９２、２５０、２８６、または３２８に記載の装置。
（項目４３５）
上記署名は、自動的生成署名を備え、上記２次順次音声光学データ構造内に上記自動的生成署名を配置するように構成される、２次配置プロセッサをさらに備える、項目３８、６６、９６、１４５、１９２、２５０、２８６、または３２８に記載の装置。
（項目４３６）
上記自動的生成署名は、１次データコンテンツから自動的に生成される署名、および２次データコンテンツから自動的に生成される署名から成る群より選択される、自動生成署名を備える、項目４３５に記載の装置。
（項目４３７）
上記バイト順は、単語順を備える、項目６７、９７、１９３、２５１、２８７、または３２９に記載の装置。
（項目４３８）
上記バイト順は、有意義な情報を連携したバイト順を備える、項目６７、９７、１９３、２５１、２８７、または３２９に記載の装置。
（項目４３９）
上記バイト順は、ユーザ入力から生成されるバイト順を備える、項目６７、９７、１９３、２５１、２８７、または３２９に記載の装置。
（項目４４０）
上記バイト順は、自動生成バイト順を備える、項目６７、９７、１９３、２５１、２８７、または３２９に記載の装置。
（項目４４１）
上記バイト順操作システムは、
上記１次順次音声光学データコンテンツ内にバイト順を位置付けるように構成される、１次バイト順位置プロセッサと、
上記２次順次音声光学データ構造内に上記位置付けられたバイト順を保存するように構成される、上記１次バイト順位置プロセッサに応答する２次バイト順保存プロセッサと、を備える、項目６７、９７、１９３、２５１、２８７、または３２９に記載の装置。
（項目４４２）
上記バイト順操作システムは、
上記２次順次音声光学データ構造内に保存された１次順次音声光学データコンテンツのバイト順位置を読み込むように構成される、２次バイト順位置読み込みプロセッサと、
上記保存されたバイト順位置に対応して、上記１次順次音声光学データコンテンツ内にバイト順を位置付けるように構成される、上記２次バイト順位置読み込みプロセッサに応答する１次バイト順位置プロセッサと、
を備える、項目６７、９７、１９３、２５１、２８７、または３２９に記載の装置。
（項目４４３）
上記バイト順操作システムは、上記１次順次音声光学データコンテンツ内のバイト順を上記２次順次音声光学データコンテンツに関係付けるように構成される、関係バイト順プロセッサを備える、項目６７、９７、１９３、２５１、２８７、または３２９に記載の装置。
（項目４４４）
関係付けるように構成される上記関係バイト順プロセッサは、直接関係付けるステップ、アルゴリズムで関係付けるステップ、階層的に関係付けるステップ、概念的に関係付けるステップ、構造的に関係付けるステップ、コンテンツに基づいて関係付けるステップ、および形式に基づいて関係付けるステップから成る群より選択される、関係付けるように構成される関係バイト順プロセッサを備える、項目４４３に記載の装置。
（項目４４５）
上記バイト順操作システムは、上記１次順次音声光学データコンテンツ内のバイト順の少なくとも１つの属性を、上記２次順次音声光学データコンテンツ内の少なくとも１つのバイト順属性と比較するように構成される、バイト順比較器を備える、項目６７、９７、１９３、２５１、２８７、または３２９に記載の装置。
（項目４４６）
比較するように構成される上記バイト順比較器は、上記１次順次音声光学データコンテンツの再生速度よりも速い速度で比較するように構成されるバイト順比較器を備える、項目４４５に記載の装置。
（項目４４７）
比較するように構成される上記バイト順比較器は、計算デバイスの処理速度を効率的に利用するように構成されるバイト順比較器を備える、項目４４５に記載の装置。
（項目４４８）
比較するように構成される上記バイト順比較器は、上記１次順次音声光学データコンテンツのバイト順を上記２次順次音声光学データコンテンツのバイト順と順次比較するように構成される、バイト順比較器を備える、項目４４５に記載の装置。
（項目４４９）
比較するように構成される上記バイト順比較器は、直接比較するステップ、アルゴリズムで比較するステップ、階層的に比較するステップ、概念的に比較するステップ、構造的に比較するステップ、およびコンテンツに基づいて比較するステップから成る群より選択される、比較するように構成されるバイト順比較器を備える、項目４４５に記載の装置。
（項目４５０）
上記音素操作システムは、
上記１次順次音声光学データコンテンツ内に音素を位置付けるように構成される、１次音素位置プロセッサと、
上記２次順次音声光学データ構造内に上記位置付けられた音素を保存するように構成される、上記１次音素位置プロセッサに応答する２次音素保存プロセッサと、
を備える、項目４０、６８、９８、１４７、１９４、２５２、２８８、または３３０に記載の装置。
（項目４５１）
上記音素操作システムは、
上記２次順次音声光学データ構造内に保存された１次順次音声光学データコンテンツの音素位置を読み込むように構成される、２次音素置読み込みプロセッサと、
上記保存された音素位置に対応して、上記１次順次音声光学データコンテンツ内に音素を位置付けるように構成される、上記２次音素位置読み込みプロセッサに応答する１次音素位置プロセッサと、
を備える、項目４０、６８、９８、１４７、１９４、２５２、２８８、または３３０に記載の装置。
（項目４５２）
上記音素操作システムは、上記１次順次音声光学データコンテンツ内の音素を上記２次順次音声光学データコンテンツに関係付けるように構成される、関係音素プロセッサを備える、項目４０、６８、９８、１４７、１９４、２５２、２８８、または３３０に記載の装置。
（項目４５３）
上記関係音素プロセッサは、直接関係付けるステップ、アルゴリズムで関係付けるステップ、階層的に関係付けるステップ、概念的に関係付けるステップ、構造的に関係付けるステップ、コンテンツに基づいて関係付けるステップ、および形式に基づいて関係付けるステップから成る群より選択される、関係付けるように構成される関係音素プロセッサを備える、項目４５２に記載の装置。
（項目４５４）
上記音素操作システムは、上記１次順次音声光学データコンテンツ内の音素の少なくとも１つの属性を、上記２次順次音声光学データコンテンツ内の少なくとも１つの音素属性と比較するように構成される、音素比較器を備える、項目４０、６８、９８、１４７、１９４、２５２、２８８、または３３０に記載の装置。
（項目４５５）
比較するように構成される上記音素比較器は、直接比較するステップ、アルゴリズムで比較するステップ、階層的に比較するステップ、概念的に比較するステップ、構造的に比較するステップ、およびコンテンツに基づいて比較するステップから成る群より選択される、比較するように構成される音素比較器を備える、項目４５４に記載の装置。
（項目４５６）
比較するように構成される上記音素比較器は、基準音素を利用するように構成される音素比較器を備える、項目４５４に記載の装置。
（項目４５７）
基準音素を利用するように構成される上記音素比較器は、文法セットから選択される基準音素文法を利用するように構成される音素比較器を備える、項目４５６に記載の装置。
（項目４５８）
文法セットから選択される基準音素文法を利用するように構成される上記音素比較器は、コンテンツ標的化した所定の語彙リストから選択される基準音素文法を利用するように構成される音素比較器を備える、項目４５７に記載の装置。
（項目４５９）
文法セットから選択される基準音素文法を利用するように構成される上記音素比較器は、ツリー形式で組織化した文法セットから選択される基準音素文法を利用するように構成される音素比較器を備える、項目４５７に記載の装置。
（項目４６０）
ツリー形式で組織化した文法セットから選択される基準音素文法を利用するように構成される上記音素比較器は、第１に、高可能性文法を試験し、次いで、特定の音素認識に個々の文法のサブセットを使用するように構成される、音素比較器を備える、項目４５９に記載の装置。
（項目４６１）
比較するように構成される上記音素比較器は、音素順別に比較するように構成される音素比較器を備える、項目４５４に記載の装置。
（項目４６２）
音素順別に比較するように構成される上記音素比較器は、上記１次順次音声光学データコンテンツの音素順を、上記２次順次音声光学データコンテンツの音素順と順次比較するように構成される、音素比較器を備える、項目４６１に記載の装置。
（項目４６３）
音素順別に比較するように構成される上記音素比較器は、所望の発話データ要素の音素表示を作成するように構成される音素比較器を備える、項目４６１に記載の装置。
（項目４６４）
上記音素比較器は、ユーザ生成音素表示を利用するように構成される音素比較器を備える、項目４６３に記載の装置。
（項目４６５）
上記音素比較器は、自動生成音素表示を利用するように構成される音素比較器を備える、項目４６３に記載の装置。
（項目４６６）
上記音素比較器は、基準音素を利用するように構成される音素比較器を備える、項目４６３に記載の装置。
（項目４６７）
上記２次順次音声光学データ構造は、統合２次順次音声光学データ構造を備える、項目２０、５４、１４４、１９１、２４９、２８４、または３１０に記載の装置。
（項目４６８）
上記統合２次順次音声光学データ構造は、添付ヘッダを備える、項目４６７に記載の装置。
（項目４６９）
上記１次順次音声光学データコンテンツを非解釈型方式で保存するように構成される、１次コンテンツ保存プロセッサと、
上記２次順次音声光学データコンテンツを利用することによって、上記保存された１次順次音声光学データコンテンツに機能性を提供するように構成される、上記１次コンテンツ保存プロセッサに応答する２次コンテンツ機能性プロセッサと、
を備える、項目２０、５４、８４、１４４、１９１、２４８、２８４、または３１０に記載の装置。
（項目４７０）
上記２次コンテンツ機能性プロセッサは、
上記１次順次音声光学データコンテンツを閉鎖するように構成される、データコンテンツ閉鎖プロセッサと、
上記２次順次音声光学データコンテンツを利用することによって、上記１次順次音声光学データコンテンツを探索するように構成される、データコンテンツ探索プロセッサと、
所望の探索データコンテンツを選択するように構成される、データコンテンツ選択プロセッサと、
上記１次順次音声光学データコンテンツを開放するように構成される、データコンテンツ開放プロセッサと、
上記所望の探索データコンテンツのみを検索するように構成される、データコンテンツ読み込みプロセッサと、
項目４６９に記載の装置。
（項目４７１）
上記２次コンテンツ機能性プロセッサは、
上記１次順次音声光学データコンテンツの所望の断片を位置付けるように構成される、断片位置プロセッサと、
残りの上記１次順次音声光学データコンテンツとは無関係に、上記１次順次音声光学データコンテンツの所望の断片を再生するように構成される、断片再生プロセッサと、
を備える、項目４６９に記載の装置。
（項目４７２）
上記１次順次音声光学データコンテンツは、連結１次順次音声光学データコンテンツを備える、項目２０、５４、８４、１４４、１９１、２４８、２８４、または３１０に記載の装置。
（項目４７３）
上記連結１次順次音声光学データコンテンツは、リアルタイム連結１次順次音声光学データコンテンツを備える、項目４７２に記載の装置。
（項目４７４）
上記連結１次順次音声光学データコンテンツは、複数の異種連結１次順次音声光学データコンテンツを備える、項目４７２に記載の装置。
（項目４７５）
ピアツーピア環境をさらに備える、項目２０、５４、８４、１２４、１７１、２２４、２７１、または３１０に記載の装置。
（項目４７６）
クライアント・サーバ環境をさらに備える、項目２０、５４、８４、１２４、１７１、２２４、２７１、または３１０に記載の装置。
（項目４７７）
上記クライアント・サーバ環境は、サーバ位置を備える、項目４７６に記載の装置。
（項目４７８）
上記クライアント・サーバ環境は、クライアント位置を備える、項目４７６に記載の装置。
（項目４７９）
セッション初期化プロトコルをさらに備える、項目４７８に記載の装置。
（項目４８０）
セッション初期化プロトコルをさらに備える、項目２０、５４、８４、１２４、１７１、２２４、２７１、または３１０に記載の装置。
【図面の簡単な説明】
【００１６】
【図１】一実施形態における、順次音声光学補間データアクセス装置を表す図である。
【図２】一実施形態における、順次音声光学介在型データアクセス装置を表す図である。
【図３】一実施形態における、順次音声光学データ位置装置を表す図である。
【図４】一実施形態における、文脈的順次音声光学データ読み込み装置を表す図である。
【図５】一実施形態における、音素データ保存装置を表す図である。
【図６】一実施形態における、音声光学データ構造化装置を表す図である。
【図７】一実施形態における、順次音声光学データ改変装置を表す図である。
【図８】一実施形態における、多重線協働２次音声光学データ構造を表す図である。
【発明を実施するための形態】
【００１７】
本発明の技術は、種々の態様を含み、異なる方法で組み合わせられ得る。以下の説明は、要素を列挙し、本発明の技術の実施形態のうちのいくつかを記載するために提供される。これらの要素は、初期実施形態とともに列挙されるが、付加的な実施形態を作成するように、任意の方式および任意の数で組み合わせられ得ることを理解されたい。種々に記載された実施例および好ましい実施形態が、本発明の技術を、明確に記載されたシステム、技法、および用途のみに限定させると解釈されるべきではない。さらに、この説明は、任意の数の開示された要素とともに、各要素単独とともに、また、この用途または任意の後続用途における全ての要素の任意または全ての種々の置換および組み合わせとともに、全ての種々の実施形態、システム、技法、方法、デバイス、および用途の説明および請求項を支援および包含すると理解されたい。
【００１８】
種々の実施形態における本発明の技術は、データを利用するステップを伴い得る。図１から分かるように、例えば、実施形態は、１次順次音声光学データ構造（３）および２次順次音声光学データ構造（４）を確立するステップを含み得る。おそらくさらに概して、実施形態は、図６から分かるように、単純に１次音声光学データ構造（１）および２次音声光学データ構造（２）を確立するステップを含み得る。
【００１９】
同様に、図１から分かるように、実施形態は、そのようなデータ構造に１次順次音声光学データコンテンツ（７）および２次順次音声光学データコンテンツ（８）を投入するステップを含み得る。おそらくさらに概して、そのようなデータ構造は、図６から分かるように、単純に１次音声光学データコンテンツ（５）および２次音声光学データコンテンツ（６）を投入され得る。
【００２０】
おそらく図１〜図７で見られるデータ構造を含む、データ構造という用語は、データコンテンツが一貫した構造で維持され得る、任意の適切な形式を含むと理解され得る。故に、データコンテンツは、種々の実施形態においてデータ構造内に投入され得る。投入するという用語は、安定した形態でデータ構造内にデータコンテンツを単純に固定することを含むと理解され得る。さらに、データコンテンツは、１つ以上のデータ要素から成ってもよい。データ要素という用語は、おそらくデータコンテンツの一部分のみ、または適切であれば、おそらくデータコンテンツ全体さえも含む、データコンテンツの構成部分を含むと理解され得る。
【００２１】
データ構造は、おそらく図１〜図７のいくつかの実施形態について示されるデータコンテンツを含む、データ構造が適し得る任意のデータコンテンツが投入され得る。種々の実施形態では、データ構造は、音声光学データコンテンツが投入され得、それは、そのような情報のエンドユーザに音声認知可能および／または視覚認知可能のいずれか一方または両方である、情報を具現するデータコンテンツを含むと理解され得る。ある実施形態では、音声光学データコンテンツは、順次音声光学データコンテンツであり得る。順次音声光学データコンテンツは、ユーザがデータコンテンツの情報の意味の理解を獲得するために、逐次的形式でユーザによって認知されなければならない、音声光学情報を具現するデータコンテンツであると理解され得る。例えば、順次音声光学データコンテンツは、音声データ（発話データ、音楽データ、非発話音声データ等を含む、任意の数の種類の音声データ）およびビデオデータを含み得る。対照的に、画像は通常、画像の情報の理解を獲得するために視聴者に順序をもって提示されるように設計されない場合があるため、画像データは、順次音声光学データコンテンツではない場合がある。
【００２２】
種々の実施形態におけるデータコンテンツは、おそらく図１〜図７から分かるように、１次データコンテンツおよび２次データコンテンツを含み得る。１次データコンテンツは、１次情報を具現するデータコンテンツを含み得る。２次データコンテンツは、２次情報を具現するデータコンテンツを含み得、補助的位置、またはおそらく非元来の位置あるいは後で追加された位置でも含有されるような、コンテンツであってもよい。１次データコンテンツがデータ構造内に投入される時、データ構造は、１次データ構造と称され得る。１次データ構造の例は、．ｗａｖファイル、．ｍｐｇファイル、．ａｖｉファイル、．ｗｍｖファイル、．ｒａファイル、．ｍｐ３ファイル、および．ｆｌａｃファイルを含み得る。同様に、２次データコンテンツがデータ構造内に投入される時、データ構造は、２次データ構造と称され得る。２次データ構造の実施例は、．ｉｄ３ファイル、．ｘｍｌファイル、および．ｅｘｉｆファイルを含み得る。さらに、１次データ構造および２次データ構造の双方とも、圧縮または非圧縮状態で存在し得る。
【００２３】
このように、データ構造は、おそらく図１〜図７から分かるような、投入されるデータコンテンツの種類を反映するように名付けられ得ることを理解することができる。特に、実施形態は、投入される１次データコンテンツの種類を反映するように１次データ構造を名付けるステップと、２次データコンテンツが関連付けられる１次データコンテンツの種類を反映するように２次データ構造を名付けるステップとを含み得る。同様に、再度おそらく図１〜図７から分かるように、データコンテンツは、データコンテンツによって具現される情報の種類を反映するように名付けられ得ることを理解することができる。
【００２４】
本明細書で論じられるデータは、必然的に、本発明の技術を利用し得る、所与のデータ処理アプリケーションに対する任意の好適な種類であり得る。一実施例は、ボイスメールメッセージング技術を含み得、１次データコンテンツは、ボイスメールメッセージであり得、２次データコンテンツは、音声メールに関係するメタデータであり得る。別の実施例は、ビデオ映像のデータ回収を含み得、おそらく、１次データコンテンツは、多量のビデオ映像を含み得、２次データコンテンツは、ビデオ映像内の場面またはイベントに関係するメタデータを伴い得る。しかしながら、当然、これらの実施例は、利用され得るデータを例証するのみであり、本発明の技術は、これらの実施例のみに限定されない。
【００２５】
ここで図１〜図７を参照して、種々の実施形態において、２次順次音声光学データ構造（４）は、統合２次順次音声光学データ構造（４）であり得ることを理解することができる。統合という用語は単純に、１次順次音声光学データ構造（３）および２次順次音声光学データ構造（４）の両方が、通常単一の単位として保存されるように、１次順次音声光学データ構造（３）と接合される２次順次音声光学データ構造（４）を含み得る。別の言い方をすれば、統合２次順次音声光学データ構造（４）は、それらが関連する１次順次音声光学データ構造（３）とは別にインデックス付け単位またはファイルとして保存されることがないようにできる。いくつかの実施形態では、統合２次順次音声光学データ構造（４）の一例は、１次データ構造に直接添付される、添付ヘッダファイルであり得る。ボイスメールとの関連においては、例えば、ボイスメールメッセージに関するメタデータは、ボイスメールメッセージに直接添付されたヘッダファイルに含有され得る。同様に、データ回収の状況において、ビデオ映像からのデータ回収場面またはイベントは、ビデオ映像に直接添付されたヘッダファイルにメタデータとして含まれ得る。
【００２６】
関連１次音声光学データ構造（１）との所望の関係を作成するように、任意の適切な情報が２次順次音声光学データ構造（４）内に含まれ得ることを理解することができる。これはおそらく、図１〜図７の２つの長方形の間で、いくつかの実施形態について示される線によって表され得る。例えば、種々の実施形態における２次順次音声光学データ構造（４）は、１次音声光学データ構造（１）の中にデータコンテンツのバイト位置情報、１次音声光学データ構造（１）の中のデータコンテンツに関係する署名情報、または１次音声光学データ構造（１）の中のデータコンテンツに関係する音素情報さえも含み得る。バイト位置という用語は、単純に、バイトの配列内に１つまたは複数の特定のバイトの位置を含むと理解され得る。いくつかの実施形態では、２次順次音声光学データ構造（４）の中のバイト位置情報は、バイトテーブルであり得る。そのようなバイトテーブルは、当然ながら、１次順次音声光学データ構造（３）の中に位置する情報に調整するように配列される、任意の数のバイト位置を含み得る。例えば、いくつかの実施形態では、バイトテーブルは、１次データコンテンツに対するメモリ単位形式のメモリ単位（１２）の境界のためのバイト位置が投入され得る。
【００２７】
さらに、図１〜図７の長方形によっていくつかの実施形態について示され得るように、２次音声光学データ構造（２）は、その中に投入されるデータコンテンツを最も効果的に利用するのに好適な任意の形態に形式化され得る。例えば、実施形態は、おそらく一実施形態では図８によって示されるように、多重線協働２次音声光学データ構造（２）を確立するステップを伴い得る。多重線という用語は、２次音声光学データ構造（２）が、おそらく２つ以上の線入力等の２つ以上の異なる順序または項目を有し得、または、個別の協働する項目を有し得ることを理解することができる。そのような多重線は、協働データ相互作用の能力を提供し得、それによって、少なくとも１つの線からのデータコンテンツは、少なくとも１つの他の線からのデータコンテンツと相互作用して機能性を成し得ることを理解することができる。そのような機能性は概して、多重線協働２次音声光学データ構造（２）が関連付けられる１次音声光学データ構造（１）に向けられると理解され得る。
【００２８】
例えば、多重線協働２次音声光学データ構造（２）は、１つの線において１次データコンテンツのバイト位置情報を、別の線においてそのような１次データコンテンツに対する署名情報を有し得る。協働データ相互作用の１つの方法において、適切なバイト位置および署名は、関連１次データコンテンツに連携され得る。このように、署名値に対応する１次データコンテンツのバイト位置は、多重線協働２次音声光学データ構造（２）を利用するだけ等によって、判定され得る。その結果、多重線協働２次音声光学データ構造（２）は、この場合、署名値に対応する１次データコンテンツの中の情報を見つけることにより、１次データコンテンツに関して機能性を成し得る。
【００２９】
便宜上、この実施例は、多重線協働２次音声光学データ構造（２）の２つの線におけるバイト位置および署名のみを伴っているが、多重線協働２次音声光学データ構造（２）は、任意の数の関連データ構造において機能性を成すのに好適な任意の数の種類の方式で相互作用する、任意の数の種類の情報を採用する、任意の数の線または構造に従うことに留意されたい。ボイスメールの状況において、例えば、情報の１つの線は、ボイスメールメッセージ中の一単語の発生を表し得、第２の線は、ボイスメールメッセージ内の発生の位置を表し得、２つの線は、相互作用して、ユーザがボイスメールメッセージから選択された単語を識別および検索できるようにし得る。同様に、データ回収ビデオ映像の状況において、場面またはイベントの発生は、ビデオ映像内で識別され得、場面またはイベントの説が、１つの線に保存され得、場面またはイベントの位置が、第２の線に保存され得る。
【００３０】
他の実施形態では、２次音声光学データ構造（２）は、図１〜図７の長方形によっていくつかの実施形態について示され得るように、事前成形データ構造であり得る。２次音声光学データ構造（２）を事前成形するとは、データコンテンツが、所定の形態で２次音声光学データ構造（２）内に投入され得ることと理解することができる。例えば、ボイスメールメッセージから成る１次音声光学データ構造（１）に伴うように、２次音声光学データ構造（２）を事前成形するステップは、ボイスメールメッセージに伴う名前情報、アドレス情報、および件名情報等の事前成形入力をユーザに指示するステップを伴い得る。このように、事前成形２次音声光学データ構造（２）は、１次音声光学データ構造（１）の多用途性と関連性があり、かつ多用途性を強化する情報を含有することが理解できるであろう。当然ながら、この実施例は、２次音声光学データ構造（２）の事前成形が達成され得る、多種多様の実施形態の一つの簡単な例示として提供されるにすぎないことが理解され得る。例えば、ユーザに指示する実施形態では、指示するステップは、発話プロンプト、視覚プロンプト、メニュー駆動プロンプト等の、任意の好適な方式で達成され得る。さらに、ある実施形態における事前成形２次音声光学データ構造（２）は、標準化され得るため、例えば、いくつかの異なる１次音声光学データ構造（１）に関連付けられる、いくつかの異なる事前成形２次音声光学データ構造（２）さえもなお、標準化形態を有し得ることを理解することができる。そのような標準化形態は、例えば、共通形式により、任意の個別の２次音声光学データ構造（２）内に所望の情報を位置付けることをより容易にすることによって、そのような事前成形２次音声光学データ構造（２）と効率的に連動することを補助し得る。
【００３１】
実施形態はまた、図１〜図７で見られる長方形によっていくつかの実施形態について示され得るように、２次音声光学データ構造（２）を事後成形するステップを含み得る。２次音声光学データ構造（２）を事後成形するとは、データコンテンツは、すでに確立されている、または確立されつつある１次音声光学データ構造（１）に応じて、２次音声光学データ構造（２）内に投入され得るということであると理解することができる。事後成形を伴い得る一実施形態は、例えば、データ回収であり得る。データ回収は概して、ある情報の発生についてデータコンテンツを探索するステップ、およびおそらくその情報を読み出すステップが関与すると理解され得る。データ回収の実施形態では、２次音声光学データ構造（２）を事後成形するステップは、２次音声光学データ構造（２）に、１次音声光学データ構造（１）から読み出されたデータ回収コンテンツを追加するステップを伴い得る。このように、２次音声光学データ構造（２）の形式は、データ回収の努力に応じて進化し得、したがって、事後成形２次音声光学データ構造（２）となり得ることが理解できるであろう。当然ながら、データ回収のこの特定の実施例、および実際に、一般的にデータ回収の概念は、事後成形２次音声光学データ構造（２）の概念例示するのみであり、２次音声光学データ構造（２）を事後成形するステップは、当然ながら、１次音声光学データ構造（１）の機能性を活用するのに適切な任意の形を成し得ることを理解することができる。
【００３２】
図１〜図７の長方形内でいくつかの実施形態について示され得るように、種々の実施形態におけるデータコンテンツは、同様に、そのようなデータコンテンツが利用される目的に好適ないくつかの形式のうちのいずれにおいてでも利用可能であることを理解することができる。例えば、実施形態は、概念的データコンテンツ、非時間インデックスデータコンテンツ、非テキストインデックスデータコンテンツ、およびメタデータコンテンツを含み得る。概念的データコンテンツという用語は、例えば、データコンテンツとは対照的に、形式情報、位置情報、またはデータ自体の実体と関係しない他の情報を具現するだけの実質的な性質のデータコンテンツを包含すると理解され得る。非時間インデックスデータコンテンツという用語は、順番を確立するためにランタイム情報または時間に基づく機能性に依存しない順番で配列される、データコンテンツを包含すると理解され得る。非テキストインデックスデータコンテンツという用語は、コンテンツ、またはおそらく順番さえも確立するために、テキスト情報に依存しない順番で配列されるデータコンテンツを含むと理解され得る。種々の実施形態におけるデータコンテンツの例は、音素コンテンツ、発話コンテンツ、音声コンテンツ、音楽コンテンツ、非発話音声コンテンツ、ビデオコンテンツ、スライドショーコンテンツ等を含み得るが、それらに限定されない。
【００３３】
種々の実施形態はまた、図１〜図７のいくつかの実施形態について種々に示され得るように、種々の種類のデータプロセッサを含み得る。データプロセッサという用語は、おそらく、データを処理するための任意の好適なデバイスを含むと理解され得る。例えば、いくつかの実施形態では、データプロセッサは、単純に、コンピュータデータを処理するためにプログラムされたコンピュータによって利用され得るような、１つ以上のプロセッサであり得る。さらに、種々の実施形態におけるデータプロセッサはおそらく、データプロセッサによって、データプロセッサの動作を通して、またはソフトウェアサブルーチン等さえも通して実施される、少なくとも１つのデータ処理活動にしたがって命名され得る。例えば、実施形態は、識別プロセッサ、位置プロセッサ、対応プロセッサ等を含み得る。
【００３４】
さらに、種々の実施形態は、おそらく図１〜図４および図６のいくつかの実施形態について示されるように、データプロセッサに応答するデータ出力を含み得る。データ出力という用語はおそらく、データプロセッサにおいて処理された情報を出力するように構成される出力を単純に含むと理解され得る。例えば、種々の実施形態において、データ出力はおそらく、プリンタ、モニタ、スピーカ、メモリ、またはデータを出力することが可能な他のデバイスのように多様なデバイスを含み得る。いくつかの実施形態では、データ出力は、選択的データ出力であり得、それは、出力データが、１つ以上の適切な基準にしたがって選択され得ることと理解することができる。
【００３５】
ここで主として図１を参照して、実施形態は、順次音声光学データにアクセスするための方法を含み得る。種々の実施形態では、方法は、１次順次音声光学データ構造（３）を確立するステップと、１次順次音声光学データ構造（３）に１次順次音声光学データコンテンツ（７）を投入するステップと、２次順次音声光学データ構造（４）を確立するステップと、２次順次音声光学データ構造（４）に２次順次音声光学データコンテンツ（８）を投入するステップとを含み得る。これらは、図１の長方形によっていくつかの実施形態について示され得る。さらに、方法は、おそらく概念的に図示されるように、順次音声光学データアクセス装置またはプログラミングによって達成され得ることを理解することができる。
【００３６】
実施形態は、図１のいくつかの実施形態について示され得るように、１次順次音声光学データ構造（３）内に投入された、そのような１次順次音声光学データコンテンツ（７）を、メモリ単位形式（１２）で配列するステップを含み得る。メモリ単位は、例えば、おそらく、データコンテンツを、開始および停止位置、データコンテンツの部分間の中断、または他の種類のデータコンテンツ細分に細分化することによって、データコンテンツをさらに配列する、データコンテンツ構造内の基礎構造を含むと理解され得る。いくつかの実施形態では、メモリ単位形式（１２）で配列するステップは、ブロックサイズを利用するステップを備え得、おそらく、１つのブロックサイズは、単一メモリ単位として使用される。ブロックサイズは、おそらく、ある種類のデータコンテンツとの使用を対象とした、標準サイズのメモリ単位を含むと理解され得る。例えば、ファイルは、典型的には、．ｗａｖデータコンテンツにブロックサイズ配列を使用し得、ブロックサイズは、典型的には、サイズが５１２バイトであり得る。故に、実施形態は、１次順次音声光学データ構造（３）内に投入された１次順次音声光学データコンテンツ（７）が配列される、メモリ単位形式（１２）を含み得る。例えば、ボイスメールメッセージまたはビデオ映像のコンテンツは、サイズが５１２バイトのブロックに細分化される．ｗａｖファイルで具現され得る。
【００３７】
さらなる実施形態は、２次順次音声光学データコンテンツ（８）の少なくとも１つのデータ要素を、１次順次音声光学データコンテンツ（７）のメモリ単位形式（１２）内に補間された少なくとも１つの中間データ要素に関係付けるステップを含み得る。中間データ要素という用語は、メモリ単位内で中間に存在して位置付けられるデータ要素を表すと理解され得る。このように、どのように中間データ要素がメモリ単位形式（１２）内に補間され得るか理解することができる。さらに、関係付けるステップは、中間データ要素に対する効果を生成するために２次データ要素が使用され得るように、中間データ要素と２次データ要素との間に関数関係を作成するステップを伴い得る。いくつかの実施形態では、例えば、２次データ要素は、単純に、１次順次音声光学データコンテンツ（７）内の中間データ要素の位置を表し得るため、２次データ要素は、中間データ要素を位置付けるために使用され得る。故に、実施形態は、２次順次音声光学データコンテンツ（８）の少なくとも１つのデータ要素を、１次順次音声光学データコンテンツ（７）のメモリ単位形式（１２）内に補間された少なくとも１つの中間データ要素に関係付けるように構成される、関係データ要素構成（１１）を含み得る。これは、図１の点線によって、概念的にいくつかの実施形態について示され得る。
【００３８】
当然ながら、前述の内容は、１つの可能な関係を解説するのみであり、関係付けるステップは、いくつかの好適な関係のうちのいずれをも展開させるステップを伴い得ることを理解することができる。さらなる実施例は、メモリ単位形式（１２）の境界を除いて関係付けるステップを含み得、その場合、関係は、そのようなメモリ単位形式（１２）の境界に関係なく確立されるとして特徴付けられ得る。別の実施例は、メモリ単位形式（１２）の境界に重複するステップを含み得、その場合、中間データ要素の部分は、メモリ単位境界の両側上にあってもよく、関係は、重複にもかかわらず、中間データ要素の程度を表し得る。さらなる別の実施例は、一意的に関係付けるステップであり得、その場合、確立される関係は、中間データ要素に特有であり、おそらくそれを一意的に識別し得る。さらなる実施例は、メモリ単位形式（１２）から独立して関係付けるステップを含み得、その場合、関係は、メモリ単位形式（１２）を定義する基準から完全に独立した基準によって定義され得る。さらに、種々の実施形態では、関係データ要素構成（１１）は、前述の属性のうちのいずれかを包含するように構成され得ることを理解することができる。
【００３９】
実施形態は、加えて、２次順次音声光学データコンテンツ（８）の少なくとも１つの関係付けられたデータ要素を利用して、１次順次音声光学データコンテンツ（７）のメモリ単位形式（１２）内に補間された少なくとも１つの中間データ要素を位置付けるステップを伴い得る。このように２次データ要素を利用するステップは、当然ながら、おそらく本明細書に記載のように、２つのデータ要素の間で確立された関係に基づいて、中間データ要素を位置付けるステップを伴い得る。故に、種々の実施形態は、必然的に、図１の線によっていくつかの実施形態について示され得るような、かつ関係データ要素構成（１１）に関して１次順次音声光学データコンテンツ（７）のメモリ単位形式（１２）内に補間された少なくとも１つの中間データ要素を位置付けるように構成される、関係データ要素構成（１１）に応答する中間データ要素位置プロセッサ（９）を含み得る。ボイスメールメッセージの状況は、例えば、たとえメッセージが具現され得る．ｗａｖファイルのブロック内に特定の単語または語句が存在しても、メッセージ内に直接その単語または語句を位置付ける能力を伴い得る。同様に、ビデオ映像内の場面またはイベントもまた、ここでも、たとえ場面またはイベントが．ｗａｖファイルのブロック内に存在しても、そのような方式で位置付けられ得る。
【００４０】
さらに、位置付けるそのようなステップは、種々の様式で柔軟に実施され得る。例えば、中間データ要素は、原位置で位置付けられ得、周囲のデータコンテンツから分離され得、時間インデックス基準から独立して位置付けられ得、また、テキストインデックス基準から独立して位置付けられ得る。必然的に、中間データ要素位置プロセッサ（９）は、これらの属性のそれぞれを包含するように構成され得る。
【００４１】
いくつかの実施形態では、さらなるステップは、１次順次音声光学データコンテンツ（７）のメモリ単位形式（１２）内に補間された少なくとも１つの中間データ要素にアクセスするステップを伴い得る。アクセスするステップという用語は、単純に、中間データ要素を、さらなる操作、アクセス、または分析に利用可能にするステップを含むと理解され得、中間データ要素を位置付けたステップに続いて行われ得る。さらに、ある実施形態は、中間データ要素に選択的にアクセスするステップを伴い得る。
【００４２】
実施形態はさらに、図１の線によっていくつかの実施形態について示され得るように、中間データ要素位置プロセッサ（９）に応答するデータ要素出力（１０）を含み得る。種々の実施形態では、データ要素出力（１０）は、１次データコンテンツ内に補間された中間データ要素の位置を出力し得る。
【００４３】
種々の実施形態では、少なくとも１つのデータ要素を関係付けるステップ、少なくとも１つの中間データ要素を位置付けるステップ、および少なくとも１つの中間データ要素にアクセスするステップは、付加的な構成ステップを含み得る。例えば、ある実施形態におけるステップは、署名を利用するステップ、バイト順を利用するステップ、または音素を利用するステップを含み得る。さらに、種々の実施形態では、関係データ要素構成（１１）および中間データ要素位置プロセッサ（９）は、データ操作システムの部品として含まれ得る。例えば、ある実施形態では、関係データ要素構成（１１）および中間データ要素位置プロセッサ（９）は、署名操作システム（３５）、バイト順操作システム（３６）、または音素操作システム（３７）を備え得る。これは、図１の点線によって、概念的にいくつかの実施形態について示され得る。
【００４４】
ここで主として図２を参照して、実施形態は、順次音声光学データにアクセスするための方法を含み得る。種々の実施形態では、方法は、１次順次音声光学データ構造（３）を確立するステップと、１次順次音声光学データ構造（３）に１次順次音声光学データコンテンツ（７）を投入するステップと、統合２次順次音声光学データ構造（４）を確立するステップと、統合２次順次音声光学データ構造（４）に２次順次音声光学データコンテンツ（８）を投入するステップとを含み得る。これらは、図２の長方形によって、いくつかの実施形態について示され得る。さらに、種々の実施形態では、方法は、順次音声光学データアクセス装置によって達成され得ることを理解することができる。
【００４５】
実施形態は、統合２次順次音声光学データコンテンツ（８）の少なくとも１つのデータ要素を、１次順次音声光学データコンテンツ（７）の少なくとも１つのデータ要素に関係付けるステップを含み得る。これは、図２の長方形の間の線によって、いくつかの実施形態について示され得る。関係付けるステップは、２次データ要素に対して講じられるアクションが、１次データ要素に対する効果をもたらし得るように、２つのデータ要素の間で関数関係を作成するステップを伴い得る。いくつかの実施形態では、例えば、２次データ要素は、単純に、１次順次音声光学データコンテンツ（７）内の１次データ要素の位置を表し得るため、２次データ要素は、中間データ要素を位置付けるために使用され得る。故に、実施形態は、図２の点線によって、いくつかの実施形態について示され得るように、統合２次順次音声光学データコンテンツ（８）の少なくとも１つのデータ要素を、１次順次音声光学データコンテンツ（７）の少なくとも１つのデータ要素に関係付けるように構成される、関係データ要素構成（１１）を含み得る。例えば、ボイスメールメッセージは、ボイスメールメッセージ内のある単語の位置がヘッダファイルに保存される、関連ヘッダファイルを有し得る。同様に、ビデオ映像は、ある場面またはイベントの位置が保存される、関連ヘッダファイルを有し得る。
【００４６】
当然ながら、前述の内容は、１つの可能な関係を解説するのみであり、関係付けるステップは、任意の数の関係を展開させるステップを伴い得ることを理解することができる。例えば、種々の実施形態では、関係付けるステップは、一意的に関係付けるステップ、コンテンツに基づいて関係付けるステップ、構造的に関係付けるステップ、アルゴリズムで関係付けるステップ、情報の意味に基づいて関係付けるステップ、および形式に基づいて関係付けるステップを伴い得る。必然的に、種々の実施形態における関係データ要素構成（１１）は、前述の属性のうちのいずれかを包含するように構成され得る。
【００４７】
実施形態はさらに、統合２次順次音声光学データコンテンツ（８）の少なくとも１つのデータ要素を利用して、１次順次音声光学データコンテンツ（７）の少なくとも１つのデータ要素に介在的にアクセスするステップを含み得る。アクセスするステップという用語は、単純に、中間データ要素をさらなる操作に利用可能にするステップを含むと理解され得、介在的にアクセスするステップという用語は、データ構造内の境界の間のどこか等の、介在空間に位置するデータ要素にアクセスするステップを含むと理解され得る。例えば、実施形態は、単純に、１次順次音声光学データコンテンツ（７）内の開始位置を選択するステップ、１次順次音声光学データコンテンツ（７）内の停止位置を選択するステップ、および開始位置と停止位置との間のデータ要素にアクセスするステップを伴い得る。そのような開始位置および停止位置は、所与の用途のための任意の適切な基準に基づいて選択され得ることを理解することができる。いくつかの用途では、例えば、開始位置は、単純に、１次データコンテンツの開始であり得、停止位置は、単純に、１次コンテンツの終了であり得、データ要素に介在的にアクセスするステップは、単純に、１次コンテンツ内にあり、開始位置および停止位置を除くデータ要素にアクセスするステップであり得る。
【００４８】
故に、実施形態は、図２の線によって、いくつかの実施形態について示され得るような、かつ１次順次音声光学データコンテンツ（７）の少なくとも１つのデータ要素に介在的にアクセスするように構成される、関係データ要素構成（１１）に応答する介在型データ要素位置プロセッサ（１３）を含み得る。さらに、ある実施形態では、そのような介在型データ要素位置プロセッサ（１３）は、開始位置判定プロセッサ、停止位置判定プロセッサ、および中間データ要素アクセスプロセッサを含み得る。当然ながら、開始位置判定プロセッサは、１次順次音声光学データコンテンツ（７）の開始位置を判定するように構成され得、停止位置プロセッサは、１次順次音声光学データコンテンツ（７）の終了位置を判定するように構成され得る。加えて、種々の実施形態における介在型データ要素位置プロセッサ（１３）は、開始位置排他および停止位置排他介在型データ要素位置プロセッサ（１３）を含み得る。
【００４９】
さらに、種々の実施形態では、介在的にアクセスするステップは、周囲の１次順次音声光学データコンテンツ（７）に対して原位置でデータ要素にアクセスするステップ、周囲の１次順次音声光学データコンテンツ（７）からデータ要素を分離するステップ、時間インデックス基準から独立してデータ要素にアクセスするステップ、テキストインデックス基準から独立してデータ要素にアクセスするステップ、および、おそらくデータ要素に選択的にアクセスするステップを伴い得る。加えて、１次データ要素に介在的にアクセスするステップに関連して２次データ要素を利用するステップは、当然ながら、おそらく本明細書で以前に記載のように、２つのデータ要素の間で確立された関係に基づき得る。必然的に、種々の実施形態における介在型データ要素位置プロセッサ（１３）は、プログラミング、サブルーチン、または命令コード等によって、これらの属性のいずれかまたは全てを包含するように構成され得る。
【００５０】
実施形態はさらに、図２の線によって、いくつかの実施形態について示され得るように、介在型データ要素位置プロセッサ（１３）に応答するデータ要素出力（１０）を含み得る。種々の実施形態では、データ要素出力（１０）は、１次データコンテンツ内に位置するデータ要素の介在位置を出力し得る。例えば、ボイスメールメッセージの状況は、携帯電話を含み得、その場合、出力は、携帯電話の画面、携帯電話のスピーカ、またはおそらく携帯電話のメモリであり得る。同様に、データ回収ビデオ映像に対するデータ出力要素は、単純に、メモリに、またはおそらくヘッダファイルにも、データ回収コンテンツを書き込むことが可能な、読み取り／書き込みデバイスであり得る。
【００５１】
さらに、種々の実施形態では、少なくとも１つのデータ要素を関係付けるステップ、および少なくとも１つのデータ要素に介在的にアクセスするステップは、付加的な構成ステップを含み得る。例えば、ある実施形態におけるステップは、署名を利用するステップ、バイト順を利用するステップ、または音素を利用するステップを含み得る。さらに、種々の実施形態では、関係データ要素構成（１１）および介在型データ要素位置プロセッサ（１３）が、データ操作システムの部品として含まれ得る。例えば、ある実施形態では、関係データ要素構成（１１）および介在型データ要素位置プロセッサ（１３）は、署名操作システム（３５）、バイト順操作システム（３６）、または音素操作システム（３７）を備え得る。これらは、図２の点線によって、概念的にいくつかの実施形態について示され得る。
【００５２】
ここで主として図３を参照して、実施形態は、順次音声光学データを位置付けるための方法を含み得る。種々の実施形態では、方法は、１次順次音声光学データ構造（３）を確立するステップと、１次順次音声光学データ構造（３）に１次順次音声光学データコンテンツ（７）を投入するステップとを含み得る。これらは、図３の長方形によって、いくつかの実施形態について示され得る。さらに、種々の実施形態では、方法は、順次音声光学データ位置装置によって達成され得ることを理解することができる。
【００５３】
いくつかの実施形態は、１次順次音声光学データ構造（３）の１次順次音声光学データコンテンツ（７）を、バイト順で配列するステップを含み得る。バイト順という用語は、２つ以上のバイトが配列され得る順番を含むと理解され得る。図３の長方形内のいくつかの実施形態について示され得るような、そのようなバイト順配列（１４）は、データ構造の構造的要件に従う順番、コンピュータシステムの処理要件に従う順番、またはバイト順のバイトによって具現されるデータコンテンツの意味を有する情報に連携される順番を含むがそれらに限定されない、所与の用途に好適な任意の方式で配列され得ることを理解することができる。さらに、いくつかの実施形態では、バイトは、単語で配列され得、バイト順は、単語順であってもよい。故に、実施形態は、１次順次音声光学データ構造（３）内に投入された１次順次音声光学データコンテンツ（７）のバイト順配列（１４）を含み得る。
【００５４】
実施形態はさらに、１次順次音声光学データコンテンツ（７）内の位置が決定されようとする、所望のデータ要素を識別するステップを含み得る。この段階で、そのような所望のデータ要素が、データコンテンツに実際に存在するかどうかを知る必要はない場合もある。むしろ、そのような識別するステップは、おそらく、所望のデータ要素がどういうものなのかを単に確認するステップを伴い得る。故に、そのような識別するステップは、ユーザ識別する、自動的に識別する、またはおそらく一意的に識別すること等による方式を含む、所望の識別を得ることができる任意の適切な方式で達成され得ることを理解することができる。さらに、実施形態は、それに応じて、図３の１次順次音声光学データ構造（３）と関係があるいくつかの実施形態について示され得るように、所望のデータ要素識別プロセッサ（１５）を含み得、それは、当然ながら、前述の属性のいずれかを達成するように構成可能であると理解され得る。ボイスメールメッセージのための所望のデータ要素を識別するステップは、例えば、単純に、ユーザが受信を望み得る名前または電話番号を、任意の受信されたボイスメールメッセージが含有するかどうかを知ることを所望するユーザを伴い得る。データ回収ビデオ映像の状況において、所望のデータ要素を識別するステップは、例えば、昼の場面または夜の場面のみが所望のデータ要素を含有する可能性があることを判定するステップを伴い得る。
【００５５】
ある実施形態は、所望のデータ要素のバイト順表示を作成するステップを含み得る。バイト順表示という用語は、バイト順表示を識別するために使用される同じ基準も所望のデータ要素を識別する働きをするように、所望のデータ要素に十分近い同一性を有するバイト順を含むと理解され得る。バイト順表示は、所与の用途に適切な任意の方式で作成され得ることを理解することができる。例えば、実施形態は、ユーザ生成入力からバイト順表示を作成するステップを伴い得、または、バイト順表示を自動的に生成するステップを伴い得る。おそらく所望のデータ要素のバイト順が分かっている場合がある、いくつかの実施形態では、バイト順表示を作成するステップは、単純に、所望のデータ要素に対応するバイト順をコピーするステップを伴い得る。おそらく所望のデータ要素のバイト順が分かっていない場合がある、他の実施形態では、バイト順表示を作成するステップは、所望のデータ要素をモデル化するステップを伴い得る。そのようなモデル化するステップは、そのような所望のデータ要素をモデル化するのに十分な任意の好適な基準にしたがって遂行され得ることを理解することができる。さらに、バイト順表示を作成するステップは、必ずしもデータ要素全体を表示するステップを伴う必要はない。状況によっては、データ要素は、データ要素の１つ以上の構成属性に基づいて容易に区別され得る。故に、実施形態は、単純に、所望のデータ要素の属性のバイト順表示を作成するステップを伴い得る。さらに、種々の実施形態は、それに応じて、図３の線によって、いくつかの実施形態について示され得るような、かつ所望のデータ要素のバイト順表示を作成するように構成される、所望のデータ要素識別プロセッサ（１５）に応答するバイト順表示生成器（１６）を含み得る。当然ながら、そのような構成は、前述の属性のうちのいずれをもさらに含むと理解され得る。
【００５６】
いくつかの実施形態は、所望のデータ要素のバイト順表示を１次順次音声光学データコンテンツ（７）のバイト順配列（１４）と比較するステップを伴い得る。比較するステップという用語は、類似点および相違点に留意するようにバイト順表示およびバイト順配列（１４）を分析するステップを伴うと理解され得る。比較するステップは、そのような比較を達成するように任意の適切な方式で達成され得ることを理解することができる。いくつかの実施形態では、比較するステップは、バイト順別に比較するステップを伴い得る。さらに、種々の実施形態は、それに応じて、図３の線によって、いくつかの実施形態について示され得るような、かつ所望のデータ要素のバイト順表示を１次順次音声光学データコンテンツ（７）のバイト順配列（１４）と比較するように構成される、バイト順表示生成器（１６）に応答するバイト順比較器（１７）を含み得る。
【００５７】
さらに、ある実施形態では、比較するステップは、音声光学データに対して従来的に達成可能であり得る速度よりも、速い速度で達成され得る。比較するステップは、おそらくオーディオグラム比較またはテキスト比較等の従来の基準よりもむしろ、バイト順に基づいて行われ得るため、そのようなより速い速度が可能であり得る。特に、いくつかの従来の比較プロセスは、比較されている音声光学データコンテンツの再生速度に限定される場合がある。故に、実施形態は、１次順次音声光学データコンテンツ（７）の再生速度よりも速い速度でバイト順表示を比較するステップを伴い得る。さらに、音声光学データに対する従来の比較プロセスは、比較を遂行するために使用される計算デバイスの処理速度を効率的に利用しない場合がある。これは、データコンテンツが比較されている間に、従来の比較プロセスが大幅なプロセッサアイドル時間をもたらす場合があるためと思われ、再度、おそらく従来の比較基準の制限によるものである。故に、実施形態は、おそらく、バイト順別に比較することによるプロセッサアイドル時間を実質的に低減または排除するステップを含む、比較するステップを遂行するために使用される、計算デバイスの処理速度を効率的に利用するステップを伴い得る。
【００５８】
加えて、バイト順別に比較するステップは、１次順次音声光学データコンテンツ（７）のバイト順を所望のデータ要素のバイト順表示と順次比較するステップを伴い得る。いくつかの実施形態では、これは単純に、１次順次音声光学データコンテンツ（７）のバイトを順に見直し、これらのバイトを所望のデータ要素のバイト順表示と比較するステップを伴い得る。当然ながら、そのような見直すステップは、データコンテンツの順序全体、データコンテンツの選択された部分のみを伴う順序、または、例えば、おそらく比較アルゴリズムによって判定されるような、データコンテンツの不連続バイトの順序等の、任意の適切な順序で遂行され得ることを理解することができる。例えば、ボイスメールメッセージのバイト順全体は、探索されている単語に対応するバイト順表示がメッセージ内で発生し得るかどうかを確認するために、バイトごとの基準で順次見直され得る。同様に、データ回収が行われているビデオ映像の逐次比較は、その中の任意のバイトの順番が、検索されている場面またはイベントのバイト順表示に対応するかどうかを確認するために、ビデオ映像内の全バイトを逐次順で見直すステップを伴い得る。
【００５９】
さらに、比較するステップは、所与の用途に適切な任意の方式で行われ得ることを理解することができる。例えば、種々の実施形態は、直接比較するステップ、アルゴリズムで比較するステップ、階層的に比較するステップ、概念的に比較するステップ、構造的に比較するステップ、およびコンテンツに基づいて比較するステップを伴い得る。加えて、種々の実施形態におけるバイト順比較器（１７）は、当然ながら、本明細書に記載の比較の種類のいずれをも達成するように構成され得る。
【００６０】
実施形態はまた、所望のデータ要素のバイト順表示が、１次順次音声光学データコンテンツ（７）内の少なくとも１つのバイト順位置に対応するかどうかを判定するステップを伴い得る。必然的に、いくつかの実施形態におけるそのような判定は、所望のデータ要素を識別するステップ、バイト順表示を作成するステップ、記載のようにバイト順表示を比較するステップを利用して行われ得る。さらに、特定の種類の対応が、所与の用途に好適であり得る、任意の基準に基づいて選択され得、位置パラメータもまた、所与の用途に好適であり得る、任意の基準に基づいて選択され得る。例えば、いくつかの実施形態では、そのような判定は、単純に、バイト順表示を少なくとも１つのバイト順位置に適合させることによって行われ得る。ここでも、適合が存在すると断定するための特定の基準は、所用の用途の必要性を満たすように選択され得る。他の実施形態では、判定するステップは、１次順次音声光学データコンテンツ（７）に対して原位置で判定するステップと、周囲の１次順次音声光学データコンテンツ（７）からバイト順位置を分離するステップと、時間インデックス基準から独立して判定するステップと、テキストインデックス基準から独立して判定するステップとを含み得る。故に、種々の実施形態は、図３の線によって、いくつかの実施形態について示され得るような、かつ所望のデータ要素のバイト順表示が１次順次音声光学データコンテンツ（７）内の少なくとも１つのバイト順位置に対応するかどうかを判定するように構成される、バイト順比較器（１７）に応答する対応プロセッサ（１８）を含み得る。当然ながら、そのような対応プロセッサ（１８）は、前述の属性のうちのいずれをも含むように構成可能であると理解され得る。
【００６１】
ある実施形態はまた、１次順次音声光学データコンテンツ（７）内の所望のデータ要素の位置を推測するステップを含み得る。このステップは単純に、所望のデータ要素を識別するステップ、バイト順表示を作成するステップ、バイト順表示を比較するステップ、および対応を判定するステップに続いて行われ得、所望のデータ要素が判定される位置において１次順次音声光学データコンテンツ（７）内に存在すると断定するための基準を単に提供し得る。必然的に、実施形態はまた、データ要素出力（１０）に接続された図３の線によって、いくつかの実施形態について示され得るように、所望のデータ要素位置推測プロセッサ（１９）を含み得る。例えば、ボイスメールメッセージの中の所望の単語、またはビデオ映像内の所望の場面あるいはイベントに対するバイト順が、同バイト順のバイト順表示に対応すると決定されると、所望の情報がその位置においてボイスメールメッセージまたはビデオ映像内で見出され得ると推測することが可能であり得る。
【００６２】
実施形態はさらに、図３の線によって、いくつかの実施形態について示され得るように、対応プロセッサ（１８）に応答するデータ要素出力（１０）を含み得る。種々の実施形態では、データ要素出力（１０）は、おそらく本明細書に記載のように、バイト順表示がバイト順位置に実際に対応するかどうかに関して、対応情報を出力し得る。
【００６３】
さらに、種々の実施形態では、所望のデータ要素を識別するステップ、バイト順表示を作成するステップ、バイト順表示を比較するステップ、およびバイト順表示が対応するかどうかを判定するステップは、付加的な構成ステップを含み得る。例えば、ある実施形態におけるステップは、署名を利用するステップ、バイト順を利用するステップ、または音素を利用するステップを含み得る。さらに、種々の実施形態では、所望のデータ要素識別プロセッサ（１５）、バイト順表示生成器（１６）、バイト順比較器（１７）、および対応プロセッサ（１８）は、データ操作システムの部品として含まれ得る。例えば、ある実施形態では、所望のデータ要素識別プロセッサ（１５）、バイト順表示生成器（１６）、バイト順比較器（１７）、および対応プロセッサ（１８）は、署名操作システム（３５）または音素操作システム（３７）を備え得る。これは、図３の点線によって、概念的にいくつかの実施形態について示され得る。
【００６４】
ここで主として図４を参照して、実施形態は、文脈的順次音声光学データを検索するための方法を含み得る。種々の実施形態では、方法は、１次順次音声光学データ構造（３）を確立するステップと、１次順次音声光学データ構造（３）に１次順次音声光学データコンテンツ（７）を投入するステップとを含み得る。これらは、図４の長方形によって、いくつかの実施形態について示され得る。さらに、種々の実施形態において、方法は、文脈的順次音声光学データ読み込み装置によって達成され得ることを理解することができる。
【００６５】
ある実施形態は、１次順次音声光学データコンテンツ（７）内の関連文脈的順次音声光学データコンテンツが読み込まれようとする、１次順次音声光学データコンテンツ（７）の所望のデータ要素を識別するステップを伴い得る。この識別するステップは、おそらく、データ要素がデータコンテンツの中に実際に存在するかどうか確実に知ることさえなく、データ要素がデータコンテンツ内で探索され得るように、そのようなデータ要素がどのようなものであるかを単純に確認するステップを伴い得る。この識別するステップは、おそらく、所望のデータ要素をユーザ識別するステップ、または所望のデータ要素を自動的に識別するステップを含む、任意の好適な方式で達成され得ると理解することができる。加えて、そのような所望のデータ要素は、例えば、ピクセルデータ要素、音楽データ要素、非発話音声データ要素、ビデオフレームデータ要素、デジタルデータ要素、音素データ要素等を含む、任意の好適な種類の所望のデータコンテンツであってもよいと理解することができる。
【００６６】
さらに、関連文脈的コンテンツという用語は、所望のデータ要素に対する文脈的な意味を提供する、データコンテンツを含むと理解され得る。文脈的コンテンツの実施例は、単語が現れる文、文が現れる段落、ビデオフレームが現れる場面等を含み得る。当然ながら、これらの例は、文脈的コンテンツの概念を説明するのみであり、文脈的コンテンツは、所与の用途にとって任意の好適な種類のコンテンツであってもよいことを理解することができる。さらに、種々の実施形態は、それに応じて、図４の１次順次音声光学データ構造（３）に接続された、いくつかの実施例について示され得るような、所望のデータ要素識別プロセッサ（１５）を含み得、それは、必然的に前述の属性のうちのいずれかを含むように構成され得る。特定の単語の発生が探求され得るボイスメールメッセージでは、例えば、関連文脈的コンテンツは、おそらく単語が現れる文、またはおそらく単語が特定の名前または位置の隣に現れる文のみを含み得る。ビデオ映像のデータ回収は、例えば、夜の場面を示唆するピクセル値を有するビデオフレームを探索し、次いで、同じ夜の場面の示唆ビデオフレームと同じピクセル値を有する、全ての先行および追随ビデオフレームを識別するステップを含み得る。
【００６７】
いくつかの実施形態は、所望のデータ要素に関係する少なくとも１つの文脈的印を定義するステップを伴い得る。文脈的印という用語は、所望のデータ要素に関連性があり得る文脈的データコンテンツを示すことが可能な、任意の指標を含むと理解され得る。定義するステップという用語は、文脈的印は、所望の形態または方式で、所望のデータ要素に関係する文脈的コンテンツを返すのに適した任意の適切な基準によって、定義され得ることであると理解することができる。例えば、文脈的印を定義するステップは、音素に基づく文脈的印を定義するステップを伴い得、文脈的印は、単純に、音素または音素の組み合わせであり得る。そのような定義するステップは、所望のデータ要素の前の、データコンテンツ内の音素に基づく文脈的印の少なくとも１つの発生を定義し、所望のデータ要素の後の、データコンテンツ内の音素に基づく文脈的印の少なくとも１つの発生を定義するステップを含み得る。
【００６８】
別の実施例では、文脈的印を定義するステップは、一時停止に基づく文脈的印を定義するステップを伴い得る。一時停止という用語は、例えば、発話における一時停止、音楽における一時停止、デジタルデータのストリームにおける一時停止等のような、データコンテンツにおける任意の適切な一時停止を含むと理解され得る。そのような定義するステップは、所望のデータ要素の前の、データコンテンツ内の一時停止に基づく文脈的印の少なくとも１つの発生を定義し、所望のデータ要素の後の、データコンテンツ内の一時停止に基づく文脈的印の少なくとも１つの発生を定義するステップを含み得る。例えば、ボイスメールメッセージにおける単語の発生を探索するステップは、単語を見出し、次いで、その中で単語が現れる文または語句を読み込むために、単語の前に発生する第１の一時停止まで戻り、および単語の後に発生する第１の一時停止まで進むステップを伴い得る。
【００６９】
さらになる実施例は、文脈的印を、ピクセルに基づく印、音楽に基づく印、非発話音声に基づく印、ビデオに基づく印、デジタルに基づく印、コンテンツに基づく印、構造に基づく印、アルゴリズムに基づく印、意味に基づく印、形式に基づく印等であると定義するステップを含み得る。加えて、文脈的印を定義するステップは、所望のデータ要素に対して文脈的印を連続的に定義するステップ、または非連続的に定義するステップを伴い得る。連続的に定義するステップという用語は、所望のデータ要素に対してデータコンテンツの連続接続部分内で発生する文脈的印を定義するステップを含むと理解され得る一方で、非連続的に定義するステップという用語は、おそらく、介在する無関係のデータコンテンツによって、そのようなデータコンテンツ内の所望のデータ要素から分離される文脈的印を定義するステップを含むと理解され得る。さらに、文脈的印は、可変入力に基づいて変動され得ることを理解することができる。例えば、そのような可変入力は、種々の実施形態において、文脈的印の形態、所望のデータ要素に対する文脈的印の位置等を特定し得る。当然ながら、種々の実施形態は、それに応じて、図４の線によって、いくつかの実施例について示され得るような、かつ所望のデータ要素に関係する少なくとも１つの文脈的印を指定するように構成される、所望のデータ要素識別プロセッサ（１５）に応答する文脈的印指定器（２０）を含み得る。必然的に、そのような文脈的印指定器（２０）は、種々の実施形態において、本明細書に記載の方式のいずれかで文脈的印を定義するステップを含むように構成され得る。
【００７０】
実施形態はさらに、１次順次音声光学データコンテンツ（７）内に所望のデータ要素を位置付けるステップと、そのような１次順次音声光学データコンテンツ（７）内に所望のデータ要素に関係する文脈的印を位置付けるステップとを含み得る。必然的に、実施形態は、前述のように、所望のデータ要素を識別するステップ、および少なくとも１つの文脈的印を定義するステップにしたがって、そのような位置付けるステップを遂行し得る。例えば、文脈的印が音素である場合、位置付けるステップは、所望のデータ要素を位置付け、次いで、所望のデータ要素に対し、かつ音素印が定義された基準に一致する、音素印のなんらかの発生を位置付けるステップを伴い得る。同様に、文脈的印が一時停止である場合、位置付けるステップは、所望のデータ要素を位置付け、次いで、所望のデータ要素に対し、かつ一時停止印が定義された基準に一致する、一時停止印のなんらかの発生を位置付けるステップを伴い得る。
【００７１】
しかしながら、これらの実施例は、位置付けるステップが遂行され得る方式を例示するのみであり、その位置付けるステップは、所与の用途に適切な、任意の好適な方式で遂行され得ることが理解されるであろう。例えば、位置付けるステップは、周囲のデータコンテンツに対して原位置で所望のデータ要素および文脈的印を位置付けるステップ、周囲のデータコンテンツから所望のデータ要素および文脈的印を分離するステップ、時間インデックス基準から独立して所望のデータ要素および文脈的印を位置付けるステップ、テキストインデックス基準から独立して所望のデータ要素および文脈的印を位置付けるステップ等を伴い得る。
【００７２】
故に、実施形態は、図４の線によって、いくつかの実施例について示され得るような、かつ１次順次音声光学データコンテンツ（７）内に所望のデータ要素を位置付けるように構成される、所望のデータ要素識別プロセッサ（１５）に応答する所望のデータ要素位置プロセッサ（２１）、ならびに、図４の線によって、いくつかの実施例について示され得るような、かつ１次順次音声光学データコンテンツ（７）内に所望のデータ要素に関係する少なくとも１つの文脈的印を位置付けるように構成される、所望のデータ要素位置プロセッサ（２１）に応答する文脈的印位置プロセッサ（２２）を含み得る。さらに、そのような所望のデータ要素位置プロセッサ（２１）および文脈的印位置プロセッサ（２２）は、必然的に、本明細書に記載の属性のいずれかを含むようにさらに構成され得る。
【００７３】
いくつかの実施形態はさらに、少なくとも１つの文脈的印を利用することによって、関連文脈的順次音声光学データコンテンツ内の所望のデータ要素を読み込むステップを伴い得る。そのような読み込みのステップは、例えばおそらく、ユーザ解釈可能な形式で、その関連文脈的コンテンツとともに所望のデータ要素をユーザに提示することによって、おそらく単純に、所望のデータ要素を、その関連文脈的コンテンツによるさらなる操作またはアクセスに利用可能にするステップを含むと理解され得る。いくつかの実施形態では、この読み込みのステップは、単純に、本明細書に記載のように、所望のデータ要素を位置付けるステップ、および文脈的印を位置付けるステップに続いて行われ得る。例えば、文脈的印が音素である場合、文脈的コンテンツは、おそらく、音素印および所望のデータ要素の位置に対する位置に基づいて読み込み得る。同様に、文脈的印が一時停止である場合、文脈的コンテンツは、おそらく、一時停止印および所望のデータ要素の位置に対する位置に基づいて読み込み得る。ビデオ映像のデータ回収を行う時、例えば、場面またはイベントの発生は、おそらく、関係付けられた先行または追随ビデオフレームとの関連で読み込み得るため、場面またはイベントは、場面またはイベントが発生した文脈内で視聴者によって見直され得る。
【００７４】
しかしながら、これらの実施例は、文脈的データが読み込まれ得る方式を例示するのみであり、そのような読み込みは、所与の用途に適切な、任意の好適な方式で、文脈的印を利用することによって遂行され得ることが理解されるであろう。例えば、実施形態は、種々の配列において文脈的データコンテンツを読み込むステップを伴い得る。いくつかの実施形態は、所望のデータ要素と文脈的印との間の実質的に全てのデータ要素を読み込むステップを含み得る一方で、他の実施形態は、例えば、場合によっては、複数の文脈的印が使用され、文脈的コンテンツが印に近接して位置付けられるコンテンツであると定義される時に、データコンテンツの異種部分を読み込むステップを伴い得る。実施例はさらに、ユーザ解釈可能な有意義に関連付けられた情報、例えば、単語、語句、文、および概念的に完成した意味を具現する他のユーザ解釈可能なコンテンツの形で、文脈的コンテンツを読み込むステップを含み得る。これらの実施例が示すように、文脈的印は、種々の実施形態において、高度の多用途性で文脈的データコンテンツを読み込むために使用され得る。
【００７５】
実施形態はさらに、図４の線によって、いくつかの実施例について示され得るように、所望のデータ要素位置プロセッサ（２１）および文脈的印位置プロセッサ（２２）に応答するデータ要素出力（１０）を含み得る。種々の実施形態では、そのようなデータ要素出力（１０）は、関連文脈的順次音声光学データコンテンツ内の所望のデータ要素を出力するように構成され得る。例えば、そのような出力は、所望のデータ要素に対するユーザ解釈可能な有意義に関連付けられた情報を含み得、それはおそらく、実施形態では、単語、語句、文、またはおそらく他の種類の概念的に完成した意味を含み得る。さらなる実施例は、所望のデータ要素と少なくとも１つの文脈的印との間の１次順次音声光学データコンテンツ（７）内の、おそらく実質的に全てのデータ要素を出力するステップを含み得る。さらに、前述の実施例は、例示的にすぎず、種々の実施形態におけるデータ要素出力（１０）は、本明細書で記載され得るように、任意の文脈的コンテンツを出力するように構成され得ることを理解することができる。例えば、ボイスメールメッセージの状況は、携帯電話を含み得、その場合、出力は、携帯電話の画面、携帯電話のスピーカ、またはおそらく携帯電話のメモリであり得る。同様に、データ回収ビデオ映像に対するデータ出力要素は、単純に、メモリに、またはおそらくヘッダファイルにも、データ回収コンテンツを書き込むことが可能な、読み取り／書き込みデバイスであり得る。
【００７６】
さらに、種々の実施形態では、所望のデータ要素を位置付けるステップ、文脈的印を位置付けるステップ、および関連文脈的データコンテンツ内の所望のデータ要素を読み込むステップは、付加的な構成ステップを含み得る。例えば、ある実施形態におけるステップは、署名を利用するステップ、バイト順を利用するステップ、または音素を利用するステップを含み得る。さらに、種々の実施形態では、所望のデータ要素位置プロセッサ（２１）および文脈的印位置プロセッサ（２２）が、データ操作システムの部品として含まれ得る。例えば、ある実施形態では、所望のデータ要素位置プロセッサ（２１）および文脈的印位置プロセッサ（２２）は、署名操作システム（３５）、バイト順操作システム（３６）、または音素操作システム（３７）を備え得る。これらは、図４の点線によって、概念的にいくつかの実施形態について示され得る。
【００７７】
ここで主として図５を参照して、実施形態は、音素データを保存するための方法を含み得る。種々の実施形態では、方法は、あるアクションを自動的に行うステップを伴い得る。自動的という用語は、アクションが、例えば、おそらく自動機械またはプログラムされたコンピュータによって行われ得るように、実質的に人の介入なしで行われることと理解され得る。さらに、種々の実施形態において、方法は、音素データ保存装置を含み得ることを理解することができる。
【００７８】
ある実施形態は、発話データをユーザ生成するステップ、および音素に基づいてユーザ生成発話データを自動的に分析するステップを伴い得る。音素に基づいて分析するとは、分析は、発話に対応するか、または発話内で発生する音素の使用を組み込み得ることと理解することができる。さらに、そのような分析は、音素基準を利用するステップに一致する、任意の数の形態または方式で達成され得ることを理解することができる。例えば、そのような分析は、オーディオグラム分析を利用するステップを伴い得、それはおそらく、オーディオグラムを音素と相関させるステップを含み得る。別の実施例では、そのような分析は、デジタル分析を利用するステップを伴い得、それはおそらく、デジタルデータを音素と相関させるステップを含み得る。さらなる実施例では、そのような分析は、実質的に発話が生成される時に音素分析を伴い得、または、発話を保存し、後で音素を分析するステップを伴い得る。実施例はまた、おそらく分析するために発話のユーザ生成選択を使用することによって、または、おそらく分析するために発話の自動生成選択を選択することによって、音素を選択的に分析するステップを含み得る。当然ながら、それに応じて、種々の実施形態は、１次順次音声光学データ構造（３）に接続された図５のいくつかの実施例について示され得るように、音素に基づいて発話データを自動的に分析するように構成される、自動的な音素に基づく発話データ分析プロセッサ（２３）を含み得る。必然的に、そのような音素に基づく発話データ分析プロセッサは、前述の属性のうちのいずれかを包含するように構成され得る。例えば、ボイスメールメッセージに関して、自動的な音素に基づく発話データ分析プロセッサは、記録されたメッセージを構成する構成音素を調べることによって、記録されたボイスメールメッセージにおける発話を分析し得る。
【００７９】
実施形態はさらに、音素に基づいてユーザ生成発話データを自動的に分析するステップに基づいて、ユーザ生成発話データの少なくとも１つの構成音素を自動的に識別するステップを伴い得る。構成音素は、その音素の性質によって認識される、発話の音素コンテンツを含むと理解され得る。特に、構成音素は、発話に対応する単なる音声データと区別され得、おそらく、音声データが音素の発生と偶然に一致し得る場合でさえも、音声データは、音素に特異的に関連付けられない。さらに、音素の性質によって特異的に認識されることの質は、音声情報に対応するアナログ波動関数に基づいて音声ファイルを処理する時に発生し得るような、音声のみに基づいて発話コンテンツを処理するステップとおそらく区別され得るように、種々の実施形態における構成音素が、音素に基づいて処理されることを可能にし得る。当然ながら、それに応じて、種々の実施形態は、図５の線によって、いくつかの実施例について示され得るような、かつ発話データの少なくとも１つの構成音素を自動的に識別するように構成される、自動的な音素に基づく発話データ分析プロセッサ（２３）に応答する自動構成音素識別プロセッサ（２４）を含み得る。
【００８０】
識別するステップという用語は、他の音素コンテンツとは別の、そのような構成音素を認識する能力を作成するステップを伴うと理解され得る。必然的に、そのような識別は、分析するステップ中に展開された属性に基づいて、構成音素を識別するステップを伴い得る。しかしながら、そのような識別は、音素に基づいて識別するステップに一致する、任意の好適な形態または方式で達成され得ることを理解することができる。例えば、種々の実施形態における識別するステップは、時間インデックス基準から独立して識別するステップ、テキストインデックス基準から独立して識別するステップ、または構成音素を一意的に識別するステップを伴い得る。当然ながら、種々の実施形態における自動構成音素識別プロセッサ（２４）は、前述の属性のうちのいずれかを包含するように構成され得る。
【００８１】
種々の実施形態は、ユーザ生成発話データの構成音素を自動的に保存するステップを伴い得る。保存するステップという用語は、安定した形で構成音素に対応する情報を維持するステップを含むと理解され得るため、構成音素は、さらなる操作のために、後で実質的に原型を保って読み込み得る。種々の実施形態では、保存するステップは、コンピュータＲＡＭ保存等のプロセスによって例示され得るような、一時保存を伴い得、またはおそらく、データベース保存等のプロセスによって例示され得るような、長期保存を伴い得る。必然的に、それに応じて、実施形態は、図５の線によって、いくつかの実施例について示され得るような、かつ発話データの少なくとも１つの構成音素を自動的に保存するように構成される、自動構成音素識別プロセッサ（２４）に応答する自動構成音素メモリ（２５）を含み得る。
【００８２】
ある実施形態では、保存するステップは、少なくとも１つの構成音素を発話情報単位として保存するステップを伴い得る。発話情報単位という用語は、発話として提示される時に、単位として、概念的に完成した意味を有する情報を含むと理解され得る。例えば、発話情報単位は、単語、語句、文、口頭表現、またはおそらく、任意の他のユーザ解釈可能な概念的に完成した意味を含み得るが、それらに限定されない。故に、発話情報単位は、いくつかの音素であって、実際には、発話情報単位に一貫した意味を与えるために必要とされる必要数の音素で構成され得ることが理解できるであろう。さらに、いくつかの実施形態は、おそらく、そのような発話情報単位を利用する所与の用途に対する任意の好適な基準にしたがって選択的に配列される、複数の発話情報単位を利用し得る。
【００８３】
実施形態はまた、関連データとともに構成音素を自動的に保存するステップを含み得る。例えば、ある実施形態は、２次順次音声光学データ構造（４）に構成音素に関連付けられたデータを保存するステップ、またはおそらく、図５の長方形によって、いくつかの実施例について示され得るように、１次順次音声光学データ構造（３）におけるデータに関連して、２次順次音声光学データ構造（４）に構成音素自体を保存するステップさえも伴い得る。そのような関連データは、構成音素を伴う所与の用途に適した、任意の種類であってもよいことを理解することができる。例えば、種々の実施形態では、そのような関連データは、コンテンツ関連データ、構造的関連データ、アルゴリズム関連データ、意味関連データ、形式関連データ等を含み得るが、それらに限定されない。さらに、種々の実施形態は、関連データを介して、そのような保存された構成音素に機能性を提供するステップを伴い得る。そのような機能性は、おそらく本明細書の他の場所で記載され得るように、保存された構成音素に関する情報または保存された構成音素に関連性がある結果を生成する、関連データに対するアクションを講じるステップを含み得る。
【００８４】
いくつかの実施形態は、非出力操作のために構成音素を保存するステップを伴い得る。出力操作という用語は、すでに実行されているデータ処理イベントに対する出力のみとして、音素を利用するステップを伴うと理解され得る。音素の出力操作の一実施例は、発話認識技術を伴い得、おそらく、テキストに基づいて選択された単語を識別するために、テキスト処理が使用され、次いで、ユーザが単語を可聴発話として聞くことができるように、単語は、音素に変換されて出力される。対照的に、非出力操作は、単にデータ処理イベントの終結後の出力としてではなく、データ処理イベント自体において音素を操作するステップを伴い得る。これに関して、いくつかの実施形態では、音素の同一性に基づいて、音素が認識可能および操作可能であることをデータ処理が必要とし得る程度まで、非出力操作のために保存される音素は、構成音素であってもよいことを理解することができる。故に、種々の実施形態における保存するステップは、非出力操作のために構成音素を保存するステップを促進するように保存基準を選択するステップを伴い得る。例えば、ボイスメールメッセージは、記録された発話の構成音素に基づいて保存され得る。次いで、構成音素は、特定の単語または語句を識別するように構成音素を比較するステップ、または文脈的コンテンツを定義するために構成音素を使用するステップ等の、データ操作で使用され得る。以上から分かるように、構成音素の使用は、記録された発話の可聴再生のみに限定されない。
【００８５】
当然ながら、これらの実施例は、構成音素が保存され得る形態および方式に関する、ある態様を解説することのみを目的としている。構成音素は、構成音素が利用される所与の用途に適した任意の方式で保存され得ることを理解することができる。例えば、種々の実施形態では、構成音素を保存するステップは、オーディオグラム形式で保存するステップ、デジタル形式で保存するステップ、長期で保存するステップ、発話コンテンツに対して原位置で保存するステップ、周囲の発話コンテンツから分離するステップ等を伴い得る。さらに、種々の実施形態における自動構成音素メモリ（２５）は、当然ながら、本明細書に記載の保存する態様のうちのいずれかを包含するように構成され得る。
【００８６】
さらに、種々の実施形態では、自動的に分析するステップ、自動的に識別するステップ、および自動的に保存するステップは、付加的な構成ステップを含み得る。例えば、ある実施形態におけるステップは、署名を利用するステップ、バイト順を利用するステップ、または音素を利用するステップを含み得る。さらに、種々の実施形態では、自動的な音素に基づく発話データ分析プロセッサ（２３）および自動構成音素識別プロセッサ（２４）は、データ操作システムの部品として含まれ得る。例えば、ある実施形態では、自動的な音素に基づく発話データ分析プロセッサ（２３）および自動構成音素識別プロセッサ（２４）は、署名操作システム（３５）、バイト順操作システム（３６）、または音素操作システム（３７）を備え得る。これらは、図５の点線によって、概念的にいくつかの実施形態について示され得る。
【００８７】
ここで主として図６を参照して、実施形態は、音声光学データを構造化するための方法を含み得る。種々の実施形態では、該方法は、１次音声光学データ構造（１）を確立するステップと、１次音声光学データ構造（１）に１次順次音声光学データコンテンツ（７）を投入するステップとを含み得る。これらは、図６の長方形によって、いくつかの実施形態について示され得る。さらに、種々の実施形態では、該方法は、音声光学データ構造化装置によって達成され得る。
【００８８】
種々の実施形態は、１次音声光学データコンテンツ（５）の少なくとも一部分に対して開始位置および停止位置を判定するステップを含み得る。開始位置および停止位置という用語は、単純に、特定の目的で画定されるデータコンテンツの部分、例えば、開始位置と停止位置との間にあるデータコンテンツの部分を定義するステップを含むと理解され得る。種々の実施形態では、そのような開始位置および停止位置は、おそらく、データコンテンツの連続性を乱すことなく、そのようなデータコンテンツと共存し得、またはおそらく、データコンテンツの分離を作成して開始または停止位置を定義し得る。判定するステップは、データコンテンツの開始位置および停止位置への画定をもたらし得る、任意のアクションを含むと理解され得る。このように、開始または停止位置を作成するのに適した、任意の技術が利用され得ることを理解することができる。故に、種々の実施形態は、必然的に、図６の線によって、いくつかの実施形態について示され得るように、１次音声光学データコンテンツ（５）の少なくとも一部分に対して開始位置を判定するように構成される開始位置判定プロセッサ（２７）と、１次音声光学データコンテンツ（５）のそのような部分に対して停止位置を判定するように構成される停止位置判定プロセッサ（２８）とを含み得る。加えて、いくつかの実施形態は、図６の線によって、いくつかの実施形態について示され得るような、かつ２次音声光学データ構造（２）内にそのような開始位置および停止位置のバイト位置情報を保存するように構成される、開始位置判定プロセッサ（２７）および停止位置判定プロセッサ（２８）に応答するバイト位置保存プロセッサ（２９）を含み得る。
【００８９】
さらに、そのような開始位置および停止位置は、所与の用途に対する任意の適切な基準に基づいて判定され得ることを理解することができる。いくつかの用途では、例えば、開始位置を判定するステップは、単純に、１次データコンテンツの開始を判定するステップを伴い得、停止位置を判定するステップは、単純に、１次データコンテンツの終了を判定するステップを伴い得る。しかしながら、開始および停止位置は、例えば、可変入力に基づいて、可変的に判定され得る。例えば、いくつかの実施形態における開始および停止位置は、１次データコンテンツに関係する、署名情報、バイト順情報、またはおそらく音素情報にしたがって判定され得る。いくつかの実施形態では、そのような署名情報、バイト順情報、または音素情報は、２次データ構造に保存され得る。ある実施形態は、１次データコンテンツ自体の情報に基づいて開始および停止位置を判定するステップさえも伴い得る。例えば、開始および停止位置は、１次データコンテンツ内の所望のデータ要素の位置に調整され得る。このように、いくつかの実施形態における開始および停止位置は、データコンテンツの選択された属性にしたがって１次データコンテンツを構造化するために使用され得ることが理解できるであろう。さらに、種々の実施形態における開始位置判定プロセッサ（２７）および停止位置判定プロセッサ（２８）は、当然ながら、前述の属性のうちのいずれをも包含するように構成され得る。ボイスメールメッセージの状況において、例えば、開始および停止位置は、１つのメッセージを別のメッセージと区別するように、またはおそらく、名前、位等の、メッセージ内のコンテンツを区別するようにも、判定され得る。同様に、ビデオ映像に対するデータ回収の状況において、開始および停止位置は、例えば、ビデオ映像内の異なる場面に対応するように選択され得る。
【００９０】
実施形態はさらに、図６の長方形によって、いくつかの実施形態について示され得るように、開始位置および停止位置に調整された１次音声光学データ構造（１）内の１次順次音声光学データコンテンツ（５）の一部分のために、可変メモリ単位形式（２６）を選択するステップを伴い得る。メモリ単位という用語は、例えば、おそらく、データコンテンツを、開始および停止位置、データコンテンツの部分間の中断、または他の種類のデータコンテンツ細分に細分化することによって、データコンテンツをさらに配列する、データコンテンツ構造内の基礎構造を含むと理解され得る。可変メモリ単位形式（２６）は、データコンテンツが細分化され得る、メモリ単位の形式を含むと理解され得、任意の個別メモリ単位のサイズは、選択された基準にしたがって変動され得る。例えば、いくつかの実施形態は、開始位置および停止位置によって定義されるデータコンテンツの一部分と連携するように、メモリ単位のサイズを選択するステップを伴い得る。実施形態はまた、１次データコンテンツ全体、またはおそらく１次データコンテンツの一部分のみのサイズを適合させるように、メモリ単位のサイズを選択するステップを伴い得る。さらに、従来のメモリ形式が、おそらく、５１２バイトのブロックサイズに標準化され得る程度まで、可変メモリ単位形式（２６）は、５１２バイトよりも大きい、またはおそらく５１２バイトよりも小さい容量を有するメモリ単位を含むように選択され得るという点で、区別可能であり得る。当然ながら、前述の実施例は、メモリ単位形式が選択され得る基準を例示するのみであり、メモリ単位は、メモリ単位形式が１次データコンテンツに適用され得る、任意の好適な基準に基づいて選択され得ると理解することができる。さらに、実施形態は、それに応じて、必然的に、図６の線によって、いくつかの実施形態について示され得るように、開始位置判定プロセッサ（２７）および停止位置判定プロセッサ（２８）に応答する可変メモリ単位形式生成器（３０）を含み得、１次音声光学データ構造（１）内の１次順次音声光学データコンテンツ（５）の一部分のために、可変メモリ単位形式（２６）を生成するように構成され得る。
【００９１】
種々の実施形態は、開始位置および停止位置に連携される、選択された可変メモリ単位形式（２６）を利用することによって、１次音声光学データ構造（１）内の１次音声光学データコンテンツ（５）の一部分を構造化するステップを含み得る。構造化するステップという用語は、単純に、可変メモリ単位内にデータコンテンツを配列することによって定義されるデータコンテンツに構造を提供するステップを含むと理解される。ある実施形態では、開始位置および停止位置に連携される、選択された可変メモリ単位形式（２６）を利用する態様は、単純に、開始位置および停止位置に適合される可変メモリ単位のサイズを選択するステップを伴い得る。しかしながら、構造化するステップは、可変メモリ単位形式（２６）内にデータコンテンツを配列するのに適した、任意の基準で遂行され得ることを理解することができる。例えば、実施形態は、先頭データギャップおよび後続データギャップを排除するよう、異なるサイズのデータコンテンツを含有するように可変メモリ単位をサイズ決定するステップを伴い得る。別の言い方をすれば、可変メモリ単位は、それらが含有するデータコンテンツのサイズを適合させるように選択され得るため、データコンテンツがメモリ単位を容量まで充填できなかったことにより、メモリ単位内にギャップが形成されることはあり得ない。同様に、実施形態は、データコンテンツ内のメモリ単位形式分割を排除するように可変メモリ単位を選択するステップを含み得る。いくつかの実施形態では、単一メモリ単位内に１次データコンテンツの全体を含有することが可能であり得る。当然ながら、前述の実施例は、可変メモリ単位形式（２６）が置かれ得る使用を例示するのみである。可変メモリ単位形式（２６）は、データコンテンツが構造化され得る、任意の好適な基準に対して選択され得る。例えば、種々の実施形態は、時間インデックス基準から独立した、またはテキストインデックス基準から独立したデータコンテンツを構造化するように、可変メモリ単位形式（２６）を選択するステップを含み得る。
【００９２】
実施形態はさらに、図６の線によって、いくつかの実施形態について示され得るように、可変メモリ単位形式生成器（３０）に応答するデータコンテンツ出力（３１）を含み得る。種々の実施形態では、そのようなデータコンテンツ出力（３１）は、可変メモリ単位形式生成器（３０）によって生成されるメモリ単位形式に調整される構造で、データコンテンツを出力し得る。故に、種々の実施形態におけるそのようなデータコンテンツ出力（３１）は、本明細書に記載のように、データコンテンツを構造化するように構成され得る。例えば、ボイスメールメッセージの関連において、データコンテンツ出力は、件名または受信者情報等の、ボイスメールメッセージの構造化された部分を再生する、携帯電話のスピーカまたは画面であり得る。同様に、データ回収ビデオ映像に対するデータコンテンツ出力は、ビデオ映像に添付された適切なヘッダファイルにデータ回収コンテンツを書き込む、読み取り／書き込みデバイスであり得る。
【００９３】
さらに、種々の実施形態では、可変メモリ単位形式（２６）は、署名を利用するステップ、バイト順を利用するステップ、または音素を利用するステップと併せて利用され得る。ある実施形態における可変メモリ単位形式（２６）はまた、データ操作システム、例えば、署名操作システム（３５）、バイト順操作システム（３６）、または音素操作システム（３７）の部品として含まれ得る。これらは、図６の点線によって、概念的にいくつかの実施形態について示され得る。
【００９４】
ここで主として図７を参照して、実施形態は、順次音声光学データを改変するための方法を含み得る。種々の実施形態では、方法は、１次順次音声光学データ構造（３）を確立するステップと、１次順次音声光学データ構造（３）に１次順次音声光学データコンテンツ（７）を投入するステップと、統合２次順次音声光学データ構造（４）を確立するステップと、統合２次順次音声光学データ構造（４）に２次順次音声光学データコンテンツ（８）を投入するステップとを含み得る。これらは、図７の長方形によって、いくつかの実施形態について示され得る。さらに、種々の実施形態では、方法は、順次音声光学データ改変装置によって達成され得る。
【００９５】
ある実施形態は、統合２次順次音声光学データコンテンツ（８）に関係する少なくとも１つのコンテンツ改変基準を決定するステップを含み得る。コンテンツ改変基準という用語は、２次データ構造のコンテンツが改変され得る、任意の基準を含むと理解され得る。例えば、実施形態は、可変コンテンツ改変基準を利用するステップを含み得る。そのようなコンテンツ改変基準は、基準を変動させ得、それによって、２次データ構造が改変され得る。実施例は、署名基準、バイト順基準、または音素基準によって、コンテンツ改変基準を変動させるステップを含み得る。加えて、コンテンツ改変基準は、２次データを改変する際に基準が使用されることを可能にするのに十分である、任意の好適な方式で、２次データコンテンツに関係付けられ得る。実施例は、コンテンツに基づいて関係付けるステップ、構造的に関係付けるステップ、アルゴリズムで関係付けるステップ、情報の意味に基づいて関係付けるステップ、形式に基づいて関係付けるステップ等を含み得る。さらに、実施形態は、コンテンツ改変基準をユーザ判定するステップ、またはおそらく、コンテンツ改変基準を自動的に判定するステップを含み得る。当然ながら、これらの実施例は、コンテンツ改変基準が判定され得る形態および方式を例示するのみである。コンテンツ改変基準は、２次データ構造へのその適用に関係する任意の好適な方式で判定され得ることを理解することができる。故に、種々の実施形態は、コンテンツ改変プロセッサ（３３）に接続された図７のいくつかの実施形態について示され得るように、統合２次順次音声光学データコンテンツ（８）に関係する少なくとも１つのコンテンツ改変基準を生成するように構成される、コンテンツ改変基準生成器（３２）を含み得る。当然ながら、そのようなコンテンツ改変基準生成器（３２）はさらに、前述の属性のうちのいずれかを包含するように構成され得る。
【００９６】
実施形態はさらに、コンテンツ改変基準を利用して、統合２次順次音声光学データコンテンツ（８）を改変するステップを含み得る。改変するステップという用語は、２次データ構造の性質または組成の変化を引き起こすステップを伴うと理解され得る。例えば、種々の実施形態では、２次データ構造を改変するステップは、コンテンツを追加するステップ、コンテンツを削除するステップ、コンテンツを修正するステップ、コンテンツ関連付けを変更するステップ、構造サイズを拡張するステップ、構造サイズを縮小するステップ等を含み得る。当然ながら、これらの実施例は、２次データ構造に改変が行われ得る形態および方式を例示するのみである。２次データ構造に任意の好適な改変が行われ得、そのためにコンテンツ改変基準が利用され得ることを理解することができる。加えて、種々の実施形態は、当然ながら、図７の線によって、いくつかの実施形態について示され得るような、かつ統合２次順次音声光学データコンテンツ（８）を改変するように構成される、コンテンツ改変基準生成器（３２）に応答するコンテンツ改変プロセッサ（３３）を含み得る。
【００９７】
例えば、種々の実施形態は、２次データ構造内にデータコンテンツを再投入するステップを含み得る。再投入するという用語は、２次データ構造内の既存のコンテンツ投入への変更を達成するステップを伴うと理解され得る。例えば、ある実施形態における２次データ構造に再投入するステップは、署名コンテンツを再投入するステップ、バイト順コンテンツを再投入するステップ、またはおそらく音素コンテンツを再投入するステップを含み得る。他の実施例は、標準化形式を有する統合２次順次音声光学データ構造（４）を利用するステップと、標準化形式を有する統合２次順次音声光学データ構造（４）に非標準的統合２次順次音声光学データコンテンツ（８）を再投入するステップとを含み得る。標準化形式という用語は、例えば、２次データ構造の仕様に固有となり得るような、またはおそらく、経時的に広く行き渡った実践を通して開発されてきた可能性がある、標準化基準に準拠する傾向があり得る、２次データ構造のための形式を指すと理解され得る。非標準的データコンテンツという用語は、例えば、おそらく、２次データ構造の仕様を満たさないため、またはおそらく、２次データ構造内に通常投入されない種類であるため、標準化データ構造内に通常投入されないコンテンツを含むと理解され得る。標準化データ構造に非標準的データコンテンツを再投入するステップは、おそらく、データ構造の機能性を増加させ得ることを理解することができる。一実施例にすぎないが、多重線協働２次データコンテンツを再投入するステップは、そうでなければ１つの線でしか機能できない、データ構造の実用性を増加させ得る。さらに、コンテンツ改変プロセッサ（３３）は、当然ながら、本明細書に記載のコンテンツ改変態様のいずれかを含有するように構成され得る。
【００９８】
種々の実施形態では、改変するステップは、継続的に改変するステップを伴い得る。継続的という用語は、経時的に進行または進化する、２次データ構造に行われる継続改変を含むと理解され得る。例えば、いくつかの実施形態では、継続的改変は、１次データコンテンツが継続して回収されるにつれて、２次データ構造にデータ回収コンテンツを追加するステップを伴い得る。同様に、いくつかの実施形態では、継続的改変は、１次データコンテンツが生成に伴って、すぐに２次データ構造に事前成形データコンテンツを追加するステップを含み得る。当然ながら、これらの実施例は、継続的改変が行われ得る形態および方式を例証するのみである。そのような継続的改変は、２次データ構造が改変され得る、任意の好適な方式で達成され得、実施形態では、継続的コンテンツ改変プロセッサ（３３）を含み得ることを理解することができる。ボイスメールメッセージの状況において、例えば、ボイスメールメッセージに関する情報を含有するヘッダ情報は、メッセージに関する新しい情報が取得されるにつれて更新され得る。同様に、ビデオ映像のデータ回収の状況において、ビデオ映像に添付されるヘッダファイルは、継続的データ回収が発生するにつれて、新しいデータ回収コンテンツを追加するように更新され得る。
【００９９】
さらに、種々の実施形態では、改変するステップは、間欠性継続的に改変するステップを伴い得る。間欠性という用語は、１つまたは複数の不応期間によって中断される改変を行うステップを含むと理解され得る。故に、改変するステップは、改変が連続的で途切れのない方式で行われることを必要としない場合もあることが理解できるであろう。むしろ、実施形態は、その間に２次データ構造が改変されない場合もあるアイドル時間の期間を伴い得るが、その期間にわたって、２次データ構造は依然として、改変が可能であり得る。さらに、実施形態は、間欠性継続的コンテンツ改変プロセッサ（３３）をさらに含み得る。
【０１００】
実施形態はさらに、そのような継続的改変の履歴を維持するステップを含み得る。そのような履歴は、おそらく２次データ構造内に履歴を保存することによる様式を含む、任意の適切な様式で維持され得、おそらく、継続的コンテンツ改変プロセッサ（３３）に応答する改変履歴編集プロセッサを含み得る。さらに、実施形態は、継続的に改変するステップを介して、２次データ構造の機能性を拡張するステップを含み得る。ある実施形態におけるそのような拡張された機能性は、改変された２次データ構造に対するアクションを講じて、２次データ構造が関連付けられる１次データ構造に対する結果を達成する能力を含み得、実施形態においては、そのような継続的コンテンツ改変を介して、統合２次順次音声光学データコンテンツ（８）の機能性を拡張するように構成され得る、継続的コンテンツ改変プロセッサ（３３）に応答する改変コンテンツ拡張機能性プロセッサを含み得る。例えば、ビデオ映像のデータ回収のために維持される履歴は、どの情報が探索され、探索されていないかをユーザが見直すことができるようにし、おそらく、経時的にビデオ映像に行われた可能性がある変更をユーザが追跡できるようにし得る。
【０１０１】
いくつかの用途においては、おそらく記載の方式では、２次データ構造を改変できないことを確実にすることが望ましい場合もある。故に、実施形態は、２次データ構造を繋止するステップを提供し得る。繋止するステップという用語は、単純に、改変できない方式で２次データ構造の形態およびコンテンツを保全する能力を含むと理解され得る。さらに、実施形態は、改変を行う能力を復元させるステップを含むと理解され得る、２次データ構造を解除する能力をさらに含み得る。実施形態は、例えば、おそらく、パスワードまたは他のユーザ識別手順を使用することによって、２次データ構造を選択的に繋止および解除する能力さえも、おそらく含み得る。当然ながら、それに応じて、種々の実施形態は、繋止型コンテンツ改変プロセッサ（３３）および解除型コンテンツ改変プロセッサ（３３）を含み得る。
【０１０２】
実施形態はさらに、２次データコンテンツを改変するステップの間に、残りの２次データコンテンツの完全性を保全するステップを含み得る。残りの２次データコンテンツという用語は、同じ２次データ構造内の他の２次データコンテンツが改変されている間に、改変されていない２次データコンテンツを含むと理解され得る。そのような残りの２次コンテンツの完全性を保全することによって、他の２次データコンテンツが改変されるプロセスにあってもよい間でさえ、残りの２次データコンテンツは、２次データ構造内のその元の形態および位置で維持され得る。このように、単に、２次データ構造内の２次データコンテンツの部分が変更されるように所望されるため、２次データ構造は、全体として再形式化される、または書き換えられる必要がない場合もあることが理解できるであろう。むしろ、改変が所望である、２次データコンテンツのそれらの部分自体が変更され得る一方で、残りの２次データ構造は、原型のままで保全され得る。必然的に、実施形態は、それに応じて、図７の線によって、いくつかの実施形態について示され得るように、コンテンツ改変プロセッサ（３３）に応答する残余データ完全性保全プロセッサ（３４）を含み得る。
【０１０３】
さらに、種々の実施形態では、少なくとも１つのコンテンツ改変基準を判定するステップ、および２次データコンテンツを改変するステップは、付加的な構成ステップを含み得る。例えば、ある実施形態におけるステップは、署名を利用するステップ、バイト順を利用するステップ、または音素を利用するステップを含み得る。さらに、種々の実施形態では、コンテンツ改変基準生成器（３２）およびコンテンツ改変プロセッサ（３３）は、データ操作システムの部品として含まれ得る。例えば、ある実施形態では、コンテンツ改変基準生成器（３２）およびコンテンツ改変プロセッサ（３３）は、署名操作システム（３５）、バイト順操作システム（３６）、または音素操作システム（３７）を備え得る。これらは、図７の点線によって、概念的にいくつかの実施形態について示され得る。
【０１０４】
ここで再度、図１〜図７を参照して、種々の実施形態は、署名を利用するステップを伴い得る。署名という用語は、標的データに関係付けられるたびに一貫した値を返信する、標準化データオブジェクトを含むと理解され得る。データオブジェクトという用語は、単純に、署名がデータとして具現される情報であってもよいという事実を指し得る。例えば、そのような署名情報は、テキスト、音素、ピクセル、音楽、非発話音声、ビデオフレーム、バイト順、デジタルデータ等を含み得るが、それらに限定されない。そのような署名データは、他の種類のデータが操作可能であるように、例えば、データ処理を介して、操作が可能であり得る。当然ながら、標的データという用語は、単純に、署名が関係付けられ得る、任意の適切なデータを含み得る。標準化という用語は、署名は、標的データへの１つ以上の関係イベントで使用するための標準形式を有し得ることと理解することができる。しかしながら、標準化という用語は、署名が成し得る形態の可能な数を限定すると解釈されるべきではない。実際、署名は、おそらく、任意の好適な用途で使用するために必要な場合に応じて作成され、おそらく、そのような所与の用途で使用するために標準化形態を有し得る。さらに、署名によって提供される一貫した値は、単純に、署名が制御値を表し得るという概念を指し得る。故に、署名を利用して行われるアクションにおいて、署名は、それが関与するアクションに対する制御情報を提供し得、したがって、そのようなアクションを構成する相互作用において一貫した値を返信し得る。このように、署名は、形態および機能が極めて多用途であり得ると理解することができる。加えて、署名は、図１〜図７の点線によって、いくつかの実施形態について示され得るように、署名操作システム（３５）によって利用され得ることを理解することができる。そのような署名操作システム（３５）は、それらの機能性に、署名を利用することが可能な任意の構成要素を含み得ることが理解され、種々の実施形態では、本明細書の他の場所で記載されるような署名操作システム（３５）を含み得る。ボイスメールメッセージの状況において、例えば、署名操作システムは、携帯電話と、ボイスメールメッセージに記録される発話情報の署名表示を作成するために必要とされる、必要ハードウェアおよびソフトウェアとを含み得る。同様に、ビデオ映像のデータ回収において、署名操作システムは、場面またはイベントの署名表示を作成するため、および添付ヘッダファイルに署名を保存するために必要とされる、必要ハードウェアおよびソフトウェアであり得る。
【０１０５】
種々の実施形態では、署名を利用するステップは、図１〜図７の長方形によって、いくつかの実施形態について示され得るように、２次順次音声光学データコンテンツ（８）内の署名を１次順次音声光学データコンテンツ（７）に関係付けるステップを伴い得る。関係付けるステップという用語は、２次データコンテンツ中の署名に対するアクションを講じて、１次データコンテンツに対する結果を達成するステップを含むと理解され得、種々の実施形態では、関係付けるステップは、署名操作システム（３５）によって達成され得る。例えば、種々の実施形態における関係付けるステップは、直接に関係付けるステップと、アルゴリズムで関係付けるステップと、階層的に関係付けるステップと、概念的に関係付けるステップと、構造的に関係付けるステップと、コンテンツに基づいて関係付けるステップと、形式に基づいて関係付けるステップとを含み得る。さらに、種々の実施形態における関係付けるステップは、図１〜図７の点線によって、いくつかの実施形態について示され得るように、署名操作システム（３５）によって達成され得る。
【０１０６】
さらに、そのような関係付けるステップは、署名に対して多くの実用的利用法を伴い得る。例えば、いくつかの実施形態における署名は、１次データコンテンツの属性を表し得、２次データ構造内で、１次データ構造内のそのような１次データコンテンツに対するバイト位置情報に関連付けられ得る。このように、所望の１次データコンテンツを探索するユーザは、１次データコンテンツ中の情報の全てを見直すよう要求されるよりもむしろ、単純に、２次データ構造内に含有された署名情報をスキャンすることが可能であり得る。このように署名を使用することによって、単語、語句、文、音楽オブジェクト、画像等の、１次データコンテンツの中に所望の情報を迅速に位置付けることが可能であり得る。反対に、署名は、１次データコンテンツに対する強化機能性を提供する２次データ構造を生成するために使用され得る。例えば、１次データコンテンツは、データ回収され得、そのような回収されたデータに関する署名は、生成されて２次データ構造の中に配置され得る。このように、２次データ構造内の署名は、１次データコンテンツのデータ回収の記録を保全し得、例えば、署名と関連してバイト位置情報を保存することによって、確かに、元の１次データへの迅速アクセスを提供し得ることが理解できるであろう。
【０１０７】
加えて、署名を利用することによって情報が１次データコンテンツから読み込まれ得る、詳細および特異性は、おそらく単純に、情報を十分詳細に表す署名を作成することによって、高度に集中できることを理解することができる。例えば、発話の場合、署名は、１つの特定の単語、またはおそらく、関連して使用される２つ以上の単語、またはおそらく、関連する語句または文全体さえも検索するように、おそらく音素に基づいて構築され得る。このように、署名は、おそらく、名前のように単純な、または特殊用語を使用する話題についての談話のように複雑な発話情報を検索するように、十分詳細に構築され得ることが理解できるであろう。別の実施例は、画像情報の署名表示が関与し得る。この場合、署名は、例えば、あるピクセル数が、ある値、例えば、紺碧の空に対応すると判定された値を満たすか、または超える、ビデオのフレームを識別するように構築され得る。このように、署名は、昼光に対応する画像を識別するために使用され得、おそらく、昼光場面に対応し得るビデオ列の中の全てのフレームを読み込むために使用され得る。当然ながら、署名は、例えば、画像情報の任意の数の属性を表し得るピクセル値を特定することによって、さらなる特異性で画像データを識別するように構築され得る。例えば、ボイスメールメッセージの状況において、署名は、記録された発話内の単語または語句を表すために使用され得、おそらく、詳細な主題を伴う複雑な談話または対話を表すために、関連して使用され得る。同様に、ビデオ映像がデータ回収される時、署名は、ある場面またはイベントを表すために使用され得、おそらく、空の明るさ、字幕の存在、スピーカの音声等の複数のパラメータに基づいてビデオフレームを識別できるように、組み合わせられ得る。
【０１０８】
当然ながら、前述の実施例は、署名が使用され得る形態および方式を例示するのみである。署名は、データが署名に基づいて形成および処理され得る、任意の好適な基準にしたがって、作成および使用され得ることを理解することができる。
【０１０９】
例えば、種々の実施形態は、コンテンツ解釈的署名を利用するステップを伴い得る。コンテンツ解釈的という用語は、１次データの少なくともいくつかのコンテンツ属性を表す署名を含むと理解され得る。本明細書の他の場所で記載される実施例に関して、そのようなコンテンツは、例えば、発話コンテンツ、画像コンテンツ等を含み得るが、これらの実施例に限定される必要はなく、実際に、コンテンツ解釈的署名は、署名形態で表されることが可能な任意のコンテンツを表し得る。加えて、実施形態は、基準署名を使用するステップを伴い得、これは、他の情報が関連付けられ得る、基本として確立された情報を表す署名を含むと理解され得る。例えば、いくつかの実施形態では、基準署名はおそらく、基準音素であり得、それはおそらく、音素分類の目的で他の音素との比較のために選択される、標準化音素であり得る。
【０１１０】
署名は、所与の用途に適切な、任意の好適な方式で生成され得ることもまた、理解することができる。例えば、いくつかの実施形態は、署名をリアルタイムで生成するステップを伴い得、それは、署名が最終的に関係付けられ得る、１次データコンテンツが生成される時間または実質的に近い時間で、署名を生成するステップを含むと理解され得る。同様に、実施形態は、署名を事後時間で生成するステップを伴い得、それは、１次データコンテンツがすでに生成され、おそらく略永久的形態で固定された後に、署名を生成するステップを含み得る。さらなる実施形態は、ユーザ発話入力から直接、デジタル署名出力を生成するステップを伴い得る。直接という用語は、ユーザ発話をテキストに変換し、次いで、出力のみに基づいて、そのようなテキストから音素を生成するステップを伴い得る中間ステップ等の、中間ステップをおそらく排除して、そのようなユーザ発話をデジタル署名コンテンツに直接変換するために必要とされるステップのみを含むと理解され得る。ユーザ発話入力から直接、デジタル署名出力を生成する、そのようなステップは、図１〜図７の概念的にいくつかの実施形態について示され得るように、おそらく本明細書の他の場所に記載されるような署名操作システム（３５）を含む、署名操作システム（３５）に応答するデジタル出力生成器（３８）によって達成され得ることを理解することができる。
【０１１１】
種々の実施形態はまた、ユーザ生成入力から署名を定義するステップ、またはおそらく、署名を自動的に生成するステップさえも伴い得る。自動的という用語は、例えば、おそらく自動機械またはプログラムされたコンピュータによって行われ得るように、実質的に人の介入なしで署名を生成するステップを含むと理解され得る。さらに、ある実施形態は、１次データコンテンツから署名を自動的に生成するステップを伴い得、それは単純に、署名を生成するために１次コンテンツの属性を直接使用するステップを伴い得る。しかしながら、実施形態はまた、２次データコンテンツから署名を自動的に生成するステップを伴い得、それは１次コンテンツ自体に直接関係付けられない場合のある署名を生成するために、２次コンテンツの属性を使用するステップを伴い得る。当然ながら、署名を生成する全実施形態に関して、署名は、２次データ構造内に配置され得る。さらに、種々の実施形態では、そのような配置は、図１〜図７の署名操作システム（３５）に関して、概念的にいくつかの実施形態について示され得るように、２次配置プロセッサ（３９）によって遂行され得る。ボイスメールメッセージの状況において、例えば、自動生成署名はおそらく、記録された発話コンテンツ内のある名前の発生が検出された時に、関連電話番号または住所情報を生成するステップを含み得る。同様に、ビデオ映像のデータ回収は、特定の場面またはイベントを検出するステップと、ビデオ映像内の他の場所に現れる、以前に検出された同様の場面またはイベントを位置付けて表す、署名を自動的に生成するステップとを含み得る。
【０１１２】
ここでさらに図１〜図７を参照して、種々の実施形態は、バイト順を利用するステップを伴い得る。バイト順という用語は、本明細書の他の場所で記載されるように理解され得、例えば、単語順を利用するステップと、バイト順を１次順次音声光学データコンテンツ（７）の意味を有する情報に連携させるステップと、ユーザ生成入力からバイト順を作成するステップと、バイト順を自動的に生成するステップとを含み得る。さらに、バイト順は、図１〜図７の点線によって、概念的にいくつかの実施形態について示され得るように、バイト順操作システム（３６）によって利用され得ることを理解することができる。そのようなバイト順操作システム（３６）は、それらの機能性に、バイト順を利用することが可能な任意の構成要素を含み得ることが理解され、種々の実施形態では、本明細書の他の場所で記載されるようなバイト順操作システム（３６）を含み得る。例えば、ボイスメールメッセージの状況において、バイト順操作システムは、携帯電話と、記録されたボイスメールの中の発話情報をバイト順として処理するために必要とされる、必要ハードウェアおよびソフトウェアとを含み得る。同様に、ビデオ映像のデータ回収において、バイト順操作システムは、ビデオフレームおよび列をバイト順として操作するために必要とされる、必要ハードウェアおよびソフトウェアであってもよい。
【０１１３】
いくつかの実施形態は、図１〜図７の長方形によって、いくつかの実施形態について示され得るように、１次順次音声光学データコンテンツ（７）内にバイト順のバイト位置を位置付けるステップ、および２次順次音声光学データコンテンツ（８）内にバイト位置を保存するステップを伴い得る。位置付けるステップという用語は、おそらく本明細書の他の場所で記載され得る方式を含む、所望のバイト順が他のバイト順と区別され得る、任意の好適な方式を含むと理解され得る。同様に、保存するステップという用語は、再度、おそらく本明細書の他の場所で記載され得るように、以降のデータ処理で利用することができるように、安定した形態でバイト位置を具現する情報を維持するステップを含むと理解され得る。さらに、位置付けるステップおよび保存するステップは、バイトで具現され得る、任意の適切な情報に対して達成され得ることを理解することができる。例えば、種々の実施形態では、バイト位置は、署名のバイト位置、音素、または１次データコンテンツで具現される他の所望の情報であり得る。さらに、実施形態はまた、２次音声光学データコンテンツ（６）内に保存されたバイト順に対するバイト位置を検索するステップと、検索されたバイト位置を使用することによって、１次順次音声光学データコンテンツ（７）内にバイト順を位置付けるステップとを含み得る。加えて、それぞれ、バイト順操作システム（３６）に関して、概念的に図１〜図７のいくつかの実施形態について示され得るように、バイト位置を位置付けるステップは、１次バイト順位置プロセッサ（４０）によって達成され得、バイト位置を保存するステップは、２次バイト順保存プロセッサ（４１）によって達成され得、バイト位置を読み込むステップは、２次バイト順位置読み込みプロセッサ（４２）によって達成され得ることを理解することができる。
【０１１４】
実施形態はまた、１次順次音声光学データコンテンツ（７）のバイト順を２次順次音声光学データコンテンツ（８）に関係付けるステップを含み得る。関係付けるステップという用語は、２次データコンテンツに対して講じられるアクションが、１次バイト順に対する結果を生成し得るように、１次バイト順と２次データコンテンツとの間に関数関係を作成するステップを含むと理解され得る。いくつかの実施形態では、例えば、２次データコンテンツは、単純に、１次順次音声光学データコンテンツ（７）内のバイト順のバイト位置を表し得るため、２次データコンテンツは、１次バイト順を位置付けるために使用され得る。当然ながら、この実施例は、１つの可能な関係を解説するのみであり、関係付けるステップは、任意の数の関係を展開させるステップを伴い得ることを理解することができる。例えば、種々の実施形態では、関係付けるステップは、直接関係付けるステップと、アルゴリズムで関係付けるステップと、階層的に関係付けるステップと、概念的に関係付けるステップと、構造的に関係付けるステップと、コンテンツに基づいて関係付けるステップと、形式に基づいて関係付けるステップとを含み得る。さらに、バイト順を関係付けるステップは、バイト順操作システム（３６）に関して、概念的に図１〜図７のいくつかの実施形態について示され得るように、関係バイト順プロセッサ（４３）によって達成され得ることを理解することができる。
【０１１５】
加えて、ある実施形態は、１次順次音声光学データコンテンツ（７）におけるバイト順の少なくとも１つの属性を、２次順次音声光学データコンテンツ（８）におけるバイト順の少なくとも１つの属性と比較するステップを含み得る。そのような属性は、バイト順で具現され得る、所与の用途に対する任意の好適な属性であり得ることを理解することができる。そのような属性の例は、署名情報、音素情報、１次データコンテンツの全体または一部の実体に関する情報、１次コンテンツの全体または部分に対する位置情報等を含み得る。このように、２つの属性を比較するステップは、さらなる用途で使用され得る情報を生じ得るため、１次データコンテンツに対する機能性を提供するために２次データコンテンツがどのように利用され得るかを理解することができるであろう。さらに、比較するステップは、バイト順操作システム（３６）に関して、概念的に図１〜図７のいくつかの実施形態について示され得るように、バイト順比較器（１７）によって達成され得ることを理解することができる。
【０１１６】
さらに、比較するステップは、おそらく本明細書の他の場所に記載され得るような基準を含む、任意の好適な基準で達成され得る。例えば、種々の実施形態における比較するステップは、直接比較するステップと、アルゴリズムで比較するステップと、階層的に比較するステップと、概念的に比較するステップと、構造的に比較するステップと、コンテンツに基づいて比較するステップと、形式に基づいて比較するステップとを含み得る。ある実施形態では、比較するステップは、おそらく本明細書の他の場所に記載され得るように、比較するステップを遂行するために使用される計算デバイスの処理速度を効率的に利用して、１次順次音声光学データコンテンツ（７）の再生速度よりも速い速度で比較するステップ、または１次順次音声光学データコンテンツ（７）のバイト順を２次順次音声光学データコンテンツ（８）のバイト順と順次比較するステップを伴い得る。
【０１１７】
ここでさらに図１〜図７を参照して、種々の実施形態は、音素を利用するステップを伴い得る。種々の実施形態では、音素は、発話の構成音素であり得、おそらく、本明細書の他の場所に記載されるように処理され得る。さらに、音素は、図１〜図７の点線によって、概念的にいくつかの実施形態について示され得るように、音素操作システム（３７）によって利用され得ることを理解することができる。そのような音素操作システム（３７）は、それらの機能性に、音素を利用することが可能な任意の構成要素を含み得ることが理解され、種々の実施形態では、本明細書の他の場所で記載されるような音素操作システム（３７）を含み得る。ボイスメールメッセージの状況において、例えば、音素操作システムは、携帯電話と、記録されたボイスメールの中の発話情報を音素として処理するために必要とされる、必要ハードウェアおよびソフトウェアとを含み得る。同様に、ビデオ映像のデータ回収において、音素操作システムは、ビデオの発話コンテンツを音素として操作するために必要とされる、必要ハードウェアおよびソフトウェアであり得る。
【０１１８】
いくつかの実施形態は、１次順次音声光学データコンテンツ（７）内に音素の位置を位置付けるステップ、および２次順次音声光学データコンテンツ（８）内に位置を保存するステップを伴い得る。位置付けるステップという用語は、おそらく本明細書の他の場所で記載され得る方式を含む、音素が他の音素と区別され得る、任意の好適な方式を含むと理解され得る。同様に、保存するステップという用語は、ここでも、おそらく本明細書の他の場所で記載され得るように、以降のデータ処理で利用することができるように、安定した形態で音素を具現する情報を維持するステップを含むと理解され得る。さらに、位置付けるステップおよび保存するステップは、音素を具現し得る、任意の適切なデータに対して達成され得ることを理解することができる。例えば、種々の実施形態では、音素は、音素自体、対応する基準音素、署名、またはおそらくバイト順によっても、具現され得る。さらに、実施形態はまた、２次音声光学データコンテンツ（６）内に保存された音素のために位置を読み込むステップと、検索された位置情報を使用することによって１次順次音声光学データコンテンツ（７）内に音素を位置付けるステップとを含み得る。加えて、それぞれ、音素操作システム（３７）に関して、概念的に図１〜図７のいくつかの実施形態について示され得るように、音素の位置を位置付けるステップは、１次音素位置プロセッサ（４４）によって達成され得、位置を保存するステップは、２次音素保存プロセッサ（４５）によって達成され得、音素の位置を読み込むステップは、２次音素位置検索プロセッサ（４６）によって達成され得ることを理解することができる。
【０１１９】
実施形態はまた、１次順次音声光学データコンテンツ（７）における音素を２次順次音声光学データコンテンツ（８）に関係付けるステップを含み得る。関係付けるステップという用語は、２次データコンテンツに対して講じられるアクションが、１次音素に対する効果を生成し得るように、１次音素と２次データコンテンツとの間に関数的関係を作成するステップを含むと理解され得る。いくつかの実施形態では、例えば、２次データコンテンツは、単純に、おそらくバイト順位置等の、１次データコンテンツ内の音素の位置を表し得るため、２次データコンテンツは、１次データコンテンツ内に音素を位置付けるために使用され得る。当然ながら、この実施例は、１つの可能な関係を解説するのみであり、関係付けるステップは、任意の数の関係を展開させるステップを伴い得ることを理解することができる。例えば、種々の実施形態では、関係付けるステップは、直接に関係付けるステップ、アルゴリズムで関係付けるステップ、階層的に関係付けるステップ、概念的に関係付けるステップ、構造的に関係付けるステップ、コンテンツに基づいて関係付けるステップ、および形式に基づいて関係付けるステップを伴い得る。さらに、音素を関係付けるステップは、それぞれ、音素操作システム（３７）に関して、概念的に図１〜図７のいくつかの実施形態について示され得るように、関係音素プロセッサ（４７）によって達成され得ることを理解することができる。
【０１２０】
加えて、ある実施形態は、１次順次音声光学データコンテンツ（７）における音素の少なくとも１つの属性を、２次順次音声光学データコンテンツ（８）における音素の少なくとも１つの属性と比較するステップを含み得る。そのような属性は、音素に起因し得る、所与の用途に対する任意の好適な属性であり得ることを理解することができる。そのような属性の実施例は、署名情報、バイト順情報、発話情報、コンテンツ情報、位置情報等を含み得る。このように、２つの属性を比較するステップは、さらなる用途で使用され得る情報を生じ得るため、１次データコンテンツに対する機能性を提供するために２次データコンテンツがどのように利用され得るかを理解することができるであろう。また、比較するステップは、おそらく本明細書の他の場所に記載され得るような基準を含む、任意の好適な基準で達成され得ることを理解することができる。例えば、種々の実施形態における比較するステップは、直接比較するステップと、アルゴリズムで比較するステップと、階層的に比較するステップと、概念的に比較するステップと、構造的に比較するステップと、コンテンツに基づいて比較するステップと、形式に基づいて比較するステップとを含み得る。さらに、比較するステップは、音素操作システム（３７）に関して、概念的に図１〜図７のいくつかの実施形態について示され得るように、音素比較器（４８）によって達成され得ることを理解することができる。ボイスメールの状況において、例えば、添付ヘッダファイルにおける署名は、単語または語句に対応する音素情報を表し得、音素比較器は、単語または語句の発生についてボイスメールメッセージを探索するために署名情報を使用し得る。
【０１２１】
いくつかの実施形態では、比較するステップは、音素順を比較するステップを伴い得る。音素順という用語は、特定の順番で配列される２つ以上の音素を含むと理解され得る。そのような順番は、例えば、おそらく、音素が単語、語句、文等で順序付けられる時に、おそらく関連情報の意味を有し得ることを理解することができる。いくつかの実施形態では、音素順を比較するステップは、１次順次音声光学データコンテンツ（７）における音素順を、２次順次音声光学データコンテンツ（８）の音素順と順次比較するステップを伴い得る。さらに、いくつかの実施形態では、音素順を比較するステップは、音素表示を作成するステップを伴い得る。音素表示という用語は、音素表示を識別するために使用される同じ基準もまた、音素自体を識別する働きをするように、表された音素に十分近い同一性を有する音素を表すデータ含むと理解され得る。さらに、種々の実施形態では、音素表示を作成するステップは、ユーザ生成音素表示を利用するステップ、音素表示を自動的に生成するステップ、またはおそらく基準音素を利用するステップさえも伴い得る。
【０１２２】
種々の実施形態では、比較するステップは、１次順次音声光学データコンテンツ（７）における音素の少なくとも１つの属性を、２次順次音声光学データコンテンツ（８）における基準音素の少なくとも１つの属性と比較するステップを伴い得る。基準音素という用語は、おそらく本明細書の他の場所で定義されるように理解され得る。さらに、種々の実施形態における基準音素は、文法セットから選択され得る。文法セットという用語は、文法的意味を有する単位に関連付けられている、所定の音素のセットを包含すると理解され得る。例えば、文法セットは、単語、名前、場所、口語の語句、俗語、引用句等に対応する関連音素のセットを含み得る。そのような関連音素は、基準音素文法と称され得る。
【０１２３】
このように、２次データ構造で基準音素文法を使用するステップは、２次データ構造の実用性を強化し得ることが理解できるであろう。特に、基準音素文法は、１次データコンテンツにおける音素のネイティブ文法的配列と効率的に相関する傾向があり得るため、基準音素文法を利用する実施形態は、高度の効率で比較するステップを遂行し得る。さらに、ある実施形態は、さらに高度の効率で、基準音素文法を利用し得る。
【０１２４】
例えば、種々の実施形態における文法セットは、コンテンツ標的化した所定の語彙リストへと、さらに精緻化され得る。そのようなコンテンツ標的化した所定の語彙リストは、特殊語彙、例えば、業界特有のコンテンツ、外国語コンテンツ、特殊用語を利用するコンテンツ等を目的とする、基準音素文法を有する文法セットを包含すると理解され得る。故に、コンテンツを標的とした所定の語彙リストの使用は、そうでなければ比較が困難な語彙を提示する場合がある、１次データコンテンツにおける音素の本来の文法的配列と効率的に相関する傾向があり得る、標的化した基準音素文法を提供することによって、比較するステップを単純化することができる。
【０１２５】
実施形態はまた、ツリー形式で組織化した文法セットを使用するステップを含み得る。ツリー形式で組織化したという用語は、おそらくツリー形式に配列される階層を含む、２つ以上の階層に組織化される基準音素文法を有する文法セットを含むと理解され得る。比較するステップに関して、そのような階層は、複数の比較の機会を提供し得、各階層が比較のための基準を提供する。階層のそのような配列はおそらく、比較するステップが遂行され得る効率を増加させ得る。例えば、いくつかの実施形態におけるツリー形式で組織化した文法セットを使用するステップは、最初に高い可能性の文法を比較し、次いで、特定の音素認識に個々の文法のサブセットを使用するステップを伴い得る。そのような階層システムは、最初に高可能性階層における可能な一致の領域を狭小化し、特定の音素認識階層における特定の一致のみについて試験することによって、不要な比較ステップを削減することができる。例えば、特定の単語または語句がボイスメールメッセージ内で位置付けられようとする時、ボイスメールメッセージは、単語または語句の発生の確率が高い発話の部分を判定するためだけに、第１階層レベルでスキャンされ得、次いで、それらの選択された部分のみが、単語または語句が実際に現れるかどうかを判定するように、さらに試験され得る。
【０１２６】
ここでさらに図１〜図７を参照して、種々の実施形態は、１次順次音声光学データコンテンツ（７）を非解釈型方式で保存するステップと、２次順次音声光学データ構造（４）を介して、保存された１次順次音声光学データコンテンツ（７）に機能性を提供するステップとを含み得る。保存するステップという用語は、以降のデータ処理で利用することができるように、安定した形態で１次順次音声光学データコンテンツ（７）を維持するステップを含むと理解され得る。いくつかの実施形態では、保存するステップという用語は、コンピュータメモリに保存される１次データコンテンツを含み得る。非解釈型方式という用語は、おそらく、実質的にその元の形式で１次データコンテンツを保存するステップを含む、１次データコンテンツがデータ処理を通して実質的に改変されていない方式を含むと理解され得る。機能性という用語は、２次データ構造に対するアクションを講じて、保存された１次データコンテンツに対する結果を生じる能力を含むと理解され得る。さらに、１次順次音声光学データコンテンツ（７）を保存するステップ、および機能性を提供するステップは、音素操作システム（３７）に関して、概念的に図１〜図７のいくつかの実施形態について示され得るように、それぞれ、１次コンテンツ保存プロセッサ（４９）および２次コンテンツ機能性プロセッサ（５０）によって達成され得ることを理解することができる。
【０１２７】
いくつかの実施形態では、機能性を提供するステップは、１次順次音声光学データコンテンツ（７）を閉鎖するステップと、２次順次音声光学データコンテンツ（８）を探索するステップと、２次順次音声光学データコンテンツ（８）内に保存されたその位置にアクセスすることによって１次順次音声光学データコンテンツ（７）内の所望のデータ要素の位置を選択するステップと、１次順次音声光学データコンテンツ（７）を開放するステップと、所望のデータ要素のみを読み込むステップとを含み得る。閉鎖するステップという用語は、データコンテンツの準備ができている状態を、実質上利用不可能状態に変更するステップを含むと理解され得、開放するステップという用語は、データコンテンツの準備ができている状態を、実質上準備完了状態に変更するステップを含むと理解され得る。故に、前述の内容から、１次データコンテンツ内のデータ要素は、所望のデータ要素を検索するように１次データコンテンツを開放することのみを除いて、２次データコンテンツのみを利用することによって、識別、検索、および読み込み得ることを理解することができる。さらに、所望のデータ要素は、特異性により、すなわち、周囲のデータコンテンツを参照または使用することなく、読み込み得ることも理解することができる。さらに、閉鎖するステップ、検索するステップ、選択するステップ、開放するステップ、および読み込むステップは、それぞれ、データコンテンツ閉鎖プロセッサ、データコンテンツ検索プロセッサ、データコンテンツ選択プロセッサ、データコンテンツ開放プロセッサ、およびデータコンテンツ読み込みプロセッサによって遂行され得ることが理解できるであろう。例えば、ビデオ映像のデータ回収では、特定の場面またはイベントの発生の探索は、以前にデータ投入されたヘッダのみを使用して行われ得る。特に、場面またはイベントの発生は、単純に、ヘッダに保存されたデータをスキャンすることによって判定され得、ビデオ映像自体は、いったんその位置が判定されると、所望の場面またはイベントを検索するためだけに開放するステップを必要とし得る。
【０１２８】
加えて、ある実施形態では、機能性を提供するステップは、１次順次音声光学データコンテンツ（７）の所望の断片を位置付けるために２次順次音声光学データコンテンツ（８）を利用するステップ、および１次順次音声光学データコンテンツ（７）の所望の断片のみを操作するステップを伴い得る。断片という用語は、周辺のデータコンテンツの形態または内容に関係なく、１次データコンテンツの所望の部分のみを含むと理解され得る。このように、所望の部分が存在する、より大きい１次データコンテンツの質または属性に関係なく、２次データコンテンツは、１次データコンテンツの所望の部分のみの操作を達成するために使用され得ることを理解することができる。さらに、２次順次音声光学データコンテンツ（８）を利用するステップ、および所望の断片のみを操作するステップは、それぞれ、断片位置プロセッサおよび断片再生プロセッサによって遂行され得ることが理解される。ボイスメールメッセージの状況において、例えば、名前または位置の発生は、ボイスメールメッセージ自体を見直すことなく、おそらく単純に添付ヘッダの中の情報を使用することから、ボイスメールメッセージ内で判定され得る。さらに、次いで、名前または位置は、例えば、おそらく単純に、名前または位置が発生するボイスメールメッセージの部分に対応するバイト順のみを読み込むことによって、ボイスメールメッセージの任意の他の情報にアクセスすることなく、読み込み得る。
【０１２９】
ここでさらに図１〜図７を参照して、種々の実施形態は、連結１次順次音声光学データ構造（３）を確立するステップを含み得る。連結という用語は、その中に位置付けられる１次データコンテンツを大幅に細分化することなく、ともに結び付けられた複数の１次データ構造を含むと理解され得る。いくつかの実施形態では、そのような連結１次データ構造はおそらく、可変メモリ単位形式（２６）を使用して達成され得る。また、連結１次データ構造は、複数の異種１次データコンテンツから連結され得、おそらく、１次データコンテンツが生成されるにつれて、その場でリアルタイムに連結され得ることを理解することができる。
【０１３０】
ここでさらに図１〜図７を参照して、実施形態は、種々の種類の環境またはネットワークアーキテクチャで、本明細書で論じられるアクションのいずれかを実施するステップを伴い得る。例えば、いくつかの実施形態におけるネットワークアーキテクチャは、コンピュータネットワークの１つ以上の構成要素を含み得、関連環境は、ピアツーピア環境またはクライアント・サーバ環境を含み得る。さらに、実施は、ネットワークアーキテクチャまたは環境の特定の構成にしたがって行われ得る。例えば、クライアント・サーバ環境では、実施は、サーバ位置において、クライアント位置において、またはおそらくサーバおよびクライアントの両方においても、発生し得る。当然ながら、クライアントは、クライアント・サーバ方式で機能することが可能な、任意の好適なハードウェアまたはソフトウェアであり得る。いくつかの実施形態では、例えば、クライアントは、コンピュータ端末、携帯電話、またはおそらく単純に、コンピュータ端末または携帯電話上に存在するソフトウェアであり得る。これらの実施例は、当然ながら、例示的にすぎず、好適なクライアントとして機能し得るハードウェアまたはソフトウェアを限定すると解釈されるべきではない。
【０１３１】
加えて、本明細書で論じられる種々の装置は、ネットワークアーキテクチャまたは環境の全体または部分を形成するように、それら自体が配列され得、またはおそらく、ネットワークアーキテクチャまたは環境に関連して動作するように構成され得る。さらに、そのようなネットワークまたは環境の装置の間での通信は、例えば、ハイパーテキスト転送プロトコル（ＨＴＴＰ）、ファイル転送プロトコル（ＦＴＰ）、ボイスオーバーインターネットプロトコル（ＶＯＩＰ）、またはセッション初期化プロトコル（ＳＩＰ）等の、任意の好適なプロトコルによって完遂され得る。例えば、実施形態は、ＶＯＩＰを介したサーバとのネットワーク上のクライアントの役割を果たす、携帯電話を含み得、おそらく、携帯電話自体さえ、ＶＯＩＰと併せてＳＩＰを利用する。当然ながら、前述の内容は、ハードウェア、ソフトウェア、およびプロトコルがネットワーク上でどのように相互作用し得るかという一実施例にすぎず、本明細書で論じられるような要件を満たす、任意の好適な環境が利用され得る。
【０１３２】
ここでさらに図１〜図７を参照して、本明細書に記載の種々の実施形態では、いくつかのアクションは、１つの要素を別の要素に関係付けるステップとして説明され得る。関係付けるステップという用語は、単純に、説明されたそのような要素の間で関係を作成するステップとして理解され得る。関係の性質は、説明された特定の要素に関してさらに説明されるように、または当業者によって理解できるように、理解され得る。別の言い方をすれば、関係付けられている２つの要素は、関連性を全く共有しない２つの要素とは対照的に、ある程度の関連性を享受し得る。さらに、１つの要素を別の要素に関係付けるステップとして表される作用は、装置によって実施され得、そのような装置は、たとえ関係が間接的であるか、または中間要素あるいはプロセスを通して発生するとしても、関係があるとして説明され得る。
【０１３３】
さらに、いくつかのアクションは、アクションが行われるある様式に関して説明され得る。例えば、いくつかのアクションは、原位置で行われ得、その場合、アクションは、その周囲の物体に対して定位置に置かれた対象に行われると理解され得る一方で、他のアクションは、それらを行うことにより、その周囲のコンテンツからアクションを受ける対象を分離するように、行われ得る。あるアクションは、時間インデックス基準から独立して行われ得、その場合、アクションの実行は、アクションを受ける対象のランタイム情報に依存しない場合もある。同様に、あるアクションは、テキストインデックス基準から独立して行われ得、その場合、アクションの実行は、アクションを受ける対象のテキスト情報に依存しない場合もある。
【０１３４】
加えて、いくつかのアクションは、アクションが行われる方式に関して説明され得る。例えば、アクションは、コンテンツに基づいて行われ得、アクションの履行は、実行されるために、アクションの対象に関するコンテンツ情報を必要とし得る。アクションはまた、構造的に行われ得、その場合、アクションの履行は、実行されるために、アクションの対象に関する構造的情報を必要とし得る。場合によっては、アックションは、直接行われ得、アクションの履行は、中間ステップなしでアクションの対象に直接影響を及ぼし得る。反対に、アクションはアルゴリズムで行われ得、アクションがその対象に適用される前に、アクションは、少なくとも１つのステップを通して、ある程度のアルゴリズム的転換を受け得る。当然ながら、アルゴリズム的という用語は、特にデータ処理で使用され得るように、多数の好適な操作のうちのいずれをも包含すると理解され得、種々の実施形態では、加重分析、最良適合度分析、複数の値との比較、基準閾値試験、ファジー論理等のアクションを含み得る。アクションはまた、情報の意味に基づいて行われ得、その場合、アクションの履行は、アクションが行われる対象のユーザ解釈可能な意味に関する情報を必要とし得る。さらに、アクションは、形式に基づいて行われ得、アクションの履行は、実行されるために、アクションの対象に関する形式情報を必要とし得る。アクションはさらに、選択的基準で行われ得、それは、アクションが達成される状況を管理するように、ある程度の選択的基準を単純に適用するステップを含み得る。いくつかのアクションは、階層的に行われ得、その場合、アクションの履行は、アクションの対象の階層的配列に依存し得る。アクションはまた、概念的基準で行われ得、その場合、アクションの履行は、例えば、単に対象の形式または構造情報とは対照的に、アクションを受ける対象の概念的コンテンツに依存し得る。
【０１３５】
前述の内容から容易に理解できるように、本発明の技術の基本概念は、種々の方法で具現され得る。それは、適切なデータ操作を遂行するように、データ操作技法ならびにデバイスの両方を伴い得る。この出願では、データ操作技法が、説明される種々のデバイスによって達成されることが示される結果の一部として、かつ利用に固有のステップとして説明される。それらは単純に、意図され、説明されるようなデバイスを利用することの自然な結果である。加えて、いくつかのデバイスが開示される一方で、これらは、ある方法を遂行するだけでなく、いくつかの方法で変動させることができることを理解されたい。重要なことには、前述の内容について、これらの面の全ては、本開示によって包含されると理解されるべきである。
【０１３６】
本特許出願に含まれる議論は、基本的な説明として役立つことを目的としている。読者は、特定の議論が考えられる全ての実施形態を明白に説明するとは限らない場合があり、多くの代替案が潜在することを承知すべきである。また、それは、本発明の包括的性質を完全に説明するとは限らない場合があり、各特徴または要素が、より幅広い機能、または多種多様な代替あるいは同等要素を、実際にどのように表すことができるかを明白に示さない場合がある。再度、これらは、本開示に暗黙的に含まれる。本発明がデバイスに適応した用語で説明される場合、デバイスの各要素は、機能を暗黙的に果たす。装置の請求項が、説明されるデバイスについて含まれるだけでなく、方法またはプロセスの請求項もまた、本発明および各要素が果たす機能に対処するように含まれ得る。説明と用語のいずれも、任意の以降の特許出願に含まれる請求項の範囲を限定することを目的としない。
【０１３７】
また、本発明の本質から逸脱することなく、種々の変更を行い得ることを理解されたい。そのような変更もまた、説明に暗黙的に含まれる。それらは、依然として本発明の技術の範囲内にある。示される明確な実施形態、多種多様な代替実施形態、および幅広い方法またはプロセス等のいずれも包含する、幅広い開示は、本開示に包含され、任意の以降の特許出願の請求項を起草する時に依存し得る。そのような言語変化、およびさらに幅広い、またはさらに詳細な請求は、後日（任意の要求された締め切りまで等）、または、出願人が後に、この申請に基づいて特許申請を求める場合に、遂行され得る。これを理解することにより、本開示は、出願人の権利の範囲内とみなされる程度に幅広い請求項の基礎の調査を求め得、かつ、独立して、および全体的なシステムとしての両方で、本発明の多数の態様を網羅する特許をもたらすように設計され得る、任意の以降に出願された特許出願を支援すると理解されるものであることを、読者は承知するべきである。
【０１３８】
さらに、本発明の技術および請求項の種々の要素のそれぞれはまた、種々の方式で達成され得る。加えて、使用または暗示される時に、要素は、物理的に接続され得、または接続されなくてもよい、個別ならびに複数の構造を包含するとして理解されるものである。本開示は、任意の装置の実施形態の変形例であろうと、方法またはプロセスの実施形態の変形例であろうと、または単にこれらのうちの任意の要素の変形例でさえあろうと、それぞれのそのような変形例を包含すると理解されるべきである。特に、開示が本発明の技術の要素に関するため、たとえ機能または結果のみが同じであっても、各要素に対する用語は、同等の装置用語または方法用語によって表現され得ることを理解されたい。そのような同等な、より幅広く、またはさらに包括的な用語は、各要素またはアクションの説明に包含されるとみなされるべきである。そのような用語は、本発明の技術が享受される暗黙的に幅広い範囲を明示することが所望である場合に、置換することができる。一例にすぎないが、全てのアクションは、そのアクションを講じるための手段として、またはそのアクションを引き起こす要素として表現され得ることを理解されたい。同様に、開示される各物理的要素は、その物理的要素が促進するアクションの開示を包含すると理解されるべきである。この最後の態様に関して、一例にすぎないが、「形式」の開示は、明確に論じられているか否かにかかわらず、「形式化する」行為の開示を包含すると理解されるべきであり、反対に、「形式化する」行為の開示が効果的に存在するならば、そのような開示は、「形式」および「形式化するための手段」の開示さえも包含すると理解されるべきである。そのような変更および代替用語は、説明に明白に含まれると理解されるものである。
【０１３９】
本特許出願で記述される、任意の特許、出版物、または他の参考資料は、参照することによって本明細書に組み込まれる。本出願によって請求される、任意の優先件は、本明細書に添付され、参照することによって本明細書に組み込まれる。加えて、使用される各用語については、本出願でのその利用が広範囲に支援する解釈と矛盾しない限り、参照することによって本明細書に組み込まれる、Ｒａｎｄｏｍ  Ｈｏｕｓｅ  Ｗｅｂｓｔｅｒ’ｓ
Ｕｎａｂｒｉｄｇｅｄ  Ｄｉｃｔｉｏｎａｒｙ、ｓｅｃｏｎｄ  ｅｄｉｔｉｏｎ、ならびに「Ｗｅｂｓｔｅｒ’ｓ  Ｎｅｗ  Ｗｏｒｌｄ  Ｃｏｍｐｕｔｅｒ  Ｄｉｃｔｉｏｎａｒｙ」Ｔｅｎｔｈ  Ｅｄｉｔｉｏｎ、およびＢａｒｒｏｎ’ｓ  Ｂｕｓｉｎｅｓｓ  Ｇｕｉｄｅｓ「Ｄｉｃｔｉｏｎａｒｙ  ｏｆ  Ｃｏｍｐｕｔｅｒ  ａｎｄ  Ｉｎｔｅｒｎｅｔ
Ｔｅｒｍｓ」Ｎｉｎｔｈ  Ｅｄｉｔｉｏｎに含有されるような、一般的な辞書の定義が、各用語および全ての定義、代替用語、および同義語について組み込まれるように、理解されるべきであることを理解されたい。最後に、「参照することによって組み込まれる参考資料」のリストに列挙される全ての参考資料、または、本出願とともに申請される他の情報の記述は、本明細書に添付され、参照することによって本明細書に組み込まれる。しかしながら、上記のそれぞれについては、参照することによって組み込まれるそのような情報または記述が、この／これらの発明の特許と矛盾するとみなされる場合がある限り、そのような記述は、出願人によって行われたとは明確にみなされない。
【０１４０】
【表１】
2011014123.tif 000003
【０１４１】
【表２】
2011014123.tif 000004
【０１４２】
【表３】
2011014123.tif 000005
したがって、出願人は、少なくとも以下に対して、発明の請求および記述を行うための支援を有すると理解されるべきである。ｉ）本明細書に開示および記載されるようなデータ操作デバイスのそれぞれ、ｉｉ）開示および記載される関連方法、ｉｉｉ）これらのデバイスおよび方法のそれぞれの類似、同等、および潜在変化例、ｉｖ）開示および記載されるように示された機能のそれぞれを完遂する代替設計、ｖ）開示および記載される機能を完遂することが暗示的であるように示された機能のそれぞれを遂行する、代替設計および方法、ｖｉ）別個の独立した発明として示される、各特徴、構成要素、およびステップ、ｖｉｉ）開示される種々のシステムまたは構成要素によって強化される用途、ｖｉｉｉ）そのようなシステムまたは構成要素によって生産される、結果として得られる製品、ｉｘ）記述される任意の特定分野またはデバイスに現在適用されているとして示される、または説明される、各システム、方法、および要素、ｘ）以上に、および付随の実施例に関して、実質的に記載されるような、方法および装置、ｘｉ）開示される要素のそれぞれの種々の組み合わせおよび置換、ｘｉｉ）提示される独立請求項または概念の１つ１つへの従属関係としての、各潜在的従属請求項または概念、およびｘｉｉｉ）本明細書に記載される全ての発明。
【０１４３】
加えて、コンピュータの態様、およびプログラミングまたは他の電子自動化に従う各態様に関して、出願人は、少なくとも以下に対して、発明の請求および記述を行うための支援を有すると理解されるべきである。ｘｖｉ）上記の議論の全体を通して記載されるような、コンピュータの援助下で、またはコンピュータ上で行われるプロセス、ｘｖ）上記の議論の全体を通して記載されるようなプログラム可能装置、ｘｖｉ）上記の議論の全体を通して記載されるように機能する手段または要素を備えるコンピュータに命令するように、データでコード化されるコンピュータ可読メモリ、ｘｖｉｉ）本明細書に開示および記載されるように構成されるコンピュータ、ｘｖｉｉｉ）本明細書に開示および記載されるような、個別または複合サブルーチンおよびプログラム、ｘｉｘ）開示および記載される関連方法、ｘｘ）これらのシステムおよび方法のそれぞれの類似、同等、および潜在変化例、ｘｘｉ）開示および記載されるように示された機能のそれぞれを完遂する代替設計、ｘｘｉｉ）開示および記載される機能を完遂することが暗示的であるように示された機能のそれぞれを遂行する、代替設計および方法、ｘｘｉｉｉ）別個の独立した発明として示される、各特徴、構成要素、およびステップ、およびｘｘｉｖ）上記のそれぞれの種々の組み合わせおよび置換。
【０１４４】
請求項に関して、調査のために現在提示されようと、または後に提示されようと、実用的な理由により、および調査負担の大幅な拡大を回避するように、出願人は、最初の請求項のみ、またはおそらく、最初の従属関係のみを伴う最初の請求項のみをいつでも提示し得ることを理解されたい。任意の他の独立請求項または概念の下の従属関係または要素として、１つの独立請求項または概念の下で提示される、種々の従属関係または他の要素のいずれかの追加を可能にするために、Ｅｕｒｏｐｅａｎ  Ｐａｔｅｎｔ  Ｃｏｎｖｅｎｔｉｏｎ  Ａｒｔｉｃｌｅ  １２３（２）およびＵｎｉｔｅｄ  Ｓｔａｔｅｓ  Ｐａｔｅｎｔ  Ｌａｗ  ３５  ＵＳＣ  １３２または他のそのような法律を含むがそれらに限定されない、新規事項法の下で必要とされる程度に、支援が存在すると理解されるべきである。本出願であろうと、任意の以降の出願であろうと、いかなる時でも、任意の請求項を起草する際には、出願人が、合法的に利用可能なように完全かつ幅広い対象範囲を捕捉する意向であることもまた、理解されたい。ごくわずかな置換が行われる限り、出願人が実際に、任意の特定の実施形態を文字通りに包含するように任意の請求項を起草しなかった限り、および他に該当する限り、出願人が全ての起こり得る事態を予期することが可能ではなかった可能性があるため、出願人は、そのような対象を放棄することを意図していたか、または実際に放棄したと理解されるべきではない。当業者は、そのような代替実施形態を文字通りに包含していたであろう請求項を起草していたことを合理的に見込まれるべきではない。
【０１４５】
さらに、使用される場合、または使用される時に、「〜を備える」という移行句の使用は、従来の請求項の解釈に従って、本明細書で「制約のない」請求項を維持するために使用される。したがって、文脈が特に要求しない限り、「備える」という用語、または「〜を備える」等の変化例は、記述された要素またはステップ、あるいは一群の要素またはステップの包含を暗示するが、任意の他の要素またはステップ、あるいは一群の要素またはステップの除外を暗示しないことを目的とすることを理解されたい。そのような用語は、合法的に許容される最も広範な対象を出願人に提供するように、最も包括的形態で解釈されるべきである。
【０１４６】
最後に、いかなる時でも説明される任意の請求項は、参照することによって、本発明の本説明の一部として本明細書に組み込まれ、出願人は、そのような請求項のそのような組み込まれた内容の全体または一部分を、請求項あるいはそれらの任意の要素または構成要素のいずれかまたは全てを支援するための付加的な説明として使用する権利を明白に留保し、出願人はさらに、そのような請求項のそのような組み込まれた内容の任意の部分または全体、あるいはそれらの任意の要素または構成要素を、説明から請求項に移入させ、または必要に応じてその逆を行い、本出願によって、またはその任意の以降の継続、分割、または一部継続出願によって保護が求められる事項を定義する、または、任意の国の特許法、規則、または規制、あるいは条約の利益や、それらに従う、または準拠する料金の削減を得る権利を明白に留保し、参照することによって組み込まれるそのような内容は、その任意の以降の継続、分割、または一部継続出願、またはそれについての任意の再発行または拡張を含む、本出願の係属全体の期間に存続するものである。
【図１】
2011014123.tif 000006
【図２】
2011014123.tif 000007
【図３】
2011014123.tif 000008
【図４】
2011014123.tif 000009
【図５】
2011014123.tif 000010
【図６】
2011014123.tif 000011
【図７】
2011014123.tif 000012
【図８】
2011014123.tif 000013